(57)【要約】【課題】書込放電を正常に発生させること。【解決手段】サブフィールド（５）は、初期化期間（２）と、走査電極（２２−ｉ）とデータ電極（２９−ｊ）間で書込放電を行って映像を表す映像データをセル（３１）に書込むための走査期間（３）と、書込放電が行われたセル（３１）を映像データに対応して点灯する維持放電を走査電極（２２−ｉ）と維持電極（２３−ｉ）間で行う維持期間（４）とを含む。初期化期間（２）は、維持放電が行われたときに蓄積された走査電極（２２−ｉ）と維持電極（２３−ｉ）間の電荷を調整するための壁電荷調整放電を行う壁電荷調整期間（６）と、消去期間（８、１０）とを含む。本発明では、維持期間（４）で維持放電が行われたときに蓄積された走査電極（２２−ｉ）と維持電極（２３−ｉ）間の電荷を、壁電荷調整期間（６）で調整することにより、走査期間（３）で行われる書込放電を正常に発生させることができる。【選択図】  図３
2004198705.tif 000002
【特許請求の範囲】
【請求項１】
互いに対向させた２枚の第一および第二の絶縁基板のうち、第一の絶縁基板に走査電極と維持電極とを互いに平行となるように配置した電極対を複数配置し、第二の絶縁基板に前記走査電極および維持電極に直交するように複数のデータ電極を配置され、前記各電極は誘電体層で覆われたプラズマディスプレイパネルの駆動方法で、映像データに対応して、前記走査電極毎に、前記データ電極の電位を変化させ、前記走査電極と前記データ電極の間の書込放電の有無により前記映像データを書き込む走査期間と、前記走査期間に書込まれた前記映像データに対応して表示を行うために維持パルスを繰り返し印加し維持放電を繰り返す維持期間と、前記維持期間の状態をリセットし初期化する初期化期間が、走査期間、維持期間、初期化期間の順で繰り返される駆動方法において、前記初期化期間に、前記初期化期間の直前に前記維持放電が発生した場合に、前記維持放電よりも放電強度の弱い壁電荷調整放電を、前記走査電極と前記維持電極の間で発生させる壁電荷調整期間と、前記壁電荷調整期間の後、前記走査電極と前記維持電極の電位差が、前記壁電荷調整放電時の前記走査電極と前記維持電極の電位差とは逆極性の電圧方向に、徐々に増大する維持消去期間を設けることを特徴とするＡＣ型プラズマディスプレイパネルの駆動方法。
【請求項２】
前記壁電荷調整期間において、前記維持期間の最後に印加した前記維持パルスとは逆極性の電圧方向に、前記走査電極と前記維持電極の電位差を徐々に増大させる第一壁電荷調整期間と、その後、前記第一壁電荷調整期間よりも急激に前記走査電極と前記維持電極の電位差が変化し、前記維持パルスの前記走査電極と前記維持電極の電位差よりも小さい電圧の壁電荷調整電圧だけ、前記第一壁電荷調整期間の前記走査電極と前記維持電極の最終到達電位差より大きい壁電荷調整パルス電圧まで、前期走査電極と前記維持電極の間の電位差を増加させ、前記壁電荷調整パルス電圧を壁電荷調整パルス幅だけ保持するような第二壁電荷調整期間を設けることを特徴とする請求項１に記載のＡＣ型プラズマディスプレイパネルの駆動方法。
【請求項３】
前記第一壁電荷調整期間の電位差の変化割合が１０［Ｖ／μｓｅｃ］以下であることを特徴とする請求項２に記載のＡＣ型プラズマディスプレイパネルの駆動方法。
【請求項４】
前記第二壁電荷調整期間の電位差の変化割合が２０［Ｖ／μｓｅｃ］以上であることを特徴とする請求項２又は３に記載のＡＣ型プラズマディスプレイパネルの駆動方法。
【請求項５】
前記維持消去期間の電位差の変化割合が１０［Ｖ／μｓｅｃ］以下であることを特徴とする請求項１乃至４のいずれか一項に記載のＡＣ型プラズマディスプレイパネルの駆動方法。
【請求項６】
前記維持パルスが、前記走査電極と前記維持電極に交互に第一の電位と前記第一の電位より低い第二の電位を繰り返し印加することにより構成され、前記第一壁電荷調整期間が、前記走査電極電位を前記第一の電位にし、前記維持電極電位を前記第一の電位から前記第一の電位と前記第二の電位の中間の第三の電位に徐々に変化させることにより構成され、前記第二壁電荷調整期間が、前記維持電極電位を前記第三の電位から前記第二の電位に変化させることにより構成されていることを特徴とする請求項２乃至５のいずれか一項に記載のＡＣ型プラズマディスプレイパネルの駆動方法。
【請求項７】
前記維持パルスが、前記走査電極と前記維持電極に交互に第一の電位と前記第一の電位より低い第二の電位を繰り返し印加することにより構成され、前記第一壁電荷調整期間が、前記走査電極電位を前記第一の電位と前記第二の電位の中間の第四の電位にし、前記維持電極電位を前記第一の電位から前記第二の電位に徐々に変化させることにより構成され、前記第二壁電荷調整期間が、前記走査電極電位を前記第四の電位から前記第一の電位に変化させることにより構成されていることを特徴とする請求項２乃至５のいずれか一項に記載のＡＣ型プラズマディスプレイパネルの駆動方法。
【請求項８】
前記維持パルスが、前記走査電極と前記維持電極に交互に第一の電位と前記第一の電位より低い第二の電位を繰り返し印加することにより構成され、前記第一壁電荷調整期間が、前記走査電極電位を第五の電位にし、前記維持電極電位を前記第一の電位から前記第一の電位と前記第二の電位の中間の第三の電位に徐々に変化させることにより構成され、前記第二壁電荷調整期間が、前記走査電極を前記第五の電位のまま保ち、前記維持電極電位を前記第三の電位から前記第二の電位に変化させることにより構成され、前記第五の電位が、前記初期化期間の直前の前記維持期間で維持放電が発生していない場合に、前記第二壁電荷調整期間で、前記走査電極と前記維持電極の間で放電が発生しない電位で前記第一の電位よりも高い電位であることを特徴とする請求項２乃至５のいずれか一項に記載のＡＣ型プラズマディスプレイパネルの駆動方法。
【請求項９】
前記維持パルスが、前記走査電極と前記維持電極に交互に第一の電位と前記第一の電位より低い第二の電位を繰り返し印加することにより構成され、前記第一壁電荷調整期間が、前記走査電極電位を前記第一の電位にし、前記維持電極電位を前記第一の電位から前記第二の電位に徐々に変化させることにより構成され、前記第二壁電荷調整期間において、前記走査電極電位を前記第一の電位から第六の電位に変化させることにより構成され、前記第六の電位が、前記初期化期間の直前の前記維持期間で維持放電が発生していない場合に、前記第二壁電荷調整期間で、前記走査電極と前記維持電極の間で放電が発生しないで前記第一の電位よりも高い電位であることを特徴とする請求項２乃至５のいずれか一項に記載のＡＣ型プラズマディスプレイパネルの駆動方法。
【請求項１０】
前記第二壁電荷調整期間後に、前記前記壁電荷調整パルス電圧を前記壁電荷調整パルス幅だけ保持した直後に、前記維持電極電位を前記第一の電位にまで引き上げることを特徴とする請求項５乃至８のいずれか一項に記載のＡＣ型プラズマディスプレイパネルの駆動方法。
【請求項１１】
前記第二壁電荷調整期間後に、前記前記壁電荷調整パルス電圧を前記壁電荷調整パルス幅だけ保持した直後に、前記維持電極電位を前記走査期間の前記維持電極電位と同しい第七の電位にまで引き上げることを特徴とする請求項５乃至８のいずれか一項に記載のＡＣ型プラズマディスプレイパネルの駆動方法。
【請求項１２】
前記壁電荷調整パルス幅が２［μｓｅｃ］未満であることを特徴とする請求項１０又は１１に記載のＡＣ型プラズマディスプレイパネルの駆動方法。
【請求項１３】
前記壁電荷調整期間において、前記第二壁電荷調整期間終了後に、前記走査電極の電位を前記第一の電位に保ったまま、前記維持電極の電位を、前記第ニの電位まで徐々に電位を引き下げる補助維持消去期間を設けることを特徴とする請求項２乃至１２のいずれか一項に記載のＡＣ型プラズマディスプレイの駆動方法。
【請求項１４】
前記壁電荷調整期間において、前記維持期間の最後に印加した前記維持パルスとは逆極性の電圧で、前記維持パルスの前記走査電極と前記維持電極の電位差よりも小さい電圧である壁電荷調整パルス電圧を前記走査電極と前記維持電極の間に印加することを特徴とする請求項１に記載のＡＣ型プラズマディスプレイパネルの駆動方法。
【請求項１５】
前記維持パルスが、前記走査電極と前記維持電極に交互に第一の電位と前記第一の電位より低い第二の電位を繰り返し印加することにより構成され、前記壁電荷調整期間が、前記走査電極電位を前記第一の電位とし、前記維持電極電位を前記第一の電位と前記第二の電位の中間の第八の電位にすることにより構成されていることを特徴とする請求項１４に記載のＡＣ型プラズマディスプレイパネルの駆動方法。
【請求項１６】
前記維持消去期間が、前記維持電極の電位を一定に保ったまま、前記走査電極の電位を、前記第一の電位から前記第ニの電位まで徐々に電位を引き下げることにより構成されていることを特徴とする請求項２乃至１５のいずれか一項に記載のＡＣ型プラズマディスプレイの駆動方法。
【請求項１７】
前記維持消去期間の前記維持電極の電位が、前記第一の電位または前記第七の電位であることを特徴とする請求項１６に記載のＡＣ型プラズマディスプレイの駆動方法。
【請求項１８】
前記壁電荷調整期間と前記維持消去期間の間に、前記走査電極電位を前記第一の電位よりも高い電位に徐々に上昇させるプライミング波形が印加され、前記プライミング波形が印加されている間、前記データ電極の電位を、前記走査期間に書込放電をさせない場合のデータ電極電位と等しくするプライミング期間を設けることを特徴とする請求項１乃至１７のいずれか一項に記載のＡＣ型プラズマディスプレイの駆動方法。
【請求項１９】
前記維持消去期間の後に、前記走査電極電位を前記第一の電位よりも高い電位に徐々に上昇させるプライミング波形が印加され、前記プライミング波形が印加されている間、前記データ電極の電位を、前記走査期間に書込放電をさせない場合のデータ電極電位と等しくするプライミング期間と、前記プライミング期間の後に、前記維持電極に一定の電圧に保ったまま、前記走査電極を前記第一の電位から電位を徐々に減少させるプライミング消去期間を設けることを特徴とする請求項１乃至１７のいずれか一項に記載のＡＣ型プラズマディスプレイの駆動方法。
【請求項２０】
前記プライミング消去期間の前記走査電極の最終到達電位が、前記走査期間に前記書き込み放電を発生させる際に、前記走査電極に印加する第九の電位と等しいことを特徴とする請求項１９に記載のＡＣ型プラズマディスプレイパネルの駆動方法。
【請求項２１】
前記プライミング消去期間の前記走査電極の最終到達電位が、前記走査期間に前記書き込み放電を発生させる際に、前記走査電極に印加する第九の電位よりも高く、かつ、前記第九の電位との電位差が２０［Ｖ］以下であることを特徴とする請求項１９に記載のＡＣ型プラズマディスプレイパネルの駆動方法。
【請求項２２】
前記第九の電位が接地電位であることを特徴とする請求項２０又は２１に記載のＡＣ型プラズマディスプレイパネルの駆動方法。
【請求項２３】
前記プライミング期間の維持電極電位が、前記第一の電位または前記第七の電位と等しいことを特徴とする請求項１９乃至２２のいずれか一項に記載のＡＣ型プラズマディスプレイの駆動方法。
【請求項２４】
前記維持消去期間と前記プライミング消去期間の、前記走査電極と前記維持電極と前記データ電極に印加される波形が等しいことを特徴とする請求項１９乃至２３のいずれか一項に記載のＡＣ型プラズマディスプレイの駆動方法。
【請求項２５】
前記プライミング期間の前記維持電極電位が、前記第ニの電位と等しいことを特徴とする請求項１９乃至２４のいずれか一項に記載のＡＣ型プラズマディスプレイの駆動方法。
【請求項２６】
前記第一の電位が正の電位であり、前記第二の電位が接地電位であることを特徴とする請求項２乃至１３、請求項１５乃至２５のいずれか一項に記載のＡＣ型プラズマディスプレイパネルの駆動方法。
【請求項２７】
前記プライミング期間が、規則的周期に基づいて、複数の前記初期化期間の内、１または複数回印加されない前記初期化期間があることを特徴とする請求項１８に記載のＡＣ型プラズマディスプレイの駆動方法。
【請求項２８】
前記プライミング期間およびプライミング消去期間が、規則的周期に基づいて、複数の前記初期化期間の内、１または複数回印加されない前記初期化期間があることを特徴とする請求項１９乃至２６のいずれか一項に記載のＡＣ型プラズマディスプレイの駆動方法。
【請求項２９】
前記書込放電を発生させる際に前記走査電極に印加する電位が負電位であることを特徴とする請求項２７又は２８に記載のＡＣ型プラズマディスプレイパネルの駆動方法。
【請求項３０】
互いに平行に設けられた走査電極と維持電極と、
前記走査電極と前記維持電極に対向して設けられ、前記走査電極と前記維持電極と直交するように設けられたデータ電極と、
前記走査電極、前記維持電極及び前記データ電極を駆動するための駆動部と、
制御部とを具備し、
サブフィールドは、初期化期間と、前記走査電極と前記データ電極間で書込放電を行って映像を表す映像データをセルに書込む走査期間と、前記書込放電が行われた前記セルを前記映像データに対応して点灯する維持放電を前記走査電極と前記維持電極間で行う維持期間とを含み、
前記初期化期間は、前記維持放電が行われたときに蓄積された前記走査電極と前記維持電極間の電荷を調整するための壁電荷調整放電を行う壁電荷調整期間と、消去期間とを含み、
前記制御部は、前記壁電荷調整期間中に、前記維持放電よりも放電強度が弱い前記壁電荷調整放電が前記走査電極と前記維持電極間で発生するように前記駆動部を駆動し、
前記壁電荷調整期間の後の前記消去期間中に、前記壁電荷調整放電が前記走査電極と前記維持電極間で発生するときの壁電荷調整期間電位差とは逆極性の消去期間電位差に徐々に増大する消去電位を前記走査電極と前記維持電極間に印加するように前記駆動部を駆動する
プラズマディスプレイ装置。
【請求項３１】
請求項３０に記載のプラズマディスプレイ装置において、
前記壁電荷調整期間は、第一壁電荷調整期間と第二壁電荷調整期間とを含み、
前記制御部は、
前記維持期間中に、維持パルス電位を前記走査電極と前記維持電極とに交互に印加するように前記駆動部を駆動し、
前記第一壁電荷調整期間中に、前記維持期間の最後に前記維持パルス電位が前記走査電極と前記維持電極間に印加されたときの維持期間電位差とは逆極性の第一壁電荷調整期間電位差に徐々に増大する調整電位を前記走査電極と前記維持電極間に印加するように前記駆動部を駆動し、
前記第二壁電荷調整期間中に、前記第一壁電荷調整期間電位差よりも大きい第二壁電荷調整期間電位差に急激に変化する壁電荷調整パルス電位を前記走査電極と前記維持電極間に印加し、前記壁電荷調整パルス電位を壁電荷調整パルス幅だけ保持するように前記駆動部を駆動し、
前記壁電荷調整パルス幅は、前記走査電極と前記維持電極間に前記壁電荷調整パルス電位が印加されている時間を表す
プラズマディスプレイ装置。
【請求項３２】
請求項３１に記載のプラズマディスプレイ装置において、
前記制御部は、
前記維持期間中に、前記維持パルス電位として、第１電位と前記第１電位より低い前記第２電位とを交互に前記走査電極に印加し、前記第２電位と前記第１電位とを交互に前記維持電極に印加するように前記駆動部を駆動し、
前記第一壁電荷調整期間中に、前記調整電位として、前記走査電極に前記第１電位を印加し、前記維持電極に印加される電位を前記第１電位から、前記第１電位と前記第２電位との間の第３電位に徐々に下げるように前記駆動部を駆動し、
前記第二壁電荷調整期間中に、前記壁電荷調整パルス電位として、前記走査電極に印加される電位を前記第１電位に前記壁電荷調整パルス幅だけ保持し、前記維持電極に印加される電位を前記第３電位から前記第２電位に下げて前記壁電荷調整パルス幅だけ前記第２電位に保持するように前記駆動部を駆動する
プラズマディスプレイ装置。
【請求項３３】
請求項３１に記載のプラズマディスプレイ装置において、
前記制御部は、
前記維持期間中に、前記維持パルス電位として、第１電位と前記第１電位より低い前記第２電位とを交互に前記走査電極に印加し、前記第２電位と前記第１電位とを交互に前記維持電極に印加するように前記駆動部を駆動し、
前記第一壁電荷調整期間中に、前記調整電位として、前記維持電極に印加される電位を前記第１電位から、前記第１電位と前記第２電位との間の第３電位に徐々に下げ、前記走査電極に前記第１電位より高い第４電位を印加するように前記駆動部を駆動し、
前記第二壁電荷調整期間中に、前記壁電荷調整パルス電位として、前記走査電極に印加される電位を前記第４電位に前記壁電荷調整パルス幅だけ保持し、前記維持電極に印加される電位を前記第３電位から前記第２電位に下げて前記壁電荷調整パルス幅だけ前記第２電位に保持するように前記駆動部を駆動し、
前記第４電位は、前記維持期間で前記維持放電が発生していないときに、前記第二壁電荷調整期間で前記走査電極と前記維持電極間で前記壁電荷調整放電が発生しない電位である
プラズマディスプレイ装置。
【請求項３４】
請求項３１に記載のプラズマディスプレイ装置において、
前記制御部は、
前記維持期間中に、前記維持パルス電位として、第１電位と前記第１電位より低い前記第２電位とを交互に前記走査電極に印加し、前記第２電位と前記第１電位とを交互に前記維持電極に印加するように前記駆動部を駆動し、
前記第一壁電荷調整期間中に、前記調整電位として、前記走査電極に前記第１電位と前記第２電位との間の第５電位を印加し、前記維持電極に印加される電位を前記第１電位から前記第２電位に徐々に下げるように前記駆動部を駆動し、
前記第二壁電荷調整期間中に、前記壁電荷調整パルス電位として、前記維持電極に印加される電位を前記第２電位に前記壁電荷調整パルス幅だけ保持し、前記走査電極に印加される電位を前記第５電位から前記第１電位に上げて前記壁電荷調整パルス幅だけ前記第１電位に保持するように前記駆動部を駆動する
プラズマディスプレイ装置。
【請求項３５】
請求項３１に記載のプラズマディスプレイ装置において、
前記制御部は、
前記維持期間中に、前記維持パルス電位として、第１電位と前記第１電位より低い前記第２電位とを交互に前記走査電極に印加し、前記第２電位と前記第１電位とを交互に前記維持電極に印加するように前記駆動部を駆動し、
前記第一壁電荷調整期間中に、前記調整電位として、前記走査電極に前記第１電位を印加し、前記維持電極に印加される電位を前記第１電位から前記第２電位に徐々に下げるように前記駆動部を駆動し、
前記第二壁電荷調整期間中に、前記壁電荷調整パルス電位として、前記維持電極に印加される電位を前記第２電位に前記壁電荷調整パルス幅だけ保持し、前記走査電極に印加される電位を前記第１電位から、前記第１電位より高い第６電位に上げて前記壁電荷調整パルス幅だけ前記第６電位に保持するように前記駆動部を駆動し、
前記第６電位は、前記維持期間で前記維持放電が発生していないときに、前記第二壁電荷調整期間で前記走査電極と前記維持電極間で前記壁電荷調整放電が発生しない電位である
プラズマディスプレイ装置。
【請求項３６】
請求項３２又は３３に記載のプラズマディスプレイ装置において、
前記第一壁電荷調整期間中に、前記第１電位が下がり始める時刻から、前記第３電位に下がりきる時刻までの電位の平均変化率を示す変化割合は、１０［Ｖ／μｓｅｃ］以下である
プラズマディスプレイ装置。
【請求項３７】
請求項３２、３３、３６のいずれか一項に記載のプラズマディスプレイ装置において、
前記第二壁電荷調整期間中に、前記第３電位が下がり始める時刻から、前記第２電位に下がりきる時刻までの電位の平均変化率を示す変化割合は、２０［Ｖ／μｓｅｃ］以上である
プラズマディスプレイ装置。
【請求項３８】
請求項３４又は３５に記載のプラズマディスプレイ装置において、
前記第一壁電荷調整期間中に、前記第１電位が下がり始める時刻から、前記第２電位に下がりきる時刻までの電位の平均変化率を示す変化割合は、１０［Ｖ／μｓｅｃ］以下である
プラズマディスプレイ装置。
【請求項３９】
請求項３２〜３８のいずれか一項に記載のプラズマディスプレイ装置において、
前記壁電荷調整パルス幅は、２［μｓｅｃ］未満である
プラズマディスプレイ装置。
【請求項４０】
請求項３０に記載のプラズマディスプレイ装置において、
前記制御部は、
前記維持期間中に、維持パルス電位を前記走査電極と前記維持電極とに交互に印加するように前記駆動部を駆動し、
前記壁電荷調整期間中に、前記維持期間の最後に前記維持パルス電位が前記走査電極と前記維持電極間に印加されたときの維持期間電位差とは逆極性の前記壁電荷調整期間電位差を前記維持パルス電位よりも小さい調整電位として前記走査電極と前記維持電極間に印加するように前記駆動部を駆動する
プラズマディスプレイ装置。
【請求項４１】
請求項４０に記載のプラズマディスプレイ装置において、
前記制御部は、
前記維持期間中に、前記維持パルス電位として、第１電位と前記第１電位より低い前記第２電位とを交互に前記走査電極に印加し、前記第２電位と前記第１電位とを交互に前記維持電極に印加するように前記駆動部を駆動し、
前記壁電荷調整期間中に、前記調整電位として、前記走査電極に印加される電位を前記第１電位に保持し、前記維持電極に前記第１電位と前記第２電位との間の第７電位を印加するように前記駆動部を駆動する
プラズマディスプレイ装置。
【請求項４２】
請求項３２又は３４に記載のプラズマディスプレイ装置において、
前記消去期間は、維持消去期間を含み、
前記制御部は、前記維持消去期間中に、前記維持電極に第８電位を印加し、前記走査電極に印加される電位を前記第１電位から前記第２電位に徐々に下げるように前記駆動部を駆動し、
前記第８電位は、前記走査期間中に前記維持電極に印加される電位である
プラズマディスプレイ装置。
【請求項４３】
請求項３３に記載のプラズマディスプレイ装置において、
前記消去期間は、維持消去期間を含み、
前記制御部は、前記維持消去期間中に、前記維持電極に第８電位を印加し、前記走査電極に印加される電位を前記第４電位から前記第２電位に徐々に下げるように前記駆動部を駆動し、
前記第８電位は、前記走査期間中に前記維持電極に印加される電位である
プラズマディスプレイ装置。
【請求項４４】
請求項３５に記載のプラズマディスプレイ装置において、
前記消去期間は、維持消去期間を含み、
前記制御部は、前記維持消去期間中に、前記維持電極に第８電位を印加し、前記走査電極に印加される電位を前記第６電位から前記第２電位に徐々に下げるように前記駆動部を駆動し、
前記第８電位は、前記走査期間中に前記維持電極に印加される電位である
プラズマディスプレイ装置。
【請求項４５】
請求項３２に記載のプラズマディスプレイ装置において、
前記初期化期間は、補助維持消去期間を含み、
前記消去期間は、維持消去期間を含み、
前記制御部は、
前記補助維持消去期間中に、前記走査電極に印加される電位を前記第１電位に保持し、前記維持電極に第８電位を印加し、前記維持電極に印加される電位を前記第８電位から前記第２電位に徐々に下げるように前記駆動部を駆動し、
前記維持消去期間中に、前記維持電極に第８電位を印加し、前記走査電極に印加される電位を前記第１電位から前記第２電位に徐々に下げるように前記駆動部を駆動し、
前記第８電位は、前記走査期間中に前記維持電極に印加される電位である
プラズマディスプレイ装置。
【請求項４６】
請求項３２に記載のプラズマディスプレイ装置において、
前記初期化期間は、補助維持消去期間を含み、
前記制御部は、前記補助維持消去期間中に、前記走査電極に印加される電位を前記第１電位に保持し、前記維持電極に第８電位を印加し、前記維持電極に印加される電位を前記第８電位から前記第２電位に徐々に下げるように前記駆動部を駆動し、
前記第８電位は、前記走査期間中に前記維持電極に印加される電位である
プラズマディスプレイ装置。
【請求項４７】
請求項４１に記載のプラズマディスプレイ装置において、
前記消去期間は、維持消去期間を含み、
前記制御部は、前記維持消去期間中に、前記維持電極に印加される電位を前記第７電位から、前記第７電位よりも高い第８電位に上げ、前記走査電極に印加される電位を前記第１電位から前記第２電位に徐々に下げるように前記駆動部を駆動し、
前記第８電位は、前記走査期間中に前記維持電極に印加される電位である
プラズマディスプレイ装置。
【請求項４８】
請求項３２に記載のプラズマディスプレイ装置において、
前記消去期間は、維持消去期間を含み、
前記制御部は、前記維持消去期間中に、前記維持電極に第８電位を印加し、前記走査電極に印加される電位を前記第１電位から、前記第２電位より低い第９電位に徐々に下げるように前記駆動部を駆動し、
前記第８電位は、前記走査期間中に前記維持電極に印加される電位である
プラズマディスプレイ装置。
【請求項４９】
請求項４２、４５、４７のいずれか一項に記載のプラズマディスプレイ装置において、
前記維持消去期間中に、前記第１電位が下がり始める時刻から、前記第２電位に下がりきる時刻までの電位の平均変化率を示す変化割合は、１０［Ｖ／μｓｅｃ］以下である
プラズマディスプレイ装置。
【請求項５０】
請求項４３に記載のプラズマディスプレイ装置において、
前記維持消去期間中に、前記第４電位が下がり始める時刻から、前記第２電位に下がりきる時刻までの電位の平均変化率を示す変化割合は、１０［Ｖ／μｓｅｃ］以下である
プラズマディスプレイ装置。
【請求項５１】
請求項４４に記載のプラズマディスプレイ装置において、
前記維持消去期間中に、前記第６電位が下がり始める時刻から、前記第２電位に下がりきる時刻までの電位の平均変化率を示す変化割合は、１０［Ｖ／μｓｅｃ］以下である
プラズマディスプレイ装置。
【請求項５２】
請求項４８に記載のプラズマディスプレイ装置において、
前記維持消去期間中に、前記第１電位が下がり始める時刻から、前記第９電位に下がりきる時刻までの電位の平均変化率を示す変化割合は、１０［Ｖ／μｓｅｃ］以下である
プラズマディスプレイ装置。
【請求項５３】
請求項４５又は４６に記載のプラズマディスプレイ装置において、
前記補助維持消去期間中に、前記第８電位が下がり始める時刻から、前記第２電位に下がりきる時刻までの電位の平均変化率を示す変化割合は、１０［Ｖ／μｓｅｃ］以下である
プラズマディスプレイ装置。
【請求項５４】
請求項４２〜４７のいずれか一項に記載のプラズマディスプレイ装置において、
前記初期化期間は、プライミング期間を含み、
前記消去期間は、プライミング消去期間を含み、
前記制御部は、
前記プライミング期間中に、前記維持電極に前記第２電位を印加し、前記走査電極に前記第１電位を印加し、前記走査電極に印加される電位を前記第１電位から、前記第１電位よりも高い第１０電位に徐々に上げるように前記駆動部を駆動し、
前記プライミング期間の後の前記プライミング消去期間中に、前記維持電極に前記第８電位を印加し、前記走査電極に印加される電位を前記第１０電位から前記第１電位に下げた後、前記第１電位から前記第２電位に徐々に下げるように前記駆動部を駆動する
プラズマディスプレイ装置。
【請求項５５】
請求項４８に記載のプラズマディスプレイ装置において、
前記初期化期間は、プライミング期間を含み、
前記消去期間は、プライミング消去期間を含み、
前記制御部は、
前記プライミング期間中に、前記維持電極に前記第２電位を印加し、前記走査電極に前記第１電位を印加し、前記走査電極に印加される電位を前記第１電位から、前記第１電位よりも高い第１０電位に徐々に上げるように前記駆動部を駆動し、
前記プライミング期間の後の前記プライミング消去期間中に、前記維持電極に前記第８電位を印加し、前記走査電極に印加される電位を前記第１０電位から前記第１電位に下げた後、前記第１電位から前記第９電位に徐々に下げるように前記駆動部を駆動する
プラズマディスプレイ装置。
【請求項５６】
請求項４２〜４７、５４のいずれか一項に記載のプラズマディスプレイ装置において、
前記制御部は、前記走査期間中に、前記維持電極に前記第８電位を印加し、前記走査電極に前記第２電位よりも高い設定電位を印加した後、前記設定電位から前記第２電位に下がる走査パルス電位を前記走査電極に印加したときに、前記映像データに応じたデータパルス電位を前記データ電極に印加するように前記駆動部を駆動する
プラズマディスプレイ装置。
【請求項５７】
請求項４８又は５５に記載のプラズマディスプレイ装置において、
前記制御部は、前記走査期間中に、前記維持電極に前記第８電位を印加し、前記走査電極に前記第９電位より高い設定電位を印加した後、前記設定電位から前記第９電位に下がる走査パルス電位を前記走査電極に印加したときに、前記映像データに応じたデータパルス電位を前記データ電極に印加するように前記駆動部を駆動する
プラズマディスプレイ装置。
【請求項５８】
請求項５７に記載のプラズマディスプレイ装置において、
前記プライミング消去期間中に前記走査電極に印加される前記第９電位である最終到達電位は、前記走査期間中に前記走査電極に印加される前記走査パルス電位として前記設定電位から前記第９電位に下がるときの走査パルス電位よりも高く、前記最終到達電位と前記走査パルス電位との電位差は、２０［Ｖ］以下である
プラズマディスプレイ装置。
【請求項５９】
請求項５４又は５５に記載のプラズマディスプレイ装置において、
前記制御部は、フィールドが周期的に実行されるように前記駆動部を駆動し、
前記フィールドは、複数の前記サブフィールドから構成され、
前記複数のサブフィールドの各々は順に実行され、
前記複数のサブフィールドのうちの少なくとも１つのサブフィールドの前記初期化期間には、前記プライミング期間と前記プライミング消去期間とが含まれない
プラズマディスプレイ装置。
【請求項６０】
請求項４２〜４７、５４〜５８のいずれか一項に記載のプラズマディスプレイ装置において、
前記第８電位は、前記第１電位である
プラズマディスプレイ装置。
【請求項６１】
請求項３２〜６０のいずれか一項に記載のプラズマディスプレイ装置において、
前記第２電位は、接地電位である
プラズマディスプレイ装置。
【発明の詳細な説明】
【０００１】
【発明の属する技術分野】
本発明は、プラズマディスプレイパネルの駆動方法、及び、プラズマディスプレイ装置に関する。
【０００２】
【従来の技術】
一般に、プラズマディスプレイパネル（以下、ＰＤＰとも略称する）は、薄型で大画面表示が比較的容易にできること、視野角が広いこと、応答速度が速いことなど、数多くの特長がある（特許文献１〜１５参照）。
【０００３】
このため、近年、フラットディスプレイとして、壁掛けテレビや公共表示板などとして利用されている。ＰＤＰを具備するプラズマディスプレイ装置は、その動作方式により、直流放電型（ＤＣ型）と交流放電型（ＡＣ型）とに分類される。ＤＣ型の場合、電極が放電空間（放電ガス）に露出され、直流放電の状態でＰＤＰを駆動させる。ＡＣ型の場合、電極が誘電体層に被覆されていて放電ガスに直接露出されず、交流放電の状態でＰＤＰを駆動させる。ＤＣ型では、電極に電圧が印加されている期間中放電が発生し、ＡＣ型では、電極に印加される電圧の極性を反転させることにより放電を持続させる。さらに、ＡＣ型には、１セル内の電極数が２電極のものと３電極のものがある。
【０００４】
ここで、従来のプラズマディスプレイパネルの駆動方法に適用されるプラズマディスプレイ装置として、３電極ＡＣ型プラズマディスプレイパネル（ＰＤＰ）を用いたプラズマディスプレイ装置を以下に説明する。
図１７は、従来のプラズマディスプレイ装置の構成（従来の３電極ＡＣ型プラズマディスプレイパネルの平面図）を示す。従来のプラズマディスプレイ装置は、ディスプレイ表示画面１３０、ｍ個の走査電極１２２（走査電極１２２−１〜１２２−ｍ；ｍ＝１、２、３、…）、ｍ個の維持電極１２３（維持電極１２３−１〜１２３−ｍ）、ｎ個のデータ電極１２９（データ電極１２９−１〜１２９−ｎ；ｎ＝１、２、３、…）、（ｍ×ｎ）個の表示セル１３１を具備する。
（ｍ×ｎ）個の表示セル１３１は、ｍ行・ｎ列に配列されている。ｍ行のうちの１つの行に属するｎ個の表示セル１３１には、走査電極１２２−ｉ（ｉ＝１、２、…、ｍ）と維持電極１２３−ｉ（ｉ＝１、２、…、ｍ）とが平行に設けられている。ｎ列のうちの１つの列に属するｍ個の表示セル１３１には、走査電極１２２−ｉと維持電極１２３−ｉとに直交するデータ電極１２９−ｊ（ｊ＝１、２、…、ｎ）が設けられている。
走査電極１２２−ｉと維持電極１２３−ｉとの間には、放電ギャップ１３４が第１所定間隔で設けられている。走査電極１２２−ｉと維持電極１２３−（ｉ−１）との間と、走査電極１２２−（ｉ＋１）と維持電極１２３−ｉとの間とには、非放電ギャップ１３５が第２所定間隔で設けられている。
【０００５】
従来のプラズマディスプレイ装置には、駆動制御回路１３８が接続されている。駆動制御回路１３８は、駆動部１３６と制御部１３７とを備えている。駆動部１３６は、走査ドライバ（図示しない）、維持ドライバ（図示しない）、データドライバ（図示しない）を備えている。走査電極１２２−１〜１２２−ｍには走査ドライバが接続され、維持電極１２３−１〜１２３−ｍには維持ドライバが接続され、データ電極１２９−１〜１２９−ｎにはデータドライバが接続されている。制御部１３７の両端のうちの一端は接地され、制御部１３７の両端のうちの他端は駆動部１３６に接続されている。制御部１３７は、後述する電位を、走査ドライバ、維持ドライバ、データドライバを介して走査電極１２２−１〜１２２−ｍ、維持電極１２３−１〜１２３−ｍ、データ電極１２９−１〜１２９−ｎに供給するように、駆動部１３６を駆動する。ここで、電極間、電極−駆動制御回路１３８間など２つの間の電位の差を電圧又は電位差と称する。
【０００６】
図１８は、図１７に示された３電極ＡＣ型プラズマディスプレイパネルの１セルの断面図である。従来のプラズマディスプレイ装置は、更に、上部絶縁性基板（前面基板）１２０、下部絶縁性基板（背面基板）１２１、透明誘電体層１２４、保護層１２５、蛍光体層１２７、白色誘電体層１２８、ディスプレイ表示画面１３０、金属トレース電極１３２を具備する。
前面基板１２０と背面基板１２１とは相互に対向し、前面基板１２０と背面基板１２１としては、ガラス基板が例示される。
【０００７】
前面基板１２０と背面基板１２１との間、即ち、前面基板１２０上には、第１所定間隔で走査電極１２２−ｉと維持電極１２３−ｉとが互いに平行に設けられている。第１所定間隔は、上記の放電ギャップ１３４である。走査電極１２２−ｉ、維持電極１２３−ｉと背面基板１２１との間、即ち、走査電極１２２−ｉと維持電極１２３−ｉとの上には、配線抵抗を下げるための金属トレース電極１３２が積層されている。前面基板１２０、走査電極１２２−ｉ、維持電極１２３−ｉ、金属トレース電極１３２と背面基板１２１との間、即ち、前面基板１２０と走査電極１２２−ｉと維持電極１２３−ｉと金属トレース電極１３２との上には透明誘電体層１２４が設けられている。透明誘電体層１２４と背面基板１２１との間、即ち、透明誘電体層１２４上には、透明誘電体層１２４を放電から保護する保護層１２５が設けられている。保護層１２５としては、ＭｇＯが例示される。
【０００８】
保護層１２５と背面基板１２１との間、即ち、背面基板１２１上には、走査電極１２２−ｉと維持電極１２３−ｉとに直交してデータ電極１２９−ｊが設けられている。保護層１２５とデータ電極１２９−ｊとの間、即ち、データ電極１２９−ｊ上には、白色誘電体層１２８が設けられている。
保護層１２５と白色誘電体層１２８との間には、蛍光体層１２７として第１蛍光体層１２７−１、第２蛍光体層１２７−２が設けられる。即ち、白色誘電体層１２８上には、第１蛍光体層１２７−１が設けられている。第１蛍光体層１２７−１上には、放電空間１２６が形成されるように、第１蛍光体層１２７−１の両端部から保護層１２５まで第１蛍光体層１２７−１の垂直上方方向に延びる第２蛍光体層１２７−２が設けられている。前面基板１２０と背面基板１２１との間には、この第２蛍光体層１２７−２と第１蛍光体層１２７−１の端部と保護層１２５と白色誘電体層１２８とによって、各表示セル１３１を囲うように非放電空間１３３が設けられる。第２蛍光体層１２７−２は、隔壁として働く。この隔壁（第２蛍光体層１２７−２）は、放電空間１２６を確保するとともに画素（表示セル１３１）を区切る役割を果たしている。放電空間１２６内にはＨｅ、Ｎｅ、Ｘｅ等の混合ガスが放電ガスとして封入されている。
【０００９】
次に、従来のプラズマディスプレイ装置の駆動方法（従来のＰＤＰの駆動方法）について説明する。現在、主流であるのが走査期間と維持期間とが分離されている走査維持分離方式（ＡＤＳ方式）である。以下、この走査維持分離方式の駆動方法について説明する。図１９は、従来のプラズマディスプレイ装置を駆動する駆動波形（電圧）を示すタイミングチャートである。
【００１０】
図１９に示されるように、１サブフィールド１０５（以下、サブフィールド１０５とも称する）は、初期化期間１０２と、走査期間１０３と、維持期間１０４との３つの期間で構成されている。
初期化期間１０２は、維持期間１０４で維持放電が行われたときに蓄積された走査電極１２２−ｉと維持電極１２３−ｉとの間の壁電荷を消去（初期化、リセット）する期間であり、その期間は、タイミングＰ１０１の後のタイミングＰ１０６、Ｐ１０７、Ｐ１０８、Ｐ１０９、Ｐ１１０、Ｐ１１１、Ｐ１１２、Ｐ１１３である。
走査期間１０３は、走査電極１２２−ｉとデータ電極１２９−ｊとの間で書込放電を行って、映像を表す映像データをアドレス（表示セル１３１）に書込む期間であり、その期間は、タイミングＰ１１３、Ｐ１１４、Ｐ１１５、Ｐ１１６、…、Ｐ１１７、Ｐ１１８、Ｐ１１９である。
維持期間１０４は、書込放電が行われた表示セル１３１を映像データに対応して点灯するための維持放電を走査電極１２２−ｉと維持電極１２３−ｉとの間で行う期間であり、その期間は、タイミングＰ１１９、Ｐ１２０である。
【００１１】
初期化期間１０２は、維持消去期間１０８と、プライミング期間１０９と、プライミング消去期間１１０とを含む。
維持消去期間１０８は、維持期間１０４で維持放電が行われたときに蓄積された走査電極１２２−ｉと維持電極１２３−ｉとの間の壁電荷を消去（初期化、リセット）する期間であり、その期間は、タイミングＰ１０６〜Ｐ１０９である。
プライミング期間１０９は、プライミング効果の発生を行う期間であり、その期間は、タイミングＰ１０９〜Ｐ１１１である。
プライミング消去期間１１０は、プライミング効果によって各表示セル１３１内の誘電体層上に蓄積された壁電荷を消去する期間であり、その期間は、タイミングＰ１１１〜Ｐ１１３である。
【００１２】
サブフィールド１０５より前の前サブフィールド１０１の維持期間の駆動波形を説明する。
駆動制御回路１３８によって、維持パルス電位として、維持電極１２３−１〜１２３−ｍには、維持電圧Ｖｓと維持電圧Ｖｓより低い接地電圧ＧＮＤとが交互に印加され、走査電極１２２−１〜１２２−ｍには、接地電圧ＧＮＤと維持電圧Ｖｓとが交互に印加される。駆動制御回路１３８によって、データ電極１２９−１〜１２９−ｎに接地電圧ＧＮＤが印加される。
初期化期間１０２の直前のタイミングＰ１０１にて、駆動制御回路１３８によって、走査電極１２２−１〜１２２−ｍには、接地電圧ＧＮＤが印加され、維持電極１２３−１〜１２３−ｍには、維持電圧Ｖｓが印加されている。
【００１３】
初期化期間１０２の維持消去期間１０８の駆動波形（維持消去期間１０８で電極に印加されるランプ波形）を説明する。
タイミングＰ１０６からＰ１０７まで駆動制御回路１３８によって、走査電極１２２−１〜１２２−ｍに印加された維持電圧Ｖｓが保持される。タイミングＰ１０７からＰ１０８まで駆動制御回路１３８によって、走査電極１２２−１〜１２２−ｍに印加される電圧が、維持電圧Ｖｓから、接地電圧ＧＮＤに徐々に下げられる。タイミングＰ１０８からＰ１０９まで駆動制御回路１３８によって、走査電極１２２−１〜１２２−ｍに印加された接地電圧ＧＮＤが保持される。
タイミングＰ１０６にて駆動制御回路１３８によって、維持電極１２３−１〜１２３−ｍに維持電圧Ｖｓが印加される。タイミングＰ１０６からＰ１０９まで駆動制御回路１３８によって、維持電極１２３−１〜１２３−ｍに印加された維持電圧Ｖｓが保持される。維持電圧Ｖｓは、１７０［Ｖ］程度である。
タイミングＰ１０６からＰ１０９まで駆動制御回路１３８によって、データ電極１２９−１〜１２９−ｎに印加された接地電圧ＧＮＤが保持される。
【００１４】
初期化期間１０２のプライミング期間１０９の駆動波形（プライミング期間１０９で電極に印加されるランプ波形であるプライミング波形）を説明する。
タイミングＰ１０９にて駆動制御回路１３８によって、走査電極１２２−１〜１２２−ｍに維持電圧Ｖｓが印加される。次に、タイミングＰ１０９からＰ１１０まで駆動制御回路１３８によって、走査電極１２２−１〜１２２−ｍに印加される電圧が、維持電圧Ｖｓから、プライミング電圧Ｖｐに徐々に上げられる。プライミング電圧Ｖｐは、維持電圧Ｖｓよりも高く、プライミング電圧Ｖｐの波高値は３８０〜４５０［Ｖ］程度である。次いで、タイミングＰ１１０からＰ１１１まで駆動制御回路１３８によって、走査電極１２２−１〜１２２−ｍに印加されたプライミング電圧Ｖｐが保持される。
タイミングＰ１０９からＰ１１１まで駆動制御回路１３８によって、維持電極１２３−１〜１２３−ｍに接地電圧ＧＮＤが印加される。
タイミングＰ１０９からＰ１１１まで駆動制御回路１３８によって、データ電極１２９−１〜１２９−ｎに印加された接地電圧ＧＮＤが保持される。
【００１５】
初期化期間１０２のプライミング消去期間１１０の駆動波形（プライミング消去期間１１０で電極に印加されるランプ波形）を説明する。
タイミングＰ１１１にて駆動制御回路１３８によって、走査電極１２２−１〜１２２−ｍに印加される電圧が、プライミング電圧Ｖｐから、維持電圧Ｖｓに下げられる。次に、タイミングＰ１１１からＰ１１２まで駆動制御回路１３８によって、走査電極１２２−１〜１２２−ｍに印加される電圧が、維持電圧Ｖｓから、接地電圧ＧＮＤに徐々に下げられる。次いで、タイミングＰ１１２からＰ１１３まで駆動制御回路１３８によって、走査電極１２２−１〜１２２−ｍに印加された接地電圧ＧＮＤが保持される。
タイミングＰ１１１にて駆動制御回路１３８によって、維持電極１２３−１〜１２３−ｍに維持電圧Ｖｓが印加される。次に、タイミングＰ１１１からＰ１１３まで駆動制御回路１３８によって、維持電極１２３−１〜１２３−ｍに印加された維持電圧Ｖｓが保持される。
タイミングＰ１１１からＰ１１３まで駆動制御回路１３８によって、データ電極１２９−１〜１２９−ｎに接地電圧ＧＮＤが印加される。
【００１６】
走査期間１０３の駆動波形を説明する。
タイミングＰ１１３からＰ１１９まで駆動制御回路１３８によって、維持電極１２３−１〜１２３−ｍに印加された維持電圧Ｖｓが保持される。
タイミングＰ１１３にて駆動制御回路１３８によって、走査電極１２２−１〜１２２−ｍに走査ベース電圧Ｖｂｗが印加される。次に、タイミングＰ１１３からＰ１１９まで駆動制御回路１３８によって、走査電極１２２−１〜１２２−ｍに印加された走査ベース電圧Ｖｂｗが保持される。走査ベース電圧Ｖｂｗは、その最低値を基準電圧である接地電圧ＧＮＤとし、その最高値を維持電圧Ｖｓよりも低い設定電圧としたものであり、８０〜１１０［Ｖ］程度である。次いで、走査電極１２２−１〜１２２−ｍに走査ベース電圧Ｖｂｗが印加されているときに、駆動制御回路１３８によって、走査ベース電圧Ｖｂｗを打ち消す走査パルス電位１１１がタイミングＰ１１４、Ｐ１１５、Ｐ１１６、…、Ｐ１１７にて走査電極１２２−１〜１２２−ｍに順次に印加される。走査パルス電位１１１は、走査ベース電圧Ｖｂｗの最高値である設定電圧から、走査ベース電圧Ｖｂｗの最低値である接地電圧ＧＮＤまで電位が下がる負極性パルスである。即ち、走査パルス電位１１１が、タイミングＰ１１４からＰ１１５までに走査電極１２２−１に印加され、タイミングＰ１１５からＰ１１６までに走査電極１２２−２に印加され、…、タイミングＰ１１７からＰ１１８までに走査電極１２２−ｍに印加されたときに、走査ベース電圧Ｖｂｗが、タイミングＰ１１４からＰ１１５まで走査電極１２２−１に印加されず、タイミングＰ１１５からＰ１１６まで走査電極１２２−２に印加されず、…、タイミングＰ１１７からＰ１１８まで走査電極１２２−ｍに印加されない。
走査パルス電位１１１が走査電極１２２−１〜１２２−ｍに印加されたときに、駆動制御回路１３８によって、データ電極１２９−１〜１２９−ｎには、映像データ（表示パターン）に応じたデータパルス電位１１２が印加される。
【００１７】
維持期間１０４の駆動波形（ランプ波形）を説明する。
駆動制御回路１３８によって、維持パルス電位である一次維持パルス電位として接地電圧ＧＮＤが走査電極１２２−１〜１２２−ｍに印加され、維持パルス電位である一次維持パルス電位として維持電圧Ｖｓが維持電極１２３−１〜１２３−ｍに印加される。以降、タイミングＰ１２０まで駆動制御回路１３８によって、維持パルス電位として、走査電極１２２−１〜１２２−ｍには、維持電圧Ｖｓと接地電圧ＧＮＤとが交互に印加され、維持電極１２３−１〜１２３−ｍには、接地電圧ＧＮＤと維持電圧Ｖｓとが交互に印加される。
タイミングＰ１１９からＰ１２０まで駆動制御回路１３８によって、データ電極１２９−１〜１２９−ｎに接地電圧ＧＮＤが印加される。
【００１８】
次に、従来のプラズマディスプレイ装置の各期間の役割について説明する。
【００１９】
まず、初期化期間１０２について説明する。初期化期間１０２の前には、前サブフィールド１０１の維持期間が存在する。この前サブフィールド１０１で維持放電が行なわれているかいないかで、表示セル１３１内の各電極上に設けられた誘電体層（走査電極１２２−ｉ上に設けられた透明誘電体層１２４、維持電極１２３−ｉに設けられた透明誘電体層１２４、データ電極１２９−ｊに設けられた白色誘電体層１２８）上に、放電によって蓄積される電荷である壁電荷の形成量が異なる。このまま、次の書込放電を行なうと、この異なる壁電荷量の影響を受け、書込放電を行いづらくなったり、書込放電を行わないタイミングで誤って書込放電を行なってしまったりする。
維持期間において、維持放電の放電強度が大きい。このため、維持放電が発生すると、放電空間１２６に大量の空間電荷が発生する。この空間電荷は、表示セル１３１内の電界により引きつけられ、各電極上に設けられた誘電体層上に蓄積される。空間電荷の量が多いため、表示セル１３１内の各電極上には電界がゼロになるように壁電荷が蓄積される。このとき、各電極上に蓄積される壁電荷は、タイミングＰ１０１において、図２０（ａ）に示されるような状態（配置）となり、維持電極１２３−ｉ、データ電極１２９−ｊ上の全てに正壁電荷＋ｅが蓄積され、走査電極１２２−ｉ上の全てに負壁電荷−ｅが蓄積される。この壁電荷により、走査電極１２２−ｉと維持電極１２３−ｉとの間（放電ギャップ１３４）には、ほぼ維持電圧Ｖｓに等しい壁電圧（壁電荷により電極−誘電体層間に形成された電圧）が形成されている。
【００２０】
この初期化期間１０２の役割は、
（１）前サブフィールド１０１の維持期間での点灯状態における、各表示セル１３１内の誘電体層上に蓄積される壁電荷を消去（初期化、リセット）する、
（２）走査期間１０３で画素に表示する際に書込放電を行いやすくするためのプライミング効果を発生させる、
ことである。上記（１）の処理では、壁電荷の消去（初期化、リセット）を行うことによって、画素（表示セル１３１）を強制的に放電させる。
初期化期間１０２では、維持消去期間１０８で上記（１）の処理を行い、プライミング期間１０９とプライミング消去期間１１０とで上記（２）の処理を行う。維持消去期間１０８では、前サブフィールド１０１で維持放電が発生していた場合のみ放電が発生する。プライミング期間１０９とプライミング消去期間１１０では、前サブフィールド１０１での維持放電の発生の有無に関係なく放電が発生する。
【００２１】
次に、維持消去期間１０８、プライミング期間１０９、プライミング消去期間１１０について説明する。
前サブフィールド１０１の維持期間から維持消去期間１０８に移行すると、徐々に走査電極１２２−ｉと維持電極１２３−ｉとの間の放電空間１２６にかかる電位差が増大し、弱放電と呼ばれる微弱な放電が持続的に発生する。この弱放電は放電強度が小さい。このため、弱放電は放電ギャップ１３４近傍でのみ発生する。このとき、走査電極１２２−ｉ、維持電極１２３−ｉ上の放電ギャップ１３４近傍に蓄積された壁電荷が減少し、各電極上に蓄積される壁電荷は、タイミングＰ１０８において、図２０（ｂ）に示されるような状態（配置）となる。即ち、走査電極１２２−ｉ上の放電ギャップ１３４近傍に蓄積された負壁電荷−ｅと、維持電極１２３−ｉ上の放電ギャップ１３４近傍に蓄積された正壁電荷＋ｅとが減少し、維持電極１２３−ｉ上の放電ギャップ１３４近傍には負壁電荷−ｅが蓄積される。
【００２２】
維持消去期間１０８からプライミング期間１０９に移行すると、走査電極１２２−ｉと維持電極１２３−ｉとの間で発生する弱放電の他に、走査電極１２２−ｉとデータ電極１２９−ｊとの間でも弱放電が発生する。このとき、走査電極１２２−ｉ、維持電極１２３−ｉ、データ電極１２９−ｊ上の放電ギャップ１３４近傍に壁電荷が弱放電によって蓄積され、各電極上に蓄積される壁電荷は、タイミングＰ１１０において、図２０（ｃ）に示されるような状態（配置）となる。即ち、走査電極１２２−ｉ上の放電ギャップ１３４近傍に負壁電荷−ｅが更に蓄積され、維持電極１２３−ｉ上の放電ギャップ１３４近傍に正壁電荷＋ｅが更に蓄積され、データ電極１２９−ｊ上の放電ギャップ１３４近傍と走査電極１２２−ｉに対向する面とには正壁電荷＋ｅが更に蓄積される。
【００２３】
プライミング期間１０９からプライミング消去期間１１０に移行すると、放電ギャップ１３４近傍で弱放電が発生する。このとき、プライミング期間１０９で走査電極１２２−ｉ、維持電極１２３−ｉ、データ電極１２９−ｊ上の放電ギャップ１３４近傍に蓄積された壁電荷が減少し、各電極上に蓄積される壁電荷は、タイミングＰ１１２において、図２０（ｄ）に示されるような状態（配置）となる。即ち、走査電極１２２−ｉ上の放電ギャップ１３４近傍に蓄積された負壁電荷−ｅと、維持電極１２３−ｉ上の放電ギャップ１３４近傍に蓄積された正壁電荷＋ｅと、データ電極１２９−ｊ上の放電ギャップ１３４近傍に蓄積された正壁電荷＋ｅとが減少し、維持電極１２３−ｉ上の放電ギャップ１３４近傍には負壁電荷−ｅが蓄積される。
【００２４】
次に、走査期間１０３について説明する。駆動制御回路１３８は、走査期間１０３中に、走査電極１２２−ｉとデータ電極１２９−ｊとの間で書込放電を行って映像データをアドレス（表示セル１３１）に書込むために、走査パルス電位１１１を走査電極１２２−１〜１２２−ｍに順次に印加したときに、データ電極１２９−１〜１２９−ｎに映像データ（表示パターン）に応じたデータパルス電位１１２を印加する。このときの各電極上に蓄積される壁電荷は、図２０（ｅ）に示されるような状態（配置）である。即ち、走査電極１２２−ｉ上に蓄積された負壁電荷−ｅと、維持電極１２３−ｉ上に蓄積された正壁電荷＋ｅと、データ電極１２９−ｊ上に蓄積された正壁電荷＋ｅとが減少し、走査電極１２２−ｉ上の全てに正壁電荷＋ｅが蓄積され、維持電極１２３−ｉ上の全てに負壁電荷−ｅが蓄積される。
【００２５】
データパルス電位１１２がデータ電極１２９−１〜１２９−ｎに印加された画素（表示セル１３１）では、走査電極１２２−ｉとデータ電極１２９−ｊとの間の放電空間１２６に壁電荷が重畳されて、走査電極１２２−ｉとデータ電極１２９−ｊとの間には放電開始電圧を超えた電圧が印加される。このため、走査電極１２２−ｉとデータ電極１２９−ｊとの間で書込放電が発生する。書込放電が発生したときの走査電極１２２−ｉと維持電極１２３−ｉとの電位差はＶｓである。これだけの電位差があると、書込放電が走査電極１２２−ｉとデータ電極１２９−ｊとの間で発生したときに、走査電極１２２−ｉと維持電極１２３−ｉとの間で面放電が誘発される。このとき、維持電極１２３−ｉ上には負壁電荷−ｅが蓄積され、走査電極１２２−ｉ上には正壁電荷＋ｅが蓄積され、各電極上に蓄積される壁電荷は、図２０（ｄ）に示されるような状態（配置）から、タイミングＰ１１９において、図２０（ｅ）に示されるような状態（配置）となる。
一方、データパルス電位１１２がデータ電極１２９−１〜１２９−ｎに印加されない画素（表示セル１３１）では、放電開始電圧を超えないために書込放電が発生せず、図２０（ｄ）に示されるような状態（配置）のままである。
このように、データ電極１２９−１〜１２９−ｎに印加されるデータパルス電位１１２の有無により、２種類の壁電荷の状態（配置）を作り出すことができる。
【００２６】
次に、維持期間１０４について説明する。走査パルス電位１１１を全ライン（走査電極１２２−１〜１２２−ｍ）に印加し終わると、駆動制御回路１３８は、書込放電が行われた表示セル１３１を映像データに対応して点灯する維持放電を走査電極１２２−ｉと維持電極１２３−ｉとの間で行うために、走査期間１０３から維持期間１０４に移行する。維持電圧Ｖｓが維持パルス電位として、走査電極１２２−１〜１２２−ｍと維持電極１２３−１〜１２３−ｍとに交互に印加される。維持電圧Ｖｓ（維持パルス電位）は、書込放電が発生しない画素で、走査電極１２２−ｉと維持電極１２３−ｉとの間の放電（面放電）が開始しない電圧に設定してある。
【００２７】
書込放電が発生した画素では、走査電極１２２−ｉ上には正壁電荷＋ｅが蓄積され、維持電極１２３−ｉ上には負壁電荷−ｅが蓄積されている。このため、この正負の壁電荷は、走査電極１２２−ｉに印加される最初の正の維持パルス電位（第一維持パルス電位と呼ぶ）に重畳される。このとき、放電開始電圧以上の電圧が放電空間１２６に印加され、維持放電が発生する。この維持放電により、走査電極１２２−ｉ上には負の壁電荷が蓄積され、維持電極１２３−ｉ上には正の壁電荷が蓄積される。
この壁電荷は、維持電極１２３−ｉに印加される次の維持パルス電位（第二維持パルス電位と呼ぶ）に重畳される。このとき、放電開始電圧以上の電圧が放電空間１２６に印加され、維持放電が発生する。この維持放電により、第一維持パルス電位とは逆の極性の壁電荷が、走査電極１２２−ｉ上と維持電極１２３−ｉ上とに蓄積される。即ち、走査電極１２２−ｉ上には正の壁電荷が蓄積され、維持電極１２３−ｉ上には負の壁電荷が蓄積される。
維持期間１０４が終了するまで、維持電圧Ｖｓ（維持パルス電位）が走査電極１２２−１〜１２２−ｍと維持電極１２３−１〜１２３−ｍとに交互に印加されることにより、維持放電が持続的に発生する。維持期間４では、ｘ回目（ｘ＝１、２、３、…）の維持放電により発生した壁電荷による電位差が、（ｘ＋１）回目の維持パルス電位に重畳されて維持放電が持続している。この維持放電の持続回数により発光輝度が決定される。
【００２８】
以上のように、初期化期間１０２、走査期間１０３、維持期間１０４を合わせてサブフィールド１０５と呼ぶ。階調表示を行う場合、１画面の画像情報を表示する期間である１フィールドが、この複数のサブフィード１０５から構成されている。各サブフィールド１０５の維持パルス電位数を変え、各サブフィールド１０５で点灯させるか非点灯にするかによって階調表示を行うことができる。
【００２９】
しかし、従来の３電極ＡＣ型プラズマディスプレイパネルを用いたプラズマディスプレイ装置及びその駆動方法（従来のＰＤＰの駆動方法）では、データパルス電位１１２の電圧が低かったり、データパルス電位１１２のパルス幅が短い場合、面放電が十分誘発されない。この場合、維持電極１２３−ｉに十分な負壁電荷−ｅが蓄積されていないと、書込放電が発生しても、維持期間１０４で維持放電に移行しないという状態となり、誤放電（誤消灯）の原因となる。
【００３０】
第一維持パルス電位が走査電極１２２−ｉに印加されたとき、走査電極１２２−ｉに印加される電圧が維持電圧Ｖｓ、維持電極１２３−ｉに印加される電圧が接地電圧ＧＮＤとなるため、この維持電極１２３−ｉ上に蓄積された負壁電荷−ｅが維持放電への移行に重要な役割を果たす。従来のＰＤＰの駆動方法では、書込放電の前の状態で、図２０（ｄ）に示されるように維持電極１２３−ｉ上に正壁電荷＋ｅが多く蓄積されている。このため、維持電極１２３−ｉ上に蓄積された正壁電荷＋ｅを書込放電によって負壁電荷−ｅに反転させるには多くの電流が必要となる。
【００３１】
従来のＰＤＰの駆動方法では、書込放電を行うときに、走査電極１２２−ｉとデータ電極１２９−ｊとの間の放電の他に、走査電極１２２−ｉと維持電極１２３−ｉとの間の放電に必要な電流を走査電極１２２−ｉに流さなければならない。そのため、１ライン全ての画素で書込放電が発生した場合、書込放電に必要な電流（書込電流）としてピーク値で４２インチパネルで５００〜７００［ｍＡ］程度が走査電極１２２−１〜１２２−ｍ（１ライン）に流れることになる。特に、書込電流のピーク値が基準よりも大きいとき、走査電極１２２−１〜１２２−ｍが配線されたときに生じる抵抗（走査電極配線抵抗）が高いときや走査ドライバの電流供給能力が小さいときに生じる電圧ドロップにより、走査電極１２２−ｉとデータ電極１２９−ｊとに印加される電圧が減少してしまう。
【００３２】
したがって、走査電極１２２−ｉとデータ電極１２９−ｊとに印加される電圧が減少してしまう分、データパルス電位１１２よりも高いデータパルス電位を印加しなければ、書込放電が正常に発生しなくなる。このように、走査電極１２２−１から走査電極１２２−ｍまでの方向（行方向）の表示負荷（走査電極配線抵抗）に依存して、書込放電が正常に発生しなくなくなるということがある。
【００３３】
これを解決するには、データパルス電位を従来のデータパルス電位１１２よりも十分高くする、走査電極配線抵抗を従来の走査電極配線抵抗よりも十分低くする、走査ドライバの電流供給能力を従来の電流供給能力よりも十分高いものにする、などの方法がある。
しかしながら、データパルス電位を従来のデータパルス電位１１２よりも十分高くすること、走査ドライバの電流供給能力を従来の電流供給能力よりも十分高いものにすることは、プラズマディスプレイ装置を駆動するためのコストが従来のプラズマディスプレイ装置よりも高くなってしてしまう。また、走査電極配線抵抗を従来の走査電極配線抵抗よりも十分低くするために、走査電極１２２−ｉの膜厚を増加する場合、その膜厚を増加するために使用する電極材料の増加、スループットの低下に伴うコストが従来のプラズマディスプレイ装置よりも高くなってしてしまう。
【００３４】
【特許文献１】
特開２００１−３５０４４５号公報
【特許文献２】
特開２００１−２９６８３４号公報
【特許文献３】
特開２０００−２３１３６１号公報
【特許文献４】
特開２０００−２０６９３３号公報
【特許文献５】
特開２０００−２１４８２２号公報
【特許文献６】
特開２００１−１３４２３２号公報
【特許文献７】
特開２００１−１８４０２１号公報
【特許文献８】
特開２００１−２７２９４６号公報
【特許文献９】
特開２００２−１３２２０７号公報
【特許文献１０】
特開平１０−１０５１１１号公報
【特許文献１１】
特開２００１−１８４０２３号公報
【特許文献１２】
特開２００１−２２８８２０号公報
【特許文献１３】
特開２００２−２２９５０８号公報
【特許文献１４】
特開平１１−０２４６２６号公報
【特許文献１５】
特開平１１−３２７５０５号公報
【００３５】
【発明が解決しようとする課題】
本発明の目的は、書込放電を正常に発生させることができるプラズマディスプレイパネルの駆動方法、及び、プラズマディスプレイ装置を提供することにある。
本発明の他の目的は、従来に比べて低いデータパルス電位で書込放電を正常に発生させることができるプラズマディスプレイパネルの駆動方法、及び、プラズマディスプレイ装置を提供することにある。
本発明の更に他の目的は、表示負荷に依存せずに書込放電を正常に発生させることができるプラズマディスプレイパネルの駆動方法、及び、プラズマディスプレイ装置を提供することにある。
本発明の他の目的は、製作、運転（駆動）に伴うコストを低減するプラズマディスプレイパネルの駆動方法、及び、プラズマディスプレイ装置を提供することにある。
【００３６】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００３７】
上記課題を解決するために、本発明のプラズマディスプレイの駆動方法は、互いに対向させた２枚の第一および第二の絶縁基板（２０、２１）のうち、第一の絶縁基板（２０）に走査電極（２２−ｉ；ｉ＝１、２、…、ｍ）と維持電極（２３−ｉ）とを互いに平行となるように配置した電極対を複数配置し、第二の絶縁基板（２１）に前記走査電極（２２−ｉ）および維持電極（２３−ｉ）に直交するように複数のデータ電極（２９−ｊ；ｊ＝１、２、…、ｎ）を配置され、前記各電極は誘電体層で覆われたプラズマディスプレイパネルの駆動方法で、映像データに対応して、前記走査電極（２２−ｉ）毎に、前記データ電極（２９−ｊ）の電位を変化させ、前記走査電極（２２−ｉ）と前記データ電極（２９−ｊ）の間の書込放電の有無により映像データを書き込む走査期間（３）と、前記走査期間（３）に書込まれた映像データに対応して表示を行うために維持パルスを繰り返し印加し維持放電を繰り返す維持期間（４）と、前記維持期間（４）の状態をリセットし初期化する初期化期間（２）が、走査期間（３）、維持期間（４）、初期化期間（２）の順で繰り返される駆動方法において、前記初期化期間（２）に、前記維持期間（４）の最後に印加した前記維持パルスとは逆極性の電圧方向に電位差が徐々に増大するように第一壁電荷調整期間（１３）を前記走査電極（２２−ｉ）と前記共通電極の間に印加し、その後、前記第一壁電荷調整期間（１３）よりも急激に前記電位差が変化し、前記維持パルスの前記走査電極（２２−ｉ）と前記維持電極（２３−ｉ）の電位差よりも小さい電圧の壁電荷調整電圧分、前期走査電極（２２−ｉ）と前記維持電極（２３−ｉ）の間の電位差を、前記第一壁電荷調整期間（１３）の最終到達電位差よりも増加させるような壁電荷調整パルスを、前記走査電極（２２−ｉ）と前記維持電極（２３−ｉ）の間に印加し、さらにその後、前記第一壁電荷調整期間（１３）とは逆方向に前記走査電極（２２−ｉ）と前記共通電極の電位差が徐々に増大する第二のランプ波形を前記走査電極（２２−ｉ）と前記維持電極（２３−ｉ）の間に印加することを特徴とする。
【００３８】
好ましくは、前記第一壁電荷調整期間（１３）の電圧の変化割合が１０［Ｖ／μｓｅｃ］以下であることを特徴とする。
【００３９】
また、好ましくは、前記壁電荷調整パルスの開始の電圧の変化割合が２０［Ｖ／μｓｅｃ］以上であることを特徴とする。
【００４０】
この他好ましくは、前記第二のランプ波形の電圧の変化割合が１０［Ｖ／μｓｅｃ］以下であることを特徴とする。
【００４１】
ドライバの出力電位数を少なくするために好ましくは、前記維持パルスが、前記走査電極（２２−ｉ）と前記維持電極（２３−ｉ）に交互に第一の電位（Ｖｓ）と前記第一の電位（Ｖｓ）より低い第二の電位（ＧＮＤ）を繰り返し印加することにより構成され、前記第一壁電荷調整期間（１３）が、前記走査電極（２２−ｉ）電位を前記第一の電位（Ｖｓ）にし、前記維持電極（２３−ｉ）電位を前記第一の電位（Ｖｓ）から前記第一の電位（Ｖｓ）と前記第二の電位（ＧＮＤ）の中間の第三の電位（Ｖｓｓ）に徐々に変化させることより構成され、前記壁電荷調整パルスが、前記維持電極（２３−ｉ）電位を前記第三の電位（Ｖｓｓ）から前記第二の電位（ＧＮＤ）に変化させることにより構成されていることを特徴とする。
【００４２】
また、ドライバの出力電位数を少なくするために好ましくは、前記維持パルスが、前記走査電極（２２−ｉ）と前記維持電極（２３−ｉ）に交互に第一の電位（Ｖｓ）と前記第一の電位（Ｖｓ）より低い第二の電位（ＧＮＤ）を繰り返し印加することにより構成され、前記第一壁電荷調整期間（１３）が、前記走査電極（２２−ｉ）電位を前記第一の電位（Ｖｓ）と前記第二の電位（ＧＮＤ）の中間の第四の電位（Ｖｂ）にし、前記維持電極（２３−ｉ）電位を前記第一の電位（Ｖｓ）から前記第二の電位（ＧＮＤ）に徐々に変化させることより構成され、前記壁電荷調整パルスが、前記走査電極（２２−ｉ）電位を前記第四の電位（Ｖｂ）から前記第一の電位（Ｖｓ）に変化させることにより構成されていることを特徴とする。
【００４３】
この他、ドライバの出力電位数を少なくするために好ましくは、前記維持パルスが、前記走査電極（２２−ｉ）と前記維持電極（２３−ｉ）に交互に第一の電位（Ｖｓ）と前記第一の電位（Ｖｓ）より低い第二の電位（ＧＮＤ）を繰り返し印加することにより構成され、前記第一壁電荷調整期間（１３）が、前記走査電極（２２−ｉ）電位を第五の電位（Ｖｘ）にし、前記維持電極（２３−ｉ）電位を前記第一の電位（Ｖｓ）から前記第一の電位（Ｖｓ）と前記第二の電位（ＧＮＤ）の中間の第三の電位（Ｖｓｓ）に徐々に変化させることより構成され、前記壁電荷調整パルスが、前記走査電極（２２−ｉ）を前記第五の電位（Ｖｘ）のまま保ち、前記維持電極（２３−ｉ）電位を前記第三の電位（Ｖｓｓ）から前記第二の電位（ＧＮＤ）に変化させることにより構成され、前記第五の電位（Ｖｘ）が、前記初期化期間（２）の直前の前記維持期間（４）で維持放電が発生していない場合に、前記壁電荷調整パルスで、前記維持電極（２３−ｉ）が前記第二の電位（ＧＮＤ）になった際に、前記走査電極（２２−ｉ）と前記維持電極（２３−ｉ）の間で放電が発生する電位未満で前記第一の電位（Ｖｓ）よりも高い電位であることを特徴とする。
【００４４】
また、ドライバの出力電位数を少なくするために好ましくは、維持パルスが、前記走査電極（２２−ｉ）と前記維持電極（２３−ｉ）に交互に第一の電位（Ｖｓ）と前記第一の電位（Ｖｓ）より低い第二の電位（ＧＮＤ）を繰り返し印加することにより構成され、前記第一壁電荷調整期間（１３）が、前記走査電極（２２−ｉ）電位を前記第一の電位（Ｖｓ）にし、前記維持電極（２３−ｉ）電位を前記第一の電位（Ｖｓ）から前記第二の電位（ＧＮＤ）に徐々に変化させることより構成され、前記壁電荷調整パルスが、前記走査電極（２２−ｉ）電位を前記第一の電位（Ｖｓ）から第六の電位（Ｖａ）に変化させることにより構成され、前記第六の電位（Ｖａ）が、前記初期化期間（２）の直前の前記維持期間（４）で維持放電が発生していない場合に、前記壁電荷調整パルスで、前記維持電極（２３−ｉ）が前記第二の電位（ＧＮＤ）になった際に、前記走査電極（２２−ｉ）と前記維持電極（２３−ｉ）の間で放電が発生する電位未満で前記第一の電位（Ｖｓ）よりも高い電位であることを特徴とする。
【００４５】
さらに、好ましくは、前記第一の電位（Ｖｓ）が正の電位であり、前記第二の電位（ＧＮＤ）が接地電位であることを特徴とする。
【００４６】
この他、好ましくは、壁電荷調整パルス終了直後で、前記第二のランプ波形が印加される前に、前記維持電極（２３−ｉ）電位を前記走査期間（３）の前記維持電極電位と同しい第七の電位にまで引き上げることを特徴とする。ここで、前記走査期間（３）の前記維持電極電位は前記第一の電位（Ｖｓ）である。
【００４７】
また、好ましくは、前記壁電荷調整パルスにおいて、前記走査電極（２２−ｉ）と前記維持電極（２３−ｉ）の電位差が、前記第一壁電荷調整期間（１３）の最終到達電位差に壁電荷調整電圧を加えた電位差となっている期間が２［μｓｅｃ］未満であることを特徴とする。
【００４８】
さらに、好ましくは、前記第二のランプ波形が、前記走査電極（２２−ｉ）の電位を前記第一の電位（Ｖｓ）に保ったまま、前記維持電極（２３−ｉ）の電位を、前記第ニの電位（ＧＮＤ）まで徐々に電位を引き下げることにより構成されていることを特徴とする。
【００４９】
この他、本発明のプラズマディスプレイの他の駆動方法は、互いに対向させた２枚の第一および第二の絶縁基板（２０、２１）のうち、第一の絶縁基板（２０）に走査電極（２２−ｉ）と維持電極（２３−ｉ）とを互いに平行となるように配置した電極対を複数配置し、第二の絶縁基板（２１）に前記走査電極（２２−ｉ）および維持電極（２３−ｉ）に直交するように複数のデータ電極（２９−ｊ）を配置され、前記各電極は誘電体層で覆われたプラズマディスプレイパネルの駆動方法で、映像データに対応して、前記走査電極（２２−ｉ）毎に、前記データ電極（２９−ｊ）の電位を変化させ、前記走査電極（２２−ｉ）と前記データ電極（２９−ｊ）の間の書込放電の有無により映像データを書き込む走査期間（３）と、前記走査期間（３）に書込まれた映像データに対応して表示を行うために維持パルスを繰り返し印加し維持放電を繰り返す維持期間（４）と、前記維持期間（４）の状態をリセットし初期化する初期化期間（２）が、走査期間（３）、維持期間（４）、初期化期間（２）の順で繰り返される駆動方法において、前記初期化期間（２）に、前記走査電極（２２−ｉ）と前記共通電極の間に、前記維持期間（４）の最後に印加した前記維持パルスとは逆極性の電圧で、前記維持パルスの前記走査電極（２２−ｉ）と前記維持電極（２３−ｉ）の電位差よりも小さい電圧の壁電荷調整パルスを印加し、その後、前記壁電荷調整パルスとは逆方向に前記走査電極（２２−ｉ）と前記共通電極の電位差が徐々に増大する第三のランプ波形を印加することを特徴とする。
【００５０】
このとき、ドライバ出力電位数を少なくするために好ましくは、前記維持パルスが、前記走査電極（２２−ｉ）と前記維持電極（２３−ｉ）に交互に第一の電位（Ｖｓ）と前記第一の電位（Ｖｓ）より低い第二の電位（ＧＮＤ）を繰り返し印加することにより構成され、前記壁電荷調整パルスが、前記走査電極（２２−ｉ）電位を前記第一の電位（Ｖｓ）とし、前記維持電極（２３−ｉ）電位を前記第一の電位（Ｖｓ）と前記第二の電位（ＧＮＤ）の中間の第八の電位（Ｖｓｅ）にすることにより構成されていることを特徴とする。
【００５１】
また、好ましくは、前記第一の電位（Ｖｓ）が正の電位であり、前記第二の電位（ＧＮＤ）が接地電位であることを特徴とする。
【００５２】
この他、好ましくは、前記第二のランプ波形が、前記走査電極（２２−ｉ）の電位を前記第一の電位（Ｖｓ）に保ったまま、前記維持電極（２３−ｉ）の電位を、前記第ニの電位まで徐々に電位を引き下げることにより構成されていることを特徴とする。
【００５３】
また、これらの本発明の駆動方法は、好ましくは、前記初期化期間（２）の第二のランプ波形の後に、前記走査電極（２２−ｉ）電位を前記第一の電位（Ｖｓ）よりも高い電位に徐々に上昇させるプライミング波形が印加され、前記プライミング波形が印加されている間、前記データ電極（２９−ｊ）の電位を、前記走査期間（３）に書込放電をさせない場合のデータ電極（２９−ｊ）電位と等しくすることを特徴とする。
【００５４】
このとき好ましくは、前記プライミング波形が印加されている期間の維持電極（２３−ｉ）電位が、前記第ニの電位と等しいことを特徴とする。
【００５５】
また、好ましくは、プライミング波形の前後または後ろのみに、前記維持電極（２３−ｉ）に前記第一の電位（Ｖｓ）を印加し、前記走査電極（２２−ｉ）に前記第一の電位（Ｖｓ）から電位を徐々に減少させる第四のランプ波形を印加し、前記第四のランプ波形の最終到達電位が、前記走査期間（３）に前記書き込み放電を発生させる際に、前記走査電極（２２−ｉ）に印加する第九の電位（１１）と等しいか、前記第九の電位（１１）より高い電位であることを特徴とする。
【００５６】
この他、好ましくは、前記第二の電位（ＧＮＤ）および第九の電位（１１）が接地電位であることを特徴とする。
【００５７】
さらに、好ましくは、前記プライミング波形が、規則的周期に基づいて、複数の前記初期化期間（２）の内、１または複数回印加されない前記初期化期間（２）があることを特徴とする。
このとき、好ましくは、前記書込放電を発生させる際に前記走査電極（２２−ｉ）に印加する電位が負電位であることを特徴とする。
【００５８】
また、前記プライミング波形が印加されない前記初期化期間（２）において、前記第四のランプ波形が、１回の前記初期化期間（２）には１回しか印加されないことを特徴とする。
【００５９】
本発明（第１実施形態〜第９実施形態）のプラズマディスプレイ装置は、走査電極（２２−ｉ；ｉ＝１、２、…、ｍ）と、維持電極（２３−ｉ）と、データ電極（２９−ｊ；ｊ＝１、２、…、ｎ）と、駆動部（３６）と、制御部（３７）とを具備する。走査電極（２２−ｉ）と維持電極（２３−ｉ）は、互いに平行に設けられている。データ電極（２９−ｊ）は、走査電極（２２−ｉ）と維持電極（２３−ｉ）に対向して設けられ、走査電極（２２−ｉ）と維持電極（２３−ｉ）と直交するように設けられている。駆動部（３６）は、走査電極（２２−ｉ）、維持電極（２３−ｉ）及びデータ電極（２９−ｊ）を駆動する。
サブフィールド（５）は、初期化期間（２）と、走査電極（２２−ｉ）とデータ電極（２９−ｊ）間で書込放電を行って映像を表す映像データをセル（３１）に書込むための走査期間（３）と、書込放電が行われたセル（３１）を映像データに対応して点灯する維持放電を走査電極（２２−ｉ）と維持電極（２３−ｉ）間で行う維持期間（４）とを含む。
初期化期間（２）は、維持放電が行われたときに蓄積された走査電極（２２−ｉ）と維持電極（２３−ｉ）間の電荷を調整するための壁電荷調整放電を行う壁電荷調整期間（６）と、消去期間（８、１０）とを含む。
制御部（３７）は、以下の方法で駆動部（３６）を駆動する。
制御部（３７）は、壁電荷調整期間（６）中に、維持放電よりも放電強度が弱い壁電荷調整放電が走査電極（２２−ｉ）と維持電極（２３−ｉ）間で発生するように駆動部（３６）を駆動する。
制御部（３７）は、壁電荷調整期間（６）の後の消去期間（８、１０）中に、壁電荷調整放電が走査電極（２２−ｉ）と維持電極（２３−ｉ）間で発生するときの壁電荷調整期間電位差とは逆極性の消去期間電位差に徐々に増大する消去電位を走査電極（２２−ｉ）と維持電極（２３−ｉ）間に印加するように駆動部（３６）を駆動する。
本発明（第１実施形態〜第９実施形態）のプラズマディスプレイ装置は、維持期間（４）で維持放電が行われたときに蓄積された走査電極（２２−ｉ）と維持電極（２３−ｉ）間の電荷を、壁電荷調整期間（６）で調整することにより、走査期間（３）で行われる書込放電を正常に発生させることができる。
【００６０】
本発明（第１実施形態〜第８実施形態）のプラズマディスプレイ装置において、上記の壁電荷調整期間（６）は、第一壁電荷調整期間（１３）と第二壁電荷調整期間（１４）とを含み、制御部（３７）は、以下の方法で駆動部（３６）を駆動する。
制御部（３７）は、維持期間（４）中に、維持パルス電位を走査電極（２２−ｉ）と維持電極（２３−ｉ）とに交互に印加するように駆動部（３６）を駆動する。
制御部（３７）は、第一壁電荷調整期間（１３）中に、維持期間（４）の最後に維持パルス電位が走査電極（２２−ｉ）と維持電極（２３−ｉ）間に印加されたときの維持期間電位差とは逆極性の第一壁電荷調整期間電位差に徐々に増大する調整電位を走査電極（２２−ｉ）と維持電極（２３−ｉ）間に印加するように駆動部（３６）を駆動する。
制御部（３７）は、第二壁電荷調整期間（１４）中に、第一壁電荷調整期間電位差よりも大きい第二壁電荷調整期間電位差に急激に変化する壁電荷調整パルス電位を走査電極（２２−ｉ）と維持電極（２３−ｉ）間に印加し、壁電荷調整パルス電位を壁電荷調整パルス幅（Ｐ５〜Ｐ６／Ｐ５〜Ｐ２１）だけ保持するように駆動部（３６）を駆動する。
壁電荷調整パルス幅（Ｐ５〜Ｐ６／Ｐ５〜Ｐ２１）は、走査電極（２２−ｉ）と維持電極（２３−ｉ）間に壁電荷調整パルス電位が印加されている時間を表す。
【００６１】
本発明（第１実施形態〜第５実施形態）のプラズマディスプレイ装置において、制御部（３７）は、以下の方法で駆動部（３６）を駆動する。
制御部（３７）は、維持期間（４）中に、維持パルス電位として、第１電位（Ｖｓ）と第１電位（Ｖｓ）より低い第２電位（ＧＮＤ）とを交互に走査電極（２２−ｉ）に印加し、第２電位（ＧＮＤ）と第１電位（Ｖｓ）とを交互に維持電極（２３−ｉ）に印加するように駆動部（３６）を駆動する。
制御部（３７）は、第一壁電荷調整期間（１３）中に、調整電位として、走査電極（２２−ｉ）に第１電位（Ｖｓ）を印加し、維持電極（２３−ｉ）に印加される電位を第１電位（Ｖｓ）から、第１電位（Ｖｓ）と第２電位（ＧＮＤ）との間の第３電位（Ｖｓｓ）に徐々に下げるように駆動部（３６）を駆動する。
制御部（３７）は、第二壁電荷調整期間（１４）中に、壁電荷調整パルス電位として、走査電極（２２−ｉ）に印加される電位を第１電位（Ｖｓ）に壁電荷調整パルス幅（Ｐ５〜Ｐ６／Ｐ５〜Ｐ２１）だけ保持し、維持電極（２３−ｉ）に印加される電位を第３電位（Ｖｓｓ）から第２電位（ＧＮＤ）に下げて壁電荷調整パルス幅（Ｐ５〜Ｐ６／Ｐ５〜Ｐ２１）だけ第２電位（ＧＮＤ）に保持するように駆動部（３６）を駆動する。
【００６２】
本発明（第６実施形態）のプラズマディスプレイ装置において、制御部（３７）は、以下の方法で駆動部（３６）を駆動する。
制御部（３７）は、維持期間（４）中に、維持パルス電位として、第１電位（Ｖｓ）と第１電位（Ｖｓ）より低い第２電位（ＧＮＤ）とを交互に走査電極（２２−ｉ）に印加し、第２電位（ＧＮＤ）と第１電位（Ｖｓ）とを交互に維持電極（２３−ｉ）に印加するように駆動部（３６）を駆動する。
制御部（３７）は、第一壁電荷調整期間（１３）中に、調整電位として、維持電極（２３−ｉ）に印加される電位を第１電位（Ｖｓ）から、第１電位（Ｖｓ）と第２電位（ＧＮＤ）との間の第３電位（Ｖｓｓ）に徐々に下げ、走査電極（２２−ｉ）に第１電位（Ｖｓ）より高い第４電位（Ｖｘ）を印加するように駆動部（３６）を駆動する。
制御部（３７）は、第二壁電荷調整期間（１４）中に、壁電荷調整パルス電位として、走査電極（２２−ｉ）に印加される電位を第４電位（Ｖｘ）に壁電荷調整パルス幅（Ｐ５〜Ｐ６）だけ保持し、維持電極（２３−ｉ）に印加される電位を第３電位（Ｖｓｓ）から第２電位（ＧＮＤ）に下げて壁電荷調整パルス幅（Ｐ５〜Ｐ６）だけ第２電位（ＧＮＤ）に保持するように駆動部（３６）を駆動する。
第４電位（Ｖｘ）は、維持期間（４）で維持放電が発生していないときに、第二壁電荷調整期間（１４）で走査電極（２２−ｉ）と維持電極（２３−ｉ）間で壁電荷調整放電が発生しない電位である。
【００６３】
本発明（第７実施形態）のプラズマディスプレイ装置において、制御部（３７）は、以下の方法で駆動部（３６）を駆動する。
制御部（３７）は、維持期間（４）中に、維持パルス電位として、第１電位（Ｖｓ）と第１電位（Ｖｓ）より低い第２電位（ＧＮＤ）とを交互に走査電極（２２−ｉ）に印加し、第２電位（ＧＮＤ）と第１電位（Ｖｓ）とを交互に維持電極（２３−ｉ）に印加するように駆動部（３６）を駆動する。
制御部（３７）は、第一壁電荷調整期間（１３）中に、調整電位として、走査電極（２２−ｉ）に第１電位（Ｖｓ）と第２電位（ＧＮＤ）との間の第５電位（Ｖｂ）を印加し、維持電極（２３−ｉ）に印加される電位を第１電位（Ｖｓ）から第２電位（ＧＮＤ）に徐々に下げるように駆動部（３６）を駆動する。
制御部（３７）は、第二壁電荷調整期間（１４）中に、壁電荷調整パルス電位として、維持電極（２３−ｉ）に印加される電位を第２電位（ＧＮＤ）に壁電荷調整パルス幅（Ｐ５〜Ｐ６）だけ保持し、走査電極（２２−ｉ）に印加される電位を第５電位（Ｖｂ）から第１電位（Ｖｓ）に上げて壁電荷調整パルス幅（Ｐ５〜Ｐ６）だけ第１電位（Ｖｓ）に保持するように駆動部（３６）を駆動する。
【００６４】
本発明（第８実施形態）のプラズマディスプレイ装置において、制御部（３７）は、以下の方法で駆動部（３６）を駆動する。
制御部（３７）は、維持期間（４）中に、維持パルス電位として、第１電位（Ｖｓ）と第１電位（Ｖｓ）より低い第２電位（ＧＮＤ）とを交互に走査電極（２２−ｉ）に印加し、第２電位（ＧＮＤ）と第１電位（Ｖｓ）とを交互に維持電極（２３−ｉ）に印加するように駆動部（３６）を駆動する。
制御部（３７）は、第一壁電荷調整期間（１３）中に、調整電位として、走査電極（２２−ｉ）に第１電位（Ｖｓ）を印加し、維持電極（２３−ｉ）に印加される電位を第１電位（Ｖｓ）から第２電位（ＧＮＤ）に徐々に下げるように駆動部（３６）を駆動する。
制御部（３７）は、第二壁電荷調整期間（１４）中に、壁電荷調整パルス電位として、維持電極（２３−ｉ）に印加される電位を第２電位（ＧＮＤ）に壁電荷調整パルス幅（Ｐ５〜Ｐ６）だけ保持し、走査電極（２２−ｉ）に印加される電位を第１電位（Ｖｓ）から、第１電位（Ｖｓ）より高い第６電位（Ｖａ）に上げて壁電荷調整パルス幅（Ｐ５〜Ｐ６）だけ第６電位（Ｖａ）に保持するように駆動部（３６）を駆動する。
第６電位（Ｖａ）は、維持期間（４）で維持放電が発生していないときに、第二壁電荷調整期間（１４）で走査電極（２２−ｉ）と維持電極（２３−ｉ）間で壁電荷調整放電が発生しない電位である。
【００６５】
本発明（第１実施形態〜第６実施形態）のプラズマディスプレイ装置では、第一壁電荷調整期間（１３）中に、第１電位（Ｖｓ）が下がり始める時刻から、第３電位（Ｖｓｓ）に下がりきる時刻までの電位の平均変化率を示す変化割合が、１０［Ｖ／μｓｅｃ］以下であることが好ましい。
【００６６】
本発明（第１実施形態〜第６実施形態）のプラズマディスプレイ装置では、第二壁電荷調整期間（１４）中に、第３電位（Ｖｓｓ）が下がり始める時刻から、第２電位（ＧＮＤ）に下がりきる時刻までの電位の平均変化率を示す変化割合が、２０［Ｖ／μｓｅｃ］以上であることが好ましい。
【００６７】
本発明（第７実施形態、第８実施形態）のプラズマディスプレイ装置では、第一壁電荷調整期間（１３）中に、第１電位（Ｖｓ）が下がり始める時刻から、第２電位（ＧＮＤ）に下がりきる時刻までの電位の平均変化率を示す変化割合が、１０［Ｖ／μｓｅｃ］以下であることが好ましい。
【００６８】
本発明（第１実施形態〜第８実施形態）のプラズマディスプレイ装置では、第二壁電荷調整期間（１４）中での壁電荷調整パルス幅（Ｐ５〜Ｐ６／Ｐ５〜Ｐ２１）が、２［μｓｅｃ］未満であることが好ましい。
【００６９】
本発明（第９実施形態）のプラズマディスプレイ装置において、制御部（３７）は、以下の方法で駆動部（３６）を駆動する。
制御部（３７）は、維持期間（４）中に、維持パルス電位を走査電極（２２−ｉ）と維持電極（２３−ｉ）とに交互に印加するように駆動部（３６）を駆動する。
制御部（３７）は、壁電荷調整期間（６）中に、維持期間（４）の最後に維持パルス電位が走査電極（２２−ｉ）と維持電極（２３−ｉ）間に印加されたときの維持期間電位差とは逆極性の壁電荷調整期間電位差を維持パルス電位よりも小さい調整電位として走査電極（２２−ｉ）と維持電極（２３−ｉ）間に印加するように駆動部（３６）を駆動する。
【００７０】
本発明（第９実施形態）のプラズマディスプレイ装置において、制御部（３７）は、以下の方法で駆動部（３６）を駆動する。
制御部（３７）は、維持期間（４）中に、維持パルス電位として、第１電位（Ｖｓ）と第１電位（Ｖｓ）より低い第２電位（ＧＮＤ）とを交互に走査電極（２２−ｉ）に印加し、第２電位（ＧＮＤ）と第１電位（Ｖｓ）とを交互に維持電極（２３−ｉ）に印加するように駆動部（３６）を駆動する。
制御部（３７）は、壁電荷調整期間（６）中に、調整電位として、走査電極（２２−ｉ）に印加される電位を第１電位（Ｖｓ）に保持し、維持電極（２３−ｉ）に第１電位（Ｖｓ）と第２電位（ＧＮＤ）との間の第７電位（Ｖｓｅ）を印加するように駆動部（３６）を駆動する。
【００７１】
本発明（第１実施形態、第２実施形態、第７実施形態）のプラズマディスプレイ装置において、上記の消去期間（８、１０）は、維持消去期間（８）を含み、制御部（３７）は、以下の方法で駆動部（３６）を駆動する。
制御部（３７）は、維持消去期間（８）中に、維持電極（２３−ｉ）に第８電位（Ｖｓ）を印加し、走査電極（２２−ｉ）に印加される電位を第１電位（Ｖｓ）から第２電位（ＧＮＤ）に徐々に下げるように駆動部（３６）を駆動する。ここで、第８電位（Ｖｓ）は、走査期間（３）中に維持電極（２３−ｉ）に印加される電位である。
【００７２】
本発明（第６実施形態）のプラズマディスプレイ装置において、上記の消去期間（８、１０）は、維持消去期間（８）を含み、制御部（３７）は、以下の方法で駆動部（３６）を駆動する。
制御部（３７）は、維持消去期間（８）中に、維持電極（２３−ｉ）に第８電位（Ｖｓ）を印加し、走査電極（２２−ｉ）に印加される電位を第４電位（Ｖｘ）から第２電位（ＧＮＤ）に徐々に下げるように駆動部（３６）を駆動する。ここで、第８電位（Ｖｓ）は、走査期間（３）中に維持電極（２３−ｉ）に印加される電位である。
【００７３】
本発明（第８実施形態）のプラズマディスプレイ装置において、上記の消去期間（８、１０）は、維持消去期間（８）を含み、制御部（３７）は、以下の方法で駆動部（３６）を駆動する。
制御部（３７）は、維持消去期間（８）中に、維持電極（２３−ｉ）に第８電位（Ｖｓ）を印加し、走査電極（２２−ｉ）に印加される電位を第６電位（Ｖａ）から第２電位（ＧＮＤ）に徐々に下げるように駆動部（３６）を駆動する。ここで、第８電位（Ｖｓ）は、走査期間（３）中に維持電極（２３−ｉ）に印加される電位である。
【００７４】
本発明（第４実施形態）のプラズマディスプレイ装置において、上記の初期化期間（２）は、補助維持消去期間（７）を含み、上記の消去期間（８、１０）は、維持消去期間（８）を含む。制御部（３７）は、以下の方法で駆動部（３６）を駆動する。
制御部（３７）は、補助維持消去期間（７）中に、走査電極（２２−ｉ）に印加される電位を第１電位（Ｖｓ）に保持し、維持電極（２３−ｉ）に第８電位（Ｖｓ）を印加し、維持電極（２３−ｉ）に印加される電位を第８電位（Ｖｓ）から第２電位（ＧＮＤ）に徐々に下げるように駆動部（３６）を駆動する。
制御部（３７）は、維持消去期間（８）中に、維持電極（２３−ｉ）に第８電位（Ｖｓ）を印加し、走査電極（２２−ｉ）に印加される電位を第１電位（Ｖｓ）から第２電位（ＧＮＤ）に徐々に下げるように駆動部（３６）を駆動する。
ここで、第８電位（Ｖｓ）は、走査期間（３）中に維持電極（２３−ｉ）に印加される電位である。
【００７５】
本発明（第５実施形態）のプラズマディスプレイ装置において、上記の初期化期間（２）は、補助維持消去期間（７）を含み、制御部（３７）は、以下の方法で駆動部（３６）を駆動する。
制御部（３７）は、補助維持消去期間（７）中に、走査電極（２２−ｉ）に印加される電位を第１電位（Ｖｓ）に保持し、維持電極（２３−ｉ）に第８電位（Ｖｓ）を印加し、維持電極（２３−ｉ）に印加される電位を第８電位（Ｖｓ）から第２電位（ＧＮＤ）に徐々に下げるように駆動部（３６）を駆動する。ここで、第８電位（Ｖｓ）は、走査期間（３）中に維持電極（２３−ｉ）に印加される電位である。
【００７６】
本発明（第９実施形態）のプラズマディスプレイ装置において、上記の消去期間（８、１０）は、維持消去期間（８）を含み、制御部（３７）は、以下の方法で駆動部（３６）を駆動する。
制御部（３７）は、維持消去期間（８）中に、維持電極（２３−ｉ）に印加される電位を第７電位（Ｖｓｅ）から、第７電位（Ｖｓｅ）よりも高い第８電位（Ｖｓ）に上げ、走査電極（２２−ｉ）に印加される電位を第１電位（Ｖｓ）から第２電位（ＧＮＤ）に徐々に下げるように駆動部（３６）を駆動する。ここで、第８電位（Ｖｓ）は、走査期間（３）中に維持電極（２３−ｉ）に印加される電位である。
【００７７】
本発明（第３実施形態）のプラズマディスプレイ装置において、上記の消去期間（８、１０）は、維持消去期間（８）を含み、制御部（３７）は、以下の方法で駆動部（３６）を駆動する。
制御部（３７）は、維持消去期間（８）中に、維持電極（２３−ｉ）に第８電位（Ｖｓ）を印加し、走査電極（２２−ｉ）に印加される電位を第１電位（Ｖｓ）から、第２電位（ＧＮＤ）より低い第９電位（−Ｖｚ）に徐々に下げるように駆動部（３６）を駆動する。ここで、第８電位（Ｖｓ）は、走査期間（３）中に維持電極（２３−ｉ）に印加される電位である。
【００７８】
本発明（第１実施形態、第２実施形態、第４実施形態、第７実施形態、第９実施形態）のプラズマディスプレイ装置では、維持消去期間（８）中に、第１電位（Ｖｓ）が下がり始める時刻から、第２電位（ＧＮＤ）に下がりきる時刻までの電位の平均変化率を示す変化割合が、１０［Ｖ／μｓｅｃ］以下であることが好ましい。
【００７９】
本発明（第６実施形態）のプラズマディスプレイ装置では、維持消去期間（８）中に、第４電位（Ｖｘ）が下がり始める時刻から、第２電位（ＧＮＤ）に下がりきる時刻までの電位の平均変化率を示す変化割合が、１０［Ｖ／μｓｅｃ］以下であることが好ましい。
【００８０】
本発明（第８実施形態）のプラズマディスプレイ装置では、維持消去期間（８）中に、第６電位（Ｖａ）が下がり始める時刻から、第２電位（ＧＮＤ）に下がりきる時刻までの電位の平均変化率を示す変化割合が、１０［Ｖ／μｓｅｃ］以下であることが好ましい。
【００８１】
本発明（第３実施形態）のプラズマディスプレイ装置では、維持消去期間（８）中に、第１電位（Ｖｓ）が下がり始める時刻から、第９電位（−Ｖｚ）に下がりきる時刻までの電位の平均変化率を示す変化割合が、１０［Ｖ／μｓｅｃ］以下であることが好ましい。
【００８２】
本発明（第４実施形態、第５実施形態）のプラズマディスプレイ装置では、補助維持消去期間（７）中に、第８電位（Ｖｓ）が下がり始める時刻から、第２電位（ＧＮＤ）に下がりきる時刻までの電位の平均変化率を示す変化割合が、１０［Ｖ／μｓｅｃ］以下であることが好ましい。
【００８３】
本発明（第１実施形態、第２実施形態、第４実施形態〜第９実施形態）のプラズマディスプレイ装置において、上記の初期化期間（２）は、プライミング期間（９）を含み、上記の消去期間（８、１０）は、プライミング消去期間（１０）を含む。制御部（３７）は、以下の方法で駆動部（３６）を駆動する。
制御部（３７）は、プライミング期間（９）中に、維持電極（２３−ｉ）に第２電位（ＧＮＤ）を印加し、走査電極（２２−ｉ）に第１電位（Ｖｓ）を印加し、走査電極（２２−ｉ）に印加される電位を第１電位（Ｖｓ）から、第１電位（Ｖｓ）よりも高い第１０電位（Ｖｐ）に徐々に上げるように駆動部（３６）を駆動する。
制御部（３７）は、プライミング期間（９）の後のプライミング消去期間（１０）中に、維持電極（２３−ｉ）に第８電位（Ｖｓ）を印加し、走査電極（２２−ｉ）に印加される電位を第１０電位（Ｖｐ）から第１電位（Ｖｓ）に下げた後、第１電位（Ｖｓ）から第２電位（ＧＮＤ）に徐々に下げるように駆動部（３６）を駆動する。
【００８４】
本発明（第３実施形態）のプラズマディスプレイ装置において、上記の初期化期間（２）は、プライミング期間（９）を含み、消去期間（８、１０）は、プライミング消去期間（１０）を含む。制御部（３７）は、以下の方法で駆動部（３６）を駆動する。
制御部（３７）は、プライミング期間（９）中に、維持電極（２３−ｉ）に第２電位（ＧＮＤ）を印加し、走査電極（２２−ｉ）に第１電位（Ｖｓ）を印加し、走査電極（２２−ｉ）に印加される電位を第１電位（Ｖｓ）から、第１電位（Ｖｓ）よりも高い第１０電位（Ｖｐ）に徐々に上げるように駆動部（３６）を駆動する。
制御部（３７）は、プライミング期間（９）の後のプライミング消去期間（１０）中に、維持電極（２３−ｉ）に第８電位（Ｖｓ）を印加し、走査電極（２２−ｉ）に印加される電位を第１０電位（Ｖｐ）から第１電位（Ｖｓ）に下げた後、第１電位（Ｖｓ）から第９電位（−Ｖｚ）に徐々に下げるように駆動部（３６）を駆動する。
【００８５】
本発明（第１実施形態、第２実施形態、第４実施形態〜第９実施形態）のプラズマディスプレイ装置において、制御部（３７）は、以下の方法で駆動部（３６）を駆動する。
制御部（３７）は、走査期間（３）中に、維持電極（２３−ｉ）に第８電位（Ｖｓ）を印加し、走査電極（２２−ｉ）に第２電位（ＧＮＤ）よりも高い設定電位を印加した後、設定電位（Ｖｂｗ−ＧＮＤ）から第２電位（ＧＮＤ）に下がる走査パルス電位（１１）を走査電極（２２−ｉ）に印加したときに、上記の映像データに応じたデータパルス電位（１２）をデータ電極（２９−ｊ）に印加するように駆動部（３６）を駆動する。
本発明（第１実施形態、第２実施形態、第４実施形態〜第９実施形態）のプラズマディスプレイ装置は、維持期間（４）で維持放電が行われたときに蓄積された走査電極（２２−ｉ）と維持電極（２３−ｉ）間の電荷を、壁電荷調整期間（６）で調整することにより、走査期間（３）で行われる書込放電を、表示負荷に依存せず且つ従来に比べて低いデータパルス電位（１２）で、正常に発生させることができる。
【００８６】
本発明（第３実施形態）のプラズマディスプレイ装置において、制御部（３７）は、以下の方法で駆動部（３６）を駆動する。
制御部（３７）は、走査期間（３）中に、維持電極（２３−ｉ）に第８電位（Ｖｓ）を印加し、走査電極（２２−ｉ）に第９電位（−Ｖｚ）より高い設定電位（Ｖｂｗ−Ｖｚ）を印加した後、設定電位（Ｖｂｗ−Ｖｚ）から第９電位（−Ｖｚ）に下がる走査パルス電位（１１）を走査電極（２２−ｉ）に印加したときに、上記の映像データに応じたデータパルス電位（１２）をデータ電極（２９−ｊ）に印加するように駆動部（３６）を駆動する。
本発明（第３実施形態）のプラズマディスプレイ装置は、維持期間（４）で維持放電が行われたときに蓄積された走査電極（２２−ｉ）と維持電極（２３−ｉ）間の電荷を、壁電荷調整期間（６）で調整することにより、走査期間（３）で行われる書込放電を、表示負荷に依存せず且つ従来に比べて低いデータパルス電位（１２）で、正常に発生させることができる。
【００８７】
本発明（第３実施形態）のプラズマディスプレイ装置では、プライミング消去期間（１０）中に走査電極（２２−ｉ）に印加される第９電位（−Ｖｚ）である最終到達電位が、走査期間（３）中に走査電極（２２−ｉ）に印加される走査パルス電位（１１）として設定電位（Ｖｂｗ−Ｖｚ）から第９電位（−Ｖｚ）に下がるときの走査パルス電位よりも高く、最終到達電位と走査パルス電位との電位差は、２０［Ｖ］以下であることが好ましい。
【００８８】
本発明（第２実施形態〜第４実施形態、第６実施形態〜第９実施形態）のプラズマディスプレイ装置において、フィールドは、複数のサブフィールド（５）から構成され、制御部（３７）は、フィールドが周期的に実行されるように駆動部（３６）を駆動する。このとき、複数のサブフィールド（５）の各々は順に実行される。
複数のサブフィールド（５）のうちの少なくとも１つのサブフィールド（５）の初期化期間（２）には、プライミング期間（９）とプライミング消去期間（１０）とがに含まれない。
【００８９】
本発明のプラズマディスプレイ装置において、上記の第８電位（Ｖｓ）は、上記の第１電位（Ｖｓ）である。上記の第２電位（ＧＮＤ）は、接地電位である。
【００９０】
【発明の実施の形態】
添付図面を参照して、本発明によるプラズマディスプレイパネルの駆動方法に適用されるプラズマディスプレイ装置として、３電極ＡＣ型プラズマディスプレイパネル（ＰＤＰ）を用いたプラズマディスプレイ装置の実施の形態を以下に説明する。
【００９１】
図１は、本発明のプラズマディスプレイ装置の構成（本発明の３電極ＡＣ型プラズマディスプレイパネルの平面図）を示す。本発明のプラズマディスプレイ装置は、ディスプレイ表示画面３０、ｍ個の走査電極２２（走査電極２２−１〜２２−ｍ；ｍ＝１、２、３、…）、ｍ個の維持電極２３（維持電極２３−１〜２３−ｍ）、ｎ個のデータ電極２９（データ電極２９−１〜２９−ｎ；ｎ＝１、２、３、…）、（ｍ×ｎ）個の表示セル３１を具備する。
（ｍ×ｎ）個の表示セル３１は、ｍ行・ｎ列に配列されている。ｍ行のうちの１つの行に属するｎ個の表示セル３１には、走査電極２２−ｉ（ｉ＝１、２、…、ｍ）と維持電極２３−ｉ（ｉ＝１、２、…、ｍ）とが平行に設けられている。ｎ列のうちの１つの列に属するｍ個の表示セル３１には、走査電極２２−ｉと維持電極２３−ｉとに直交するデータ電極２９−ｊ（ｊ＝１、２、…、ｎ）が設けられている。
走査電極２２−ｉと維持電極２３−ｉとの間には、放電ギャップ３４が第１所定間隔で設けられている。走査電極２２−ｉと維持電極２３−（ｉ−１）との間と、走査電極２２−（ｉ＋１）と維持電極２３−ｉとの間とには、非放電ギャップ３５が第２所定間隔で設けられている。
【００９２】
本発明のプラズマディスプレイ装置には駆動制御回路３８が接続されている。駆動制御回路３８は、駆動部３６と制御部３７とを備えている。駆動部３６は、走査ドライバ（図示しない）、維持ドライバ（図示しない）、データドライバ（図示しない）を備えている。走査電極２２−１〜２２−ｍには走査ドライバが接続され、維持電極２３−１〜２３−ｍには維持ドライバが接続され、データ電極２９−１〜２９−ｎにはデータドライバが接続されている。制御部３７の両端のうちの一端は接地され、制御部３７の両端のうちの他端は駆動部３６に接続されている。制御部３７は、後述する電位を、走査ドライバ、維持ドライバ、データドライバを介して走査電極２２−１〜２２−ｍ、維持電極２３−１〜２３−ｍ、データ電極２９−１〜２９−ｎに供給するように、駆動部３６を駆動する。ここで、電極間、電極−駆動制御回路３８間など２つの間の電位の差を電圧又は電位差と称する。
【００９３】
図２は、図１に示された３電極ＡＣ型プラズマディスプレイパネルの１セルの断面図である。本発明のプラズマディスプレイ装置は、更に、上部絶縁性基板（前面基板）２０、下部絶縁性基板（背面基板）２１、透明誘電体層２４、保護層２５、蛍光体層２７、白色誘電体層２８、ディスプレイ表示画面３０、金属トレース電極３２を具備する。
前面基板２０と背面基板２１とは相互に対向し、前面基板２０と背面基板２１としては、ガラス基板が例示される。
【００９４】
前面基板２０と背面基板２１との間、即ち、前面基板２０上には、第１所定間隔で走査電極２２−ｉと維持電極２３−ｉとが互いに平行に設けられている。第１所定間隔は、上記の放電ギャップ３４である。走査電極２２−ｉ、維持電極２３−ｉと背面基板２１との間、即ち、走査電極２２−ｉと維持電極２３−ｉとの上には、配線抵抗を下げるための金属トレース電極３２が積層されている。前面基板２０、走査電極２２−ｉ、維持電極２３−ｉ、金属トレース電極３２と背面基板２１との間、即ち、前面基板２０と走査電極２２−ｉと維持電極２３−ｉと金属トレース電極３２との上には透明誘電体層２４が設けられている。透明誘電体層２４と背面基板２１との間、即ち、透明誘電体層２４上には、透明誘電体層２４を放電から保護する保護層２５が設けられている。保護層２５としては、ＭｇＯが例示される。
【００９５】
保護層２５と背面基板２１との間、即ち、背面基板２１上には、走査電極２２−ｉと維持電極２３−ｉとに直交してデータ電極２９−ｊが設けられている。保護層２５とデータ電極２９−ｊとの間、即ち、データ電極２９−ｊ上には、白色誘電体層２８が設けられている。
保護層２５と白色誘電体層２８との間には、蛍光体層２７として第１蛍光体層２７−１、第２蛍光体層２７−２が設けられる。即ち、白色誘電体層２８上には、第１蛍光体層２７−１が設けられている。第１蛍光体層２７−１上には、上記の表示セル３１として放電空間２６が形成されるように、第１蛍光体層２７−１の両端部から保護層２５まで第１蛍光体層２７−１の垂直上方方向に延びる第２蛍光体層２７−２が設けられている。前面基板２０と背面基板２１との間には、この第２蛍光体層２７−２と第１蛍光体層２７−１の端部と保護層２５と白色誘電体層２８とによって、各表示セル３１を囲うように非放電空間３３が設けられる。第２蛍光体層２７−２は、隔壁として働く。この隔壁（第２蛍光体層２７−２）は、放電空間２６を確保するとともに画素（表示セル３１）を区切る役割を果たしている。放電空間２６内にはＨｅ、Ｎｅ、Ｘｅ等の混合ガスが放電ガスとして封入されている。
【００９６】
次に、本発明のプラズマディスプレイ装置の駆動方法（本発明のＰＤＰの駆動方法）として、走査期間と維持期間とが分離されている走査維持分離方式（ＡＤＳ方式）について説明する。
【００９７】
（第１実施形態）
図３は、本発明の第１実施形態におけるプラズマディスプレイ装置を駆動する駆動波形（電圧）を示すタイミングチャートである。
図３に示されるように、１サブフィールド５（以下、サブフィールド５とも称する）は、初期化期間２と、走査期間３と、維持期間４との３つの期間で構成されている。階調表示を行う場合、１画面の画像情報を表示する期間である１フィールドは、この複数のサブフィールド５（初期化期間２、走査期間３、維持期間４）から構成されている。フィールドは、駆動制御回路３８によって、周期的に実行される。このとき、複数のサブフィールド５の各々は順に実行される。
初期化期間２は、維持期間４で維持放電が行われたときに蓄積された走査電極２２−ｉと維持電極２３−ｉとの間の壁電荷を消去（初期化、リセット）する期間であり、その期間は、タイミングＰ１の後のタイミングＰ２、Ｐ３、Ｐ４、Ｐ５、Ｐ６、Ｐ７、Ｐ８、Ｐ９、Ｐ１０、Ｐ１１、Ｐ１２、Ｐ１３である。
走査期間３は、走査電極２２−ｉとデータ電極２９−ｊとの間で書込放電を行って、映像を表す映像データをアドレス（表示セル３１）に書込む期間であり、その期間は、タイミングＰ１３、Ｐ１４、Ｐ１５、Ｐ１６、…、Ｐ１７、Ｐ１８、Ｐ１９である。
維持期間４は、書込放電が行われた表示セル３１を映像データに対応して点灯するための維持放電を走査電極２２−ｉと維持電極２３−ｉとの間で行う期間であり、その期間は、タイミングＰ１９、Ｐ２０である。
【００９８】
初期化期間２は、壁電荷調整期間６と、維持消去期間８と、プライミング期間９と、プライミング消去期間１０とを含む。
壁電荷調整期間６は、維持期間４で維持放電が行われたときに蓄積された走査電極２２−ｉと維持電極２３−ｉとの間の壁電荷を調整する期間であり、その期間は、タイミングＰ２〜Ｐ６である。
維持消去期間８は、維持期間４で維持放電が行われたときに蓄積された走査電極２２−ｉと維持電極２３−ｉとの間の壁電荷を消去（初期化、リセット）する期間であり、その期間は、タイミングＰ６〜Ｐ９である。
プライミング期間９は、プライミング効果の発生を行う期間であり、その期間は、タイミングＰ９〜Ｐ１１である。
プライミング消去期間１０は、プライミング効果によって各表示セル３１内の誘電体層上に蓄積された壁電荷を消去する期間であり、その期間は、タイミングＰ１１〜Ｐ１３である。
【００９９】
壁電荷調整期間６は、第一壁電荷調整期間１３と、第二壁電荷調整期間１４とを含む。
第一壁電荷調整期間１３は、タイミングＰ２〜Ｐ５までの期間であり、第二壁電荷調整期間１４は、タイミングＰ５、Ｐ６までの期間である。
【０１００】
サブフィールド５より前の前サブフィールド１の維持期間の駆動波形を説明する。
駆動制御回路３８によって、維持パルス電位として、走査電極２２−１〜２２−ｍには、維持電圧Ｖｓと維持電圧Ｖｓより低い接地電圧ＧＮＤとが交互に印加され、維持電極２３−１〜２３−ｍには、接地電圧ＧＮＤと維持電圧Ｖｓとが交互に印加される。駆動制御回路３８によって、データ電極２９−１〜２９−ｎには、接地電圧ＧＮＤが印加される。
初期化期間２の直前のタイミングＰ１にて、駆動制御回路３８によって、走査電極２２−１〜２２−ｍには、維持電圧Ｖｓが印加され、維持電極２３−１〜２３−ｍには、接地電圧ＧＮＤが印加されている。
【０１０１】
初期化期間２の壁電荷調整期間６において、タイミングＰ２からＰ６まで駆動制御回路３８によって、維持放電が行われたときに蓄積された走査電極２２−１〜２２−ｍと維持電極２３−１〜２３−ｍとの間の電荷を調整するための、維持放電よりも放電強度が弱い壁電荷調整放電が走査電極２２−１〜２２−ｍと維持電極２３−１〜２３−ｍとの間で発生する。壁電荷調整放電は維持放電よりも放電強度が弱い。
【０１０２】
この壁電荷調整期間６の第一壁電荷調整期間１３の駆動波形を説明する。
タイミングＰ２からＰ５まで駆動制御回路３８によって、第一壁電荷調整期間１３中に、維持期間４の最後に維持パルス電位（最終維持パルス電位）が走査電極２２−１〜２２−ｍと維持電極２３−１〜２３−ｍとの間に印加されたときの維持期間電位差とは逆極性の第一壁電荷調整期間電位差に徐々に増大する調整電位が走査電極２２−１〜２２−ｍと維持電極２３−１〜２３−ｍとの間に印加される。
具体的には調整電位として、タイミングＰ２にて駆動制御回路３８によって、走査電極２２−１〜２２−ｍに維持電圧Ｖｓが印加される。次に、タイミングＰ２からＰ５まで駆動制御回路３８によって、走査電極２２−１〜２２−ｍに印加された維持電圧Ｖｓが保持される。
また、調整電位として、タイミングＰ２からＰ３まで駆動制御回路３８によって、維持電極２３−１〜２３−ｍに印加された維持電圧Ｖｓが保持される。次に、タイミングＰ３からＰ４まで駆動制御回路３８によって、維持電極２３−１〜２３−ｍに印加される電圧が、維持電圧Ｖｓから、壁電荷調整電圧Ｖｓｓに徐々に下げられる。壁電荷調整電圧Ｖｓｓは、維持電圧Ｖｓよりも低く、接地電圧ＧＮＤよりも高い。次いで、タイミングＰ４からＰ５まで駆動制御回路３８によって、維持電極２３−１〜２３−ｍに印加された壁電荷調整電圧Ｖｓｓが保持される。
タイミングＰ２からＰ５まで駆動制御回路３８によって、データ電極２９−１〜２９−ｎに印加された接地電圧ＧＮＤが保持される。
【０１０３】
壁電荷調整期間６の第二壁電荷調整期間１４の駆動波形を説明する。
タイミングＰ５からＰ６まで駆動制御回路３８によって、第二壁電荷調整期間１４中に、第一壁電荷調整期間電位差よりも大きい第二壁電荷調整期間電位差に急激に変化する壁電荷調整パルス電位が走査電極２２−１〜２２−ｍと維持電極２３−１〜２３−ｍとの間に印加され、この壁電荷調整パルス電位が壁電荷調整パルス幅だけ保持される。壁電荷調整パルス幅は、走査電極２２−１〜２２−ｍと維持電極２３−１〜２３−ｍとの間に壁電荷調整パルス電位が印加されている時間（タイミングＰ５〜Ｐ６）を表す。
具体的には壁電荷調整パルス電位として、タイミングＰ５からＰ６まで駆動制御回路３８によって、走査電極２２−１〜２２−ｍに印加された維持電圧Ｖｓが壁電荷調整パルス幅だけ保持される。
また、壁電荷調整パルス電位として、タイミングＰ５にて駆動制御回路３８によって、維持電極２３−１〜２３−ｍに印加される電圧が、壁電荷調整電圧Ｖｓｓから、接地電圧ＧＮＤに下げられる。次に、タイミングＰ５からＰ６まで駆動制御回路３８によって、維持電極２３−１〜２３−ｍに印加された接地電圧ＧＮＤが壁電荷調整パルス幅だけ保持される。
タイミングＰ５からＰ６まで駆動制御回路３８によって、データ電極２９−１〜２９−ｎに印加された接地電圧ＧＮＤが保持される。
【０１０４】
初期化期間２の維持消去期間８の駆動波形（維持消去期間８で電極に印加されるランプ波形）を説明する。
タイミングＰ６からＰ９まで駆動制御回路３８によって、壁電荷調整放電が走査電極２２−１〜２２−ｍと維持電極２３−１〜２３−ｍとの間で発生するときの壁電荷調整期間電位差とは逆極性の消去期間電位差に徐々に増大する消去電位が走査電極２２−１〜２２−ｍと維持電極２３−１〜２３−ｍとの間に印加される。
具体的には消去電位として、タイミングＰ６からＰ７まで駆動制御回路３８によって、走査電極２２−１〜２２−ｍに印加された維持電圧Ｖｓが保持される。次に、タイミングＰ７からＰ８まで駆動制御回路３８によって、走査電極２２−１〜２２−ｍに印加される電圧が、維持電圧Ｖｓから、接地電圧ＧＮＤに徐々に下げられる。次いで、タイミングＰ８からＰ９まで駆動制御回路３８によって、走査電極２２−１〜２２−ｍに印加された接地電圧ＧＮＤが保持される。
また、消去電位として、タイミングＰ６にて駆動制御回路３８によって、維持電極２３−１〜２３−ｍに維持電圧Ｖｓが印加される。次に、タイミングＰ６からＰ９まで駆動制御回路３８によって、維持電極２３−１〜２３−ｍに印加された維持電圧Ｖｓが保持される。
タイミングＰ６からＰ９まで駆動制御回路３８によって、データ電極２９−１〜２９−ｎに印加された接地電圧ＧＮＤが保持される。
【０１０５】
初期化期間２のプライミング期間９の駆動波形（プライミング期間９で電極に印加されるランプ波形であるプライミング波形）を説明する。
タイミングＰ９にて駆動制御回路３８によって、走査電極２２−１〜２２−ｍに維持電圧Ｖｓが印加される。次に、タイミングＰ９からＰ１０まで駆動制御回路３８によって、走査電極２２−１〜２２−ｍに印加される電圧が、維持電圧Ｖｓから、プライミング電圧Ｖｐに徐々に上げられる。プライミング電圧Ｖｐは、維持電圧Ｖｓよりも高い。次いで、タイミングＰ１０からＰ１１まで駆動制御回路３８によって、走査電極２２−１〜２２−ｍに印加されたプライミング電圧Ｖｐが保持される。
タイミングＰ９からＰ１１まで駆動制御回路３８によって、維持電極２３−１〜２３−ｍに接地電圧ＧＮＤが印加される。
タイミングＰ９からＰ１１まで駆動制御回路３８によって、データ電極２９−１〜２９−ｎに印加された接地電圧ＧＮＤが保持される。
【０１０６】
初期化期間２のプライミング消去期間１０の駆動波形（プライミング消去期間１０で電極に印加されるランプ波形）を説明する。
タイミングＰ１１からＰ１３まで駆動制御回路３８によって、壁電荷調整期間電位差とは逆極性の消去期間電位差（維持消去期間８と同じ消去期間電位差）に徐々に増大する消去電位が走査電極２２−１〜２２−ｍと維持電極２３−１〜２３−ｍとの間に印加される。
具体的には消去電位として、タイミングＰ１１にて駆動制御回路３８によって、走査電極２２−１〜２２−ｍに印加される電圧が、プライミング電圧Ｖｐから、維持電圧Ｖｓに下げられる。次に、タイミングＰ１１からＰ１２まで駆動制御回路３８によって、走査電極２２−１〜２２−ｍに印加される電圧が、維持電圧Ｖｓから、接地電圧ＧＮＤに徐々に下げられる。次いで、タイミングＰ１２からＰ１３まで駆動制御回路３８によって、走査電極２２−１〜２２−ｍに印加された接地電圧ＧＮＤが保持される。
また、消去電位として、タイミングＰ１１にて駆動制御回路３８によって、維持電極２３−１〜２３−ｍに維持電圧Ｖｓが印加される。次に、タイミングＰ１１からＰ１３まで駆動制御回路３８によって、維持電極２３−１〜２３−ｍに印加された維持電圧Ｖｓが保持される。
タイミングＰ１１からＰ１３まで駆動制御回路３８によって、データ電極２９−１〜２９−ｎに印加された接地電圧ＧＮＤが保持される。
【０１０７】
走査期間３の駆動波形を説明する。
タイミングＰ１３からＰ１９まで駆動制御回路３８によって、維持電極２３−１〜２３−ｍに印加された維持電圧Ｖｓが保持される。
タイミングＰ１３にて駆動制御回路３８によって、走査電極２２−１〜２２−ｍに走査ベース電圧Ｖｂｗが印加される。次に、タイミングＰ１３からＰ１９まで駆動制御回路３８によって、走査電極２２−１〜２２−ｍに印加された走査ベース電圧Ｖｂｗが保持される。走査ベース電圧Ｖｂｗは、その最低値を基準電圧である接地電圧ＧＮＤとし、その最高値を維持電圧Ｖｓよりも低い設定電圧（Ｖｂｗ−ＧＮＤ）としたものである。次いで、走査電極２２−１〜２２−ｍに走査ベース電圧Ｖｂｗが印加されているときに、駆動制御回路３８によって、走査ベース電圧Ｖｂｗを打ち消す走査パルス電位１１がタイミングＰ１４、Ｐ１５、Ｐ１６、…、Ｐ１７にて走査電極２２−１〜２２−ｍに順次に印加される。走査パルス電位１１は、走査ベース電圧Ｖｂｗの最高値である設定電圧（Ｖｂｗ−ＧＮＤ）から、走査ベース電圧Ｖｂｗの最低値である接地電圧ＧＮＤまで電位が下がる負極性パルスである。即ち、走査パルス電位１１が、タイミングＰ１４からＰ１５までに走査電極２２−１に印加され、タイミングＰ１５からＰ１６までに走査電極２２−２に印加され、…、タイミングＰ１７からＰ１８までに走査電極２２−ｍに印加されたときに、走査ベース電圧Ｖｂｗが、タイミングＰ１４からＰ１５まで走査電極２２−１に印加されず、タイミングＰ１５からＰ１６まで走査電極２２−１に印加されず、…、タイミングＰ１７からＰ１８まで走査電極２２−ｍに印加されない。
走査パルス電位１１が走査電極２２−１〜２２−ｍに印加されたときに、駆動制御回路３８によって、データ電極２９−１〜２９−ｎには、映像データ（表示パターン）に応じたデータパルス電位１２が印加される。
【０１０８】
維持期間４の駆動波形を説明する。
駆動制御回路３８によって、維持パルス電位である一次維持パルス電位として接地電圧ＧＮＤが走査電極２２−１〜２２−ｍに印加され、維持パルス電位である一次維持パルス電位として維持電圧Ｖｓが維持電極２３−１〜２３−ｍに印加される。以降、タイミングＰ２０まで駆動制御回路３８によって、維持パルス電位として、走査電極２２−１〜２２−ｍには、維持電圧Ｖｓと接地電圧ＧＮＤとが交互に印加され、維持電極２３−１〜２３−ｍには、接地電圧ＧＮＤと維持電圧Ｖｓとが交互に印加される。
タイミングＰ１９からＰ２０まで駆動制御回路３８によって、データ電極２９−１〜２９−ｎに接地電圧ＧＮＤが印加される。
【０１０９】
次に、本発明のプラズマディスプレイ装置の各期間の役割について説明する。
【０１１０】
まず、初期化期間２について説明する。
初期化期間２の前には、前サブフィールド１の維持期間が存在する。この前サブフィールド１で維持放電が行なわれているかいないかで、表示セル３１内の各電極上に設けられた誘電体層（走査電極２２−ｉ上に設けられた透明誘電体層２４、維持電極２３−ｉに設けられた透明誘電体層２４、データ電極２９−ｊに設けられた白色誘電体層２８）上に、放電によって蓄積される電荷である壁電荷の形成量が異なる。このまま、次の書込放電を行なうと、この異なる壁電荷量の影響を受け、書込放電を行いづらくなったり、書込放電を行わないタイミングで誤って書込放電を行なってしまったりする。
維持期間において、維持放電の放電強度が大きい。このため、維持放電が発生すると、放電空間２６に大量の空間電荷が発生する。この空間電荷は、表示セル３１内の電界により引きつけられ、各電極上に設けられた誘電体層上に蓄積される。空間電荷の量が多いため、表示セル３１内の各電極上には電界がゼロになるように壁電荷が蓄積される。このとき、各電極上に蓄積される壁電荷は、タイミングＰ１において、図４（ａ）に示されるような状態（配置）となり、走査電極２２−ｉ、データ電極２９−ｊ上の全てに正壁電荷＋ｅが蓄積され、維持電極２３−ｉ上の全てに負壁電荷−ｅが蓄積される。この壁電荷により、走査電極２２−ｉ、維持電極２３−ｉ上には、ほぼ維持電圧Ｖｓに等しい壁電圧（壁電荷により電極−誘電体層間に形成された電圧）が形成されている。
【０１１１】
この初期化期間２の役割は、
（１）前サブフィールド１の維持期間での点灯状態における、各表示セル３１内の誘電体層上に蓄積される壁電荷を消去（初期化、リセット）する、
（２）走査期間３で画素に表示する際に書込放電を行いやすくするためのプライミング効果を発生させる、
（３）走査期間３で行われる書込放電を、表示負荷に依存せずに従来に比べて低いデータパルス電位で、正常に発生させる、
ことである。上記（１）の処理では、壁電荷の消去（初期化、リセット）を行うことによって、画素（表示セル３１）を強制的に放電させる。
初期化期間２では、壁電荷調整期間６で上記（３）の処理を行い、維持消去期間８で上記（１）の処理を行い、プライミング期間９とプライミング消去期間１０とで上記（２）の処理を行う。壁電荷調整期間６と維持消去期間８では、前サブフィールド１で維持放電が発生していた場合のみ放電が発生する。プライミング期間９とプライミング消去期間１０では、前サブフィールド１での維持放電の発生の有無に関係なく放電が発生する。
【０１１２】
次に、壁電荷調整期間６について説明する。
前サブフィールド１の維持期間から壁電荷調整期間６の第一壁電荷調整期間１３に移行すると、維持電極２３−ｉに印加された維持電圧Ｖｓが壁電荷調整電圧Ｖｓｓになる。このとき、走査電極２２−ｉと維持電極２３−ｉとの間の放電空間２６にかかる電位差（第一壁電荷調整期間電位差）が徐々に増大し、微弱な放電（弱放電：壁電荷調整放電）が持続的に発生する。この弱放電（壁電荷調整放電）の放電強度は維持放電の放電強度よりも弱いため、壁電荷調整放電は放電ギャップ３４近傍でのみ発生する。このとき、走査電極２２−ｉ、維持電極２３−ｉ上の放電ギャップ３４近傍に蓄積された壁電荷が減少し、各電極上に蓄積される壁電荷は、タイミングＰ４において、図４（ｂ）に示されるような状態（配置）となる。即ち、走査電極２２−ｉ上の放電ギャップ３４近傍に蓄積された正壁電荷＋ｅと、維持電極２３−ｉ上の放電ギャップ３４近傍に蓄積された負壁電荷−ｅとが減少する。
壁電荷調整期間６の第一壁電荷調整期間１３から第二壁電荷調整期間１４に移行すると、維持電極２３−ｉが接地される（維持電極２３−ｉに印加された電圧が接地電圧ＧＮＤになる）。このとき、走査電極２２−ｉと維持電極２３−ｉとの間の放電空間２６にかかる電位差（第二壁電荷調整期間電位差）が急激に変化し、走査電極２２−ｉと維持電極２３−ｉとの間で、第一壁電荷調整期間１３で発生された壁電荷調整放電の放電強度よりもやや強く、維持放電の放電強度よりも弱い放電（壁電荷調整放電）が発生する。
【０１１３】
ここで、第二壁電荷調整期間１４で発生する放電について、維持期間４で発生する維持放電を用いて検討する。
維持期間４では、維持放電の放電強度が大きい。このため、維持電極２３−ｉに維持パルス電位（維持電圧Ｖｓ）が印加されたときに維持放電が発生する。このとき、走査電極２２−ｉと維持電極２３−ｉとの間（放電ギャップ３４）には、ほぼ維持電圧Ｖｓに等しい壁電圧（壁電荷により電極−誘電体層間に形成された電圧）が形成される。次の逆極性の維持パルス電位が維持電極２３−ｉに印加されたとき（このとき走査電極２２−ｉには維持パルス電位である維持電圧Ｖｓが印加される）、維持パルス電位（維持電圧）Ｖｓに壁電圧（維持電圧）Ｖｓが重畳され、走査電極２２−ｉと維持電極２３−ｉとの間（放電ギャップ３４）には、おおよそ２Ｖｓの電圧が印加されることになる。
これに対し、第一壁電荷調整期間１３では、維持期間で走査電極２２−ｉと維持電極２３−ｉとの間に印加された放電ギャップ３４近傍の壁電圧が、弱放電（壁電荷調整放電）によって減少し、維持電圧Ｖｓよりも小さくなっている。このため、第二壁電荷調整期間１４では、維持電極２３−ｉが接地されたとき（このとき走査電極２２−ｉには維持電圧Ｖｓが印加されている）、維持電圧Ｖｓにその壁電圧が重畳されても、放電ギャップ３４に印加される電圧は２Ｖｓよりも小さくなる。したがって、第二壁電荷調整期間１４での放電（壁電荷調整放電）は、維持放電よりも放電強度が弱い放電となる。
【０１１４】
そのため、走査電極２２−ｉ、維持電極２３−ｉ上に蓄積された壁電荷は、タイミングＰ５において、完全に入れ代わるまでには至らず、図４（ｃ）に示されるような状態（配置）となる。即ち、走査電極２２−ｉ、維持電極２３−ｉ上の放電ギャップ３４近傍に蓄積された正壁電荷＋ｅ、負壁電荷−ｅのみが反転し（負壁電荷−ｅ、正壁電荷＋ｅとなる）、放電ギャップ３４から離れた走査電極２２−ｉ、維持電極２３−ｉ上には、第二壁電荷調整期間１４での放電前の極性の壁電荷である正壁電荷＋ｅ、負壁電荷−ｅが残る。
この第二壁電荷調整期間１４での放電の放電強度は壁電荷調整電圧Ｖｓｓに依存し、この壁電荷調整電圧Ｖｓｓが小さいほど、第一壁電荷調整期間１３において放電ギャップ３４の近傍の壁電荷が多く減少するため、その後の第二壁電荷調整期間１４での放電は弱くなる。放電が弱くなるほど、維持電極２３−ｉ上の負壁電荷−ｅは多く残るようになる。
【０１１５】
次に、維持消去期間８、プライミング期間９、プライミング消去期間１０について説明する。
壁電荷調整期間６（第一壁電荷調整期間１３、第二壁電荷調整期間１４）から維持消去期間８に移行すると、徐々に走査電極２２−ｉと維持電極２３−ｉとの間の放電空間２６にかかる電位差（維持消去期間電位差）が増大し、弱放電が持続的に発生する。この弱放電は放電強度が小さいため、弱放電は放電ギャップ３４近傍でのみ発生する。このとき、走査電極２２−ｉに上述のランプ波形が印加されているため、走査電極２２−ｉ、維持電極２３−ｉ上の放電ギャップ３４近傍に蓄積された壁電荷が減少し、各電極上に蓄積される壁電荷は、タイミングＰ８において、図４（ｄ）に示されるような状態（配置）となる。即ち、走査電極２２−ｉ上の放電ギャップ３４近傍に蓄積された負壁電荷−ｅと、維持電極２３−ｉ上の放電ギャップ３４近傍に蓄積された正壁電荷＋ｅとが減少したとき、走査電極２２−ｉ上の放電ギャップ３４近傍に負壁電荷−ｅが蓄積されていて、放電ギャップ３４から離れた走査電極２２−ｉ上には正壁電荷＋ｅが蓄積されていて、維持電極２３−ｉ上の放電ギャップ３４近傍には負壁電荷−ｅが更に蓄積される。
【０１１６】
維持消去期間８からプライミング期間９に移行すると、走査電極２２−ｉに上述のプライミング波形が印加されているため、走査電極２２−ｉと維持電極２３−ｉとの間で発生する弱放電の他に、走査電極２２−ｉとデータ電極２９−ｊとの間でも弱放電が発生する。このとき、これらの弱放電でプライミング粒子が放電空間２６に形成され、表示セル３１内が活性化されて放電が発生しやすい状態となる。同時に、走査電極２２−ｉ、維持電極２３−ｉ、データ電極２９−ｊ上の放電ギャップ３４近傍に壁電荷が蓄積され、各電極上に蓄積される壁電荷は、タイミングＰ１０において、図４（ｅ）に示されるような状態（配置）となる。即ち、放電ギャップ３４から離れた走査電極２２−ｉ上に蓄積された正壁電荷＋ｅと、維持電極２３−ｉ上の放電ギャップ３４近傍に蓄積された負壁電荷−ｅとが減少し、走査電極２２−ｉ上の全てに負壁電荷−ｅが蓄積され、維持電極２３−ｉ上の放電ギャップ３４近傍に正壁電荷＋ｅが蓄積され、データ電極２９−ｊ上の放電ギャップ３４近傍と走査電極２２−ｉに対向する面とには正壁電荷＋ｅが更に蓄積される。
このように、プライミング期間９では、走査電極２２−ｉ上の不足している負壁電荷−ｅを補う。
【０１１７】
プライミング期間９からプライミング消去期間１０に移行すると、走査電極２２−ｉに上述のランプ波形が印加されているため、放電ギャップ３４近傍で弱放電が発生する。このとき、プライミング期間９で走査電極２２−ｉ、維持電極２３−ｉ、データ電極２９−ｊ上の放電ギャップ３４近傍に蓄積された壁電荷が減少し、各電極上に蓄積される壁電荷は、タイミングＰ１２において、図４（ｆ）に示されるような状態（配置）となる。即ち、走査電極２２−ｉ上の放電ギャップ３４近傍に蓄積された負壁電荷−ｅと、維持電極２３−ｉ上の放電ギャップ３４近傍に蓄積された正壁電荷＋ｅと、データ電極２９−ｊ上の放電ギャップ３４近傍に蓄積された正壁電荷＋ｅとが減少し、維持電極２３−ｉ上の放電ギャップ３４近傍には負壁電荷−ｅが更に蓄積される。この状態により、走査電極２２−ｉと維持電極２３−ｉとの間の放電ギャップ３４近傍の壁電圧はほぼ等しい。このため、本発明のプラズマディスプレイ装置では、非点灯時に維持パルス電位が印加されても誤放電（誤点灯）が発生しない。
このように、プライミング消去期間１０では、プライミング期間９で走査電極２２−ｉ、維持電極２３−ｉ上の放電ギャップ３４近傍に蓄積された壁電荷を消去し、走査電極２２−ｉとデータ電極２９−ｊとの間の対向電極間に蓄積される壁電荷を、放電ギャップ３４近傍で発生する弱放電により調整する。
【０１１８】
このように、本発明のプラズマディスプレイ装置では、図４（ｆ）に示されるように、書込放電を行う前に、走査電極２２−ｉ、維持電極２３−ｉ上に負壁電荷−ｅが予めに蓄積されている。そのため、本発明のプラズマディスプレイ装置では、従来のプラズマディスプレイ装置のように維持電極１２３−ｉ上に蓄積された正壁電荷＋ｅを書込放電によって負壁電荷−ｅに反転させるための電流が必要なく、書込放電に必要な電流（書込電流）を従来のプラズマディスプレイ装置の書込電流よりも低減することができる。
【０１１９】
次に、走査期間３について説明する。駆動制御回路３８は、走査期間３中に、走査電極２２−ｉとデータ電極２９−ｊとの間で書込放電を行って映像データをアドレス（表示セル３１）に書込むために、走査パルス電位１１を走査電極２２−１〜２２−ｍに順次に印加したときに、データ電極２９−１〜２９−ｎに映像データ（表示パターン）に応じたデータパルス電位１２を印加する。このときの各電極上に蓄積される壁電荷は、図４（ｇ）に示されるような状態（配置）である。即ち、走査電極２２−ｉ上に蓄積された負壁電荷−ｅと、データ電極２９−ｊ上に蓄積された正壁電荷＋ｅとが減少し、走査電極２２−ｉ上の全てに正壁電荷＋ｅが蓄積され、維持電極２３−ｉ上の放電ギャップ３４近傍には負壁電荷−ｅが更に蓄積される。
【０１２０】
データパルス電位１２がデータ電極２９−１〜２９−ｎに印加された画素（表示セル３１）では、走査電極２２−ｉとデータ電極２９−ｊとの間の放電空間２６に壁電荷が重畳されて、走査電極２２−ｉとデータ電極２９−ｊとの間には放電開始電圧を超えた電圧が印加される。このため、走査電極２２−ｉとデータ電極２９−ｊとの間で書込放電が発生する。書込放電が発生したときの走査電極２２−ｉと維持電極２３−ｉとの電位差はＶｓである。これだけの電位差があると、書込放電が走査電極２２−ｉとデータ電極２９−ｊとの間で発生したときに、走査電極２２−ｉと維持電極２３−ｉとの間で面放電が誘発される。このとき、維持電極２３−ｉ上には負壁電荷−ｅが蓄積され、走査電極２２−ｉ上には正壁電荷＋ｅが蓄積され、各電極上に蓄積される壁電荷は、図４（ｆ）に示されるような状態（配置）から、タイミングＰ１９において、図４（ｇ）に示されるような状態（配置）となる。
一方、データパルス電位１２がデータ電極２９−１〜２９−ｎに印加されない画素（表示セル３１）では、放電開始電圧を超えないために書込放電が発生せず、図４（ｆ）に示されるような状態（配置）のままである。
このように、データ電極２９−１〜２９−ｎに印加されるデータパルス電位１２の有無により、２種類の壁電荷の状態（配置）を作り出すことができる。
【０１２１】
次に、維持期間４について説明する。走査パルス電位１１を全ライン（走査電極２２−１〜２２−ｍ）に印加し終わると、駆動制御回路３８は、書込放電が行われた表示セル３１を映像データに対応して点灯する維持放電を走査電極２２−ｉと維持電極２３−ｉとの間で行うために、走査期間３から維持期間４に移行する。維持電圧Ｖｓが維持パルス電位として、走査電極２２−１〜２２−ｍと維持電極２３−１〜２３−ｍとに交互に印加される。維持電圧Ｖｓ（維持パルス電位）は、書込放電が発生しない画素で、走査電極２２−ｉと維持電極２３−ｉとの間の放電（面放電）が開始しない電圧に設定してある。
【０１２２】
書込放電が発生した画素では、走査電極２２−ｉ上には正壁電荷＋ｅが蓄積され、維持電極２３−ｉ上には負壁電荷−ｅが蓄積されている。このため、この正負の壁電荷は、走査電極２２−ｉに印加される最初の正の維持パルス電位（第一維持パルス電位）に重畳される。このとき、放電開始電圧以上の電圧が放電空間２６に印加され、維持放電が発生する。この維持放電により、走査電極２２−ｉ上には負の壁電荷が蓄積され、維持電極２３−ｉ上には正の壁電荷が蓄積される。
この壁電荷は、維持電極２３−ｉに印加される次の維持パルス電位（第二維持パルス電位）に重畳される。このとき、放電開始電圧以上の電圧が放電空間２６に印加され、維持放電が発生する。この維持放電により、第一維持パルス電位とは逆の極性の壁電荷が、走査電極２２−ｉ上と維持電極２３−ｉ上とに蓄積される。即ち、走査電極２２−ｉ上には正の壁電荷が蓄積され、維持電極２３−ｉ上には負の壁電荷が蓄積される。
維持期間４が終了するまで、維持電圧Ｖｓ（維持パルス電位）が走査電極２２−１〜２２−ｍと維持電極２３−１〜２３−ｍとに交互に印加されることにより、維持放電が持続的に発生する。維持期間４では、ｘ回目（ｘ＝１、２、３、…）の維持放電により発生した壁電荷による電位差（維持期間電位差）が、（ｘ＋１）回目の維持パルス電位に重畳されて維持放電が持続している。この維持放電の持続回数により発光輝度が決定される。
【０１２３】
階調表示を行う場合、１画面の画像情報を表示する期間である１フィールドが、この複数のサブフィールド５（初期化期間２、走査期間３、維持期間４）から構成されている。このため、各サブフィールド５の維持パルス電位数を変え、各サブフィールド５で画素を点灯させるか非点灯にするかによって階調表示を行うことができる。
【０１２４】
次に、本発明の第１実施形態におけるプラズマディスプレイ装置の駆動波形（電圧）について具体的な数値を用いて説明する。維持電圧Ｖｓは１７０［Ｖ］程度とした。まず、初期化期間２について説明する。
【０１２５】
図５は、壁電荷調整期間６の第一壁電荷調整期間１３中にタイミングＰ３からタイミングＰ４までに維持電極２３−ｉに印加される電圧として、維持電圧Ｖｓが下がり始める時刻（タイミングＰ３）から、壁電荷調整電圧Ｖｓｓに下がりきる時刻（タイミングＰ４）までの電圧の平均変化率（電圧変化の傾き）を示す変化割合と、発光波形によって観測された放電強度との関係を表す。第一壁電荷調整期間１３では、変化割合が１０［Ｖ／μｓｅｃ］より大きくなると放電強度が急激に大きくなる。このような放電が発生すると、放電が断続的または単発的なものとなり、第二壁電荷調整期間１４において放電が発生しなくなる（継続的な弱放電が発生しなくなる）。また、放電の発生も走査電極２２−ｉ、維持電極２３−ｉ上の面によってばらつきがあり、放電が発生する表示セル３１と放電が発生しない表示セル３１がある。そこで、本発明では、第一壁電荷調整期間１３での変化割合を、１０［Ｖ／μｓｅｃ］以下とし、３〜６［Ｖ／μｓｅｃ］程度とした。
また、壁電荷調整電圧Ｖｓｓが１７［Ｖ］未満になると、維持電極２３−ｉの電位を接地しても放電が発生しなくなる。放電が発生しなくなると、各電極上に蓄積される壁電荷は、図４（ｂ）に示されるような状態（配置）のままとなり、走査電極２２−ｉ上に多く正壁電荷＋ｅが残ったままとなる。このような状態で、プライミング電圧Ｖｐのような、走査電極２２−ｉを正極性とた、維持電圧Ｖｓよりも高い電圧が走査電極２２−ｉとデータ電極２９−ｊとの間に印加されると、不安定な状態で強放電が発生し、誤灯の原因となる。そこで、本発明では、その電壁電荷調整電圧Ｖｓｓを２５〜５０［Ｖ］程度とした。
【０１２６】
図６は、壁電荷調整期間６の第二壁電荷調整期間１４中にタイミングＰ５にて維持電極２３−ｉに印加される電圧として、壁電荷調整電圧Ｖｓｓが下がり始める時刻（タイミングＰ５）から、接地電圧ＧＮＤに下がりきる時刻（タイミングＰ５）までの電圧の平均変化率（電圧変化の傾き）を示す変化割合と、発光波形によって観測された放電強度との関係を表す。第二壁電荷調整期間１４では、変化割合が２０［Ｖ／μｓｅｃ］未満となると、放電が急に弱くなり、放電の発生が走査電極２２−ｉ、維持電極２３−ｉ上の面で不安定となり好ましくない。そこで、本発明では、第二壁電荷調整期間１４での変化割合を、２０［Ｖ／μｓｅｃ］以上とし、４０〜８０［Ｖ／μｓｅｃ］とした。
【０１２７】
図７は、壁電荷調整電圧Ｖｓｓに対する書込電流のピーク値の変化の割合と壁電荷調整パルス幅との関係を示す。この壁電荷調整パルス幅が２［μｓｅｃ］以上になると、図７に示すように書込電流のピーク値が壁電荷調整電圧Ｖｓｓに大きく依存するようになる。このため、書込電流のピーク値の小さい領域が壁電荷調整電圧Ｖｓｓに対して狭い範囲となり、駆動マージンが狭くなる。したがって、壁電荷調整パルス幅は２［μｓｅｃ］未満とするのが好ましい。そこで、本発明では、第二壁電荷調整期間１４での壁電荷調整パルス幅を、２［μｓｅｃ］未満とし、１［μｓｅｃ］程度とした。
【０１２８】
維持消去期間８中にタイミングＰ７からタイミングＰ８までに走査電極２２−ｉに印加される電圧として、維持電圧Ｖｓが下がり始める時刻（タイミングＰ７）から、接地電圧ＧＮＤに下がりきる時刻（タイミングＰ８）までの電圧の平均変化率（電圧変化の傾き）を示す変化割合が、第一壁電荷調整期間１３と同様に、１０［Ｖ／μｓｅｃ］より大きくなると、放電強度が急激に大きくなる。このような放電が発生すると、第一壁電荷調整期間１３と同様に放電が断続的または単発的なものとなり、継続的な弱放電が発生しなくなる。そこで、本発明では、維持消去期間８での変化割合を、１０［Ｖ／μｓｅｃ］以下とし、３〜６［Ｖ／μｓｅｃ］程度とした。
【０１２９】
本発明では、プライミング期間９で走査電極２２−ｉに印加されるプライミング電圧Ｖｐの波高値を３８０〜４５０［Ｖ］程度とした。
本発明では、プライミング期間９中にタイミングＰ９からタイミングＰ１０までに走査電極２２−ｉに印加される電圧として、維持電圧Ｖｓが上がり始める時刻（タイミングＰ９）から、プライミング電圧Ｖｐに上がりきる時刻（タイミングＰ１０）までの電圧の平均変化率（電圧変化の傾き）を示す変化割合を、１０［Ｖ／μｓｅｃ］以下とし、３〜６［Ｖ／μｓｅｃ］程度とした。
本発明では、プライミング消去期間１０中にタイミングＰ１１からタイミングＰ１２までに走査電極２２−ｉに印加される電圧として、維持電圧Ｖｓが下がり始める時刻（タイミングＰ１１）から、接地電圧ＧＮＤに下がりきる時刻（タイミングＰ１２）までの電圧の平均変化率（電圧変化の傾き）を示す変化割合を、維持消去期間８と同様に、１０［Ｖ／μｓｅｃ］以下とし、３〜６［Ｖ／μｓｅｃ］程度とした。
【０１３０】
次に、走査期間３について説明する。
本発明では、走査電極２２−１〜２２−ｍに印加される走査ベース電圧Ｖｂｗを８０〜１２０［Ｖ］程度とした。走査電極２２−１〜２２−ｍに走査ベース電圧Ｖｂｗが印加されているときに、走査パルス電位１１が走査電極２２−１〜２２−ｍに順次に印加される。本発明では、走査パルス電位１１が走査電極２２−ｉに印加される期間である走査パルス幅を２［μｓｅｃ］程度とした。即ち、走査パルス電位１１が走査電極２２−ｉに２［μｓｅｃ］間印加されたときに、走査ベース電圧Ｖｂｗが走査電極２２−ｉに２［μｓｅｃ］間印加されない。
本発明では、データ電極２９−ｊに印加されるデータパルス電位１２を６０［Ｖ］程度とした。
【０１３１】
次に、維持期間４について説明する。
維持期間４で走査電極２２−１〜２２−ｍと維持電極２３−１〜２３−ｍとに交互に印加されるときの維持電圧Ｖｓ（維持パルス電位）のうち、走査電極２２−ｉに印加される最初の維持パルス電位である第一維持パルス電位では、維持放電の発生が遅れる。このため、第一維持パルス電位が走査電極２２−ｉに印加される期間である維持パルス電位幅を７［μｓｅｃ］とし、他の維持パルス電位幅よりも広く（長く）してある。他の維持パルス電位幅として、維持電極２３−ｉに印加される次の維持パルス電位である第二維持パルス電位と、それ以降の維持パルス電位の維持パルス電位幅を２［μｓｅｃ］とした。
【０１３２】
上記の駆動波形（電圧）を用いて、実際に、本発明のプラズマディスプレイ装置の書込放電時における走査電極２２−１〜２２−ｍ（１ライン）に流れ込む書込電流と、従来のプラズマディスプレイ装置の書込放電時における走査電極２２−１〜２２−ｍ（１ライン）に流れ込む書込電流とを測定した。本発明では、その書込電流のピーク値が従来と比較して５０％以下にまで低減した。
したがって、本発明では、走査電極２２−１〜２２−ｍが配線されたときに生じる抵抗（走査電極配線抵抗：表示負荷）が高いときや走査ドライバの電流供給能力が小さいときに生じる電圧ドロップを低減することができる。これにより、従来のプラズマディスプレイ装置におけるデータパルス電位１１２よりも５［Ｖ］程度引き下げたデータパルス電位１２でも書込放電を正常に発生させることができた。
このように、本発明のプラズマディスプレイ装置は、表示負荷に依存せず且つ従来に比べて低いデータパルス電位で書込放電を正常に発生させることができる。
【０１３３】
本発明では、データパルス電位を従来のデータパルス電位１１２よりも高くしたり、走査ドライバの電流供給能力を従来の電流供給能力よりも高くしたりする必要がない。このため、本発明では、プラズマディスプレイ装置の駆動（運転）に伴うコストが従来に比べて低減することができる。
本発明では、走査電極配線抵抗を従来の走査電極配線抵抗よりも低くする必要がない。このため、走査電極２２−ｉの膜厚を増加する必要がなく、本発明では、プラズマディスプレイ装置の製作に伴うコストを従来に比べて低減することができる。
【０１３４】
（第２実施形態）
図８は、本発明の第２実施形態におけるプラズマディスプレイ装置を駆動する駆動波形（電圧）を示すタイミングチャートである。
図８に示されるように、このプラズマディスプレイ装置の駆動方法（ＰＤＰの駆動方法）は第１実施形態の変形例であり、第２実施形態では、前述と重複する説明を省略する。駆動制御回路３８によって順に実行される複数のサブフィールド５のうちの少なくとも１つのサブフィールド５の初期化期間２には、プライミング期間９とプライミング消去期間１０とが含まれない。
【０１３５】
第２実施形態の場合、初期化期間２は、タイミングＰ１の後のタイミングＰ２、Ｐ３、Ｐ４、Ｐ５、Ｐ６、Ｐ７、Ｐ８、Ｐ１３の期間である。この初期化期間２は、壁電荷調整期間６（第一壁電荷調整期間１３、第二壁電荷調整期間１４）と、維持消去期間８とを含む。
壁電荷調整期間６は、タイミングＰ２〜Ｐ６までの期間である。
維持消去期間８は、タイミングＰ６、Ｐ７、Ｐ８、Ｐ１３の期間である。
【０１３６】
初期化期間２の維持消去期間８の駆動波形（維持消去期間８で電極に印加されるランプ波形）を説明する。
消去電圧として、タイミングＰ６からＰ７まで駆動制御回路３８によって、走査電極２２−１〜２２−ｍに印加された維持電圧Ｖｓが保持され、タイミングＰ７からＰ８まで駆動制御回路３８によって、走査電極２２−１〜２２−ｍに印加される電圧が、維持電圧Ｖｓから、接地電圧ＧＮＤに徐々に下げられた後、タイミングＰ８からＰ１３まで駆動制御回路３８によって、走査電極２２−１〜２２−ｍに印加された接地電圧ＧＮＤが保持される。
また、消去電圧として、タイミングＰ６にて駆動制御回路３８によって、維持電極２３−１〜２３−ｍに維持電圧Ｖｓが印加された後、タイミングＰ６からＰ１３まで駆動制御回路３８によって、維持電極２３−１〜２３−ｍに印加された維持電圧Ｖｓが保持される。
タイミングＰ６からＰ１３まで駆動制御回路３８によって、データ電極２９−１〜２９−ｎに印加された接地電圧ＧＮＤが保持される。
【０１３７】
次に、本発明の第２実施形態のプラズマディスプレイ装置の各期間の役割について説明する。
【０１３８】
第１実施形態のサブフィールド５では、壁電荷調整期間６と維持消去期間８とプライミング期間９とプライミング消去期間１０とを含む初期化期間２と、走査期間３と、維持期間４とで構成されているが、第２実施形態のサブフィールド５では、第１実施形態における初期化期間２のうちのプライミング期間９とプライミング消去期間１０とを抜かした初期化期間２と、走査期間３と、維持期間４とで構成されている（プライミング間引きと呼ぶ）。
【０１３９】
プライミング期間９では、放電開始電圧を超える電圧が走査電極２２−ｉと維持電極２３−ｉとの間に印加されるため、前サブフィールド１での維持放電の発生にかかわらず放電が発生する。プライミング期間９で放電が発生すると、放電によって発生した壁電荷によりプライミング消去期間１０でも放電が発生する。黒表示を行なう場合、プライミング期間９とプライミング消去期間１０とで発生する放電で決定される。このため、第２実施形態では、プライミング期間９とプライミング消去期間１０とを間引くことで黒表示の輝度を引き下げることができる。黒表示の輝度を引き下げることができれば、表示のコントラストが向上する。表示のコントラストが向上することにより、表示品質が向上する。
【０１４０】
第１実施形態では、プライミング期間９では、図４（ｅ）に示されるように走査電極２２−ｉ上により多くの負壁電荷−ｅを蓄積させている。プライミング間引きを行なうと、走査電極２２−ｉ上の全てに負壁電荷−ｅが蓄積されない。このため、第２実施形態では、書込放電が行われる直前の各電極上に蓄積される壁電荷が、図４（ｄ）に示されるような状態（配置）になる。第２実施形態では、書込放電が行われる直前に、走査電極２２−ｉ上の放電ギャップ３４近傍に負壁電荷−ｅが蓄積され、維持電極２３−ｉ上の放電ギャップ３４近傍に負壁電荷−ｅが蓄積されているため、従来のプラズマディスプレイ装置のように維持電極１２３−ｉ上に蓄積された正壁電荷＋ｅを書込放電によって負壁電荷−ｅに反転させるための電流が必要なく、書込放電に必要な電流（書込電流）を従来のプラズマディスプレイ装置の書込電流よりも低減することができる。
その結果、第２実施形態では、従来のプラズマディスプレイ装置におけるデータパルス電位１１２よりも３［Ｖ］程度引き下げたデータパルス電位１２でも書込放電を正常に発生させることができた。
【０１４１】
（第３実施形態）
図９は、本発明の第３実施形態におけるプラズマディスプレイ装置を駆動する駆動波形（電圧）を示すタイミングチャートである。
図９に示されるように、このプラズマディスプレイ装置の駆動方法（ＰＤＰの駆動方法）は第１実施形態の変形例であり、第３実施形態では、前述と重複する説明を省略する。
【０１４２】
初期化期間２の維持消去期間８の駆動波形（維持消去期間８で電極に印加されるランプ波形）を説明する。
消去電位として、タイミングＰ６からＰ７まで駆動制御回路３８によって、走査電極２２−１〜２２−ｍに印加された維持電圧Ｖｓが保持される。次に、タイミングＰ７からＰ８まで駆動制御回路３８によって、走査電極２２−１〜２２−ｍに印加される電圧が、維持電圧Ｖｓから、負電圧−Ｖｚに徐々に下げられる。負電圧−Ｖｚは、接地電圧ＧＮＤよりも低い。次いで、タイミングＰ８からＰ９まで駆動制御回路３８によって、走査電極２２−１〜２２−ｍに印加された負電圧−Ｖｚが保持される。
【０１４３】
初期化期間２のプライミング期間９の駆動波形（プライミング波形）を説明する。
タイミングＰ９にて駆動制御回路３８によって、負電圧−Ｖｚの絶対値に維持電圧Ｖｓを加えた電圧（Ｖｓ＋Ｖｚ）が走査電極２２−１〜２２−ｍに印加される。次に、タイミングＰ９からＰ１０まで駆動制御回路３８によって、走査電極２２−１〜２２−ｍに印加される電圧が、維持電圧Ｖｓから、プライミング電圧Ｖｐに徐々に上げられる。次いで、タイミングＰ１０からＰ１１まで駆動制御回路３８によって、走査電極２２−１〜２２−ｍに印加されたプライミング電圧Ｖｐが保持される。
【０１４４】
初期化期間２のプライミング消去期間１０の駆動波形（プライミング消去期間１０で電極に印加されるランプ波形）を説明する。
消去電位として、タイミングＰ１１にて駆動制御回路３８によって、走査電極２２−１〜２２−ｍに印加される電圧が、プライミング電圧Ｖｐから、維持電圧Ｖｓに下げられる。次に、タイミングＰ１１からＰ１２まで駆動制御回路３８によって、走査電極２２−１〜２２−ｍに印加される電圧が、維持電圧Ｖｓから、負電圧−Ｖｚに徐々に下げられる。次いで、タイミングＰ１２からＰ１３まで駆動制御回路３８によって、走査電極２２−１〜２２−ｍに印加された負電圧−Ｖｚが保持される。
【０１４５】
走査期間３の駆動波形を説明する。
タイミングＰ１３にて駆動制御回路３８によって、走査ベース電圧Ｖｂｗが走査電極２２−１〜２２−ｍに印加される。この走査ベース電圧Ｖｂｗは、基準電圧が接地電圧ＧＮＤから負電圧−Ｖｚにシフトしている。次に、タイミングＰ１３からＰ１９まで駆動制御回路３８によって、走査電極２２−１〜２２−ｍに印加された走査ベース電圧Ｖｂｗが保持される。次いで、走査電極２２−１〜２２−ｍに走査ベース電圧Ｖｂｗが印加されているときに、駆動制御回路３８によって、走査ベース電圧Ｖｂｗを打ち消す走査パルス電位１１がタイミングＰ１４、Ｐ１５、Ｐ１６、…、Ｐ１７にて走査電極２２−１〜２２−ｍに順次に印加される。図９に示される第３実施形態では、走査パルス電位１１は、負電圧−Ｖｚ分だけシフトした設定電圧（Ｖｂｗ−Ｖｚ）から、基準電圧として負電圧−Ｖｚまで電位が下がる負極性パルスである。
走査パルス電位１１が走査電極２２−１〜２２−ｍに印加されたときに、駆動制御回路３８によって、データ電極２９−１〜２９−ｎには、映像データ（表示パターン）に応じたデータパルス電位１２が印加される。
【０１４６】
図１０は、本発明の第３実施形態におけるプラズマディスプレイ装置を駆動する駆動波形（電圧）を示すタイミングチャートである。
図１０に示されるように、このプラズマディスプレイ装置の駆動方法（ＰＤＰの駆動方法）は、上述の第３実施形態の変形例であり、第３実施形態の変形例では、前述と重複する説明を省略する。駆動制御回路３８によって順に実行される複数のサブフィールド５のうちの少なくとも１つのサブフィールド５の初期化期間２には、プライミング期間９とプライミング消去期間１０とが含まれない（プライミング間引き）。
【０１４７】
第３実施形態の変形例の場合、第２実施形態と同様に、初期化期間２は、タイミングＰ１の後のタイミングＰ２、Ｐ３、Ｐ４、Ｐ５、Ｐ６、Ｐ７、Ｐ８、Ｐ１３の期間である。この初期化期間２は、壁電荷調整期間６（第一壁電荷調整期間１３、第二壁電荷調整期間１４）と、維持消去期間８とを含む。壁電荷調整期間６は、タイミングＰ２からＰ６までの期間である。維持消去期間８は、タイミングＰ６、Ｐ７、Ｐ８、Ｐ１３までの期間である。
【０１４８】
初期化期間２の維持消去期間８の駆動波形（維持消去期間８で電極に印加されるランプ波形）を説明する。
消去電位として、タイミングＰ６にて駆動制御回路３８によって、維持電極２３−１〜２３−ｍに維持電圧Ｖｓが印加された後、タイミングＰ６からＰ１３まで駆動制御回路３８によって、維持電極２３−１〜２３−ｍに印加された維持電圧Ｖｓが保持される。
また、消去電位として、タイミングＰ６からＰ７まで駆動制御回路３８によって、走査電極２２−１〜２２−ｍに印加された維持電圧Ｖｓが保持され、タイミングＰ７からＰ８まで駆動制御回路３８によって、走査電極２２−１〜２２−ｍに印加される電圧が、維持電圧Ｖｓから、負電圧−Ｖｚに徐々に下げられた後、タイミングＰ８からＰ１３まで駆動制御回路３８によって、走査電極２２−１〜２２−ｍに印加された負電圧−Ｖｚが保持される。
タイミングＰ６からＰ１３まで駆動制御回路３８によって、データ電極２９−１〜２９−ｎに印加された接地電圧ＧＮＤが保持される。
【０１４９】
次に、本発明の第３実施形態のプラズマディスプレイ装置の各期間の役割について説明する。
【０１５０】
第３実施形態、第３実施形態の変形例では、維持消去期間８、プライミング消去期間１０で走査電極２２−ｉに印加される上述のランプ波形の最終到達電位、及び、走査期間３で走査電極２２−ｉに印加される走査パルス１１の電位が負電位−Ｖｚになっていることが、第１実施形態、第２実施形態と異なる。第３実施形態の変形例では、第２実施形態と同様に、プライミング間引きが行われている。
プライミング期間９では、前述のように、走査電極２２−ｉ上の不足している負壁電荷−ｅを補うという役割も果たしている。初期化期間２からプライミング期間９を抜いた場合、走査電極２２−ｉ上の負壁電荷−ｅが不足するため、データパルス電位１２を第１実施形態、第２実施形態のデータパルス電位１２よりも高くしなければならない。データパルス電位１２を高くしない場合、書込放電が発生しない、いわゆる書込み不良が生じる。この問題を解消するために走査パルス電位１１を負電圧化した｛走査ベース電圧Ｖｂｗ（設定電圧）から下げるときの基準電圧を負電圧−Ｖｚとした｝。
【０１５１】
そこで、第３実施形態、第３実施形態の変形例の場合、維持消去期間８中に、走査電極２２−ｉにて維持電圧Ｖｓが下がり始める時刻（タイミングＰ７）から、負電圧−Ｖｚに下がりきる時刻（タイミングＰ８）までの電圧の平均変化率（電圧変化の傾き）を示す変化割合を、１０［Ｖ／μｓｅｃ］以下とし、３〜６［Ｖ／μｓｅｃ］程度とした。
第３実施形態の場合、プライミング消去期間１０中に、走査電極２２−ｉにて維持電圧Ｖｓが下がり始める時刻（タイミングＰ１１）から、負電圧−Ｖｚに下がりきる時刻（タイミングＰ１２）までの電圧の平均変化率（電圧変化の傾き）を示す変化割合を、維持消去期間８と同様に、１０［Ｖ／μｓｅｃ］以下とし、３〜６［Ｖ／μｓｅｃ］程度とした。
第３実施形態、第３実施形態の変形例では、走査期間３中に（例えばタイミングＰ１４からタイミングＰ１５までに）走査電極２２−ｉに印加される走査パルス電位１１として設定電圧（Ｖｂｗ−Ｖｚ）から負電圧−Ｖｚに下がるときの走査パルス電位を−６０［Ｖ］程度にした。
【０１５２】
走査パルス電位１１を負電圧化した場合、走査電極２２−ｉに印加された維持電圧Ｖｓをプライミング消去期間１０で下げるときの基準電圧も上述のように負電圧−Ｖｚとする必要がある。
プライミング消去期間１０では、プライミング期間９で走査電極２２−ｉ、維持電極２３−ｉ上の放電ギャップ３４近傍に蓄積された壁電荷を消去する役割の他に、走査電極２２−ｉとデータ電極２９−ｊとの間の対向電極間に蓄積される壁電荷を、放電ギャップ３４近傍で発生する弱放電により調整する役割もある。このため、書込放電時に誤放電が発生しないように、プライミング消去期間１０と走査期間３とで基準電圧をそろえて負電圧−Ｖｚとする必要がある。本発明では、本発明では、プライミング消去期間１０中にタイミングＰ１２にて走査電極２２−ｉに印加される負電圧−Ｖｚである最終到達電位を、走査パルス電位（−６０［Ｖ］）よりも高く、最終到達電位と走査パルス電位との電位差を、２０［Ｖ］以下とした。
【０１５３】
その結果、第３実施形態、第３実施形態の変形例では、第１実施形態の場合と同様に、従来のプラズマディスプレイ装置におけるデータパルス電位１１２よりも５［Ｖ］程度引き下げたデータパルス電位１２でも書込放電を正常に発生させることができた。
維持消去期間８で基準電圧を負電圧−Ｖｚとする必要はないが、第３実施形態、第３実施形態の変形例では、維持消去期間８とプライミング消去期間１０と走査期間３とで基準電圧を負電圧−Ｖｚにそろえることにより、負電圧−Ｖｚを印加するための回路（制御回路）を共通化でき、その回路規模を小さくできる。
【０１５４】
（第４実施形態）
図１１は、本発明の第４実施形態におけるプラズマディスプレイ装置を駆動する駆動波形（電圧）を示すタイミングチャートである。
図１１に示されるように、このプラズマディスプレイ装置の駆動方法（ＰＤＰの駆動方法）は第１実施形態の変形例であり、第４実施形態では、前述と重複する説明を省略する。
【０１５５】
第４実施形態の場合、初期化期間２は、タイミングＰ１の後のタイミングＰ２、Ｐ３、Ｐ４、Ｐ５、Ｐ２１、Ｐ２２、Ｐ２３、Ｐ６、Ｐ７、Ｐ８、Ｐ９、Ｐ１０、Ｐ１１、Ｐ１２、Ｐ１３の期間である。
初期化期間２は、壁電荷調整期間６と、補助維持消去期間７と、維持消去期間８と、プライミング期間９と、プライミング消去期間１０とを含む。
壁電荷調整期間６（第一壁電荷調整期間１３、第二壁電荷調整期間１４）は、タイミングＰ２、Ｐ３、Ｐ４、Ｐ５、Ｐ２１の期間である。
補助維持消去期間７は、維持期間４で維持放電が行われたときに蓄積された走査電極２２−ｉと維持電極２３−ｉとの間の壁電荷を消去（初期化、リセット）する期間であり、その期間は、タイミングＰ２１、Ｐ２２、Ｐ２３、Ｐ６である。
維持消去期間８は、第１実施形態と同様に、タイミングＰ６からＰ９までの期間である。
プライミング期間９は、第１実施形態と同様に、タイミングＰ９からＰ１１までの期間である。
プライミング消去期間１０は、第１実施形態と同様に、タイミングＰ１１からＰ１３までの期間である。
【０１５６】
初期化期間２の壁電荷調整期間６の第二壁電荷調整期間１４の駆動波形を説明する。
壁電荷調整パルス電位として、タイミングＰ５からＰ２１まで駆動制御回路３８によって、走査電極２２−１〜２２−ｍに印加された維持電圧Ｖｓが壁電荷調整パルス幅だけ保持される。
また、壁電荷調整パルス電位として、タイミングＰ５にて駆動制御回路３８によって、維持電極２３−１〜２３−ｍに印加される電圧が、壁電荷調整電圧Ｖｓｓから、接地電圧ＧＮＤに下げられた後、タイミングＰ５からＰ２１まで駆動制御回路３８によって、維持電極２３−１〜２３−ｍに印加された接地電圧ＧＮＤが壁電荷調整パルス幅だけ保持される。
タイミングＰ５からＰ２１まで駆動制御回路３８によって、データ電極２９−１〜２９−ｎに印加された接地電圧ＧＮＤが保持される。
【０１５７】
初期化期間２の補助維持消去期間７の駆動波形（補助維持消去期間７で電極に印加されるランプ波形）を説明する。
タイミングＰ２１にて駆動制御回路３８によって、維持電極２３−１〜２３−ｍに維持電圧Ｖｓが印加される。次に、タイミングＰ２１からＰ２２まで駆動制御回路３８によって、維持電極２３−１〜２３−ｍに印加された維持電圧Ｖｓが保持される。次いで、タイミングＰ２２からＰ２３まで駆動制御回路３８によって、維持電極２３−１〜２３−ｍに印加される電圧が、維持電圧Ｖｓから、接地電圧ＧＮＤに徐々に下げられる。次に、タイミングＰ２３からＰ６まで駆動制御回路３８によって、維持電極２３−１〜２３−ｍに印加された接地電圧ＧＮＤが保持される。
タイミングＰ２１からＰ６まで駆動制御回路３８によって、走査電極２２−１〜２２−ｍに印加された維持電圧Ｖｓが保持される。
タイミングＰ２１からＰ６まで駆動制御回路３８によって、データ電極２９−１〜２９−ｎに印加された接地電圧ＧＮＤが保持される。
【０１５８】
図示しないが第４実施形態の変形例として、駆動制御回路３８によって順に実行される複数のサブフィールド５のうちの少なくとも１つのサブフィールド５の初期化期間２には、プライミング期間９とプライミング消去期間１０とが含まれない（プライミング間引きが行われている）。
【０１５９】
次に、本発明の第４実施形態のプラズマディスプレイ装置の各期間の役割について説明する。
【０１６０】
第４実施形態のサブフィールド５では、第１実施形態における初期化期間２に補助維持消去期間７が更に含まれていることが、第１実施形態と異なる。
第１実施形態において、書込電流のピーク値を引き下げるために電壁電荷調整電圧Ｖｓｓの値を小さくした場合、第ニ壁電荷調整期間１４での放電（壁電荷調整放電）の強度が小さくなり、放電ギャップ３４近傍の維持電極２３−ｉ上にも負壁電荷−ｅが残るようになる。電壁電荷調整電圧Ｖｓｓの値が小さくなることにより、第ニ壁電荷調整期間１４で放電の発生が遅れてしまい、放電が第ニ壁電荷調整期間１４の終了間際で発生するようになる。この場合でも、第ニ壁電荷調整期間１４の終了直後に、維持消去期間８で、維持電極２３−ｉに印加される電圧を維持電圧Ｖｓにまで引き上げている。放電が発生した直後に維持電極２３−ｉがデータ電極２９−ｊに対して正極性電位に引き上げられることにより、負壁電荷−ｅがより維持電極２３−ｉ上に蓄積されることになる。このようにして、放電ギャップ３４近傍の走査電極２２−ｉと維持電極２３−ｉとの負壁電圧は、維持電極２３−ｉの方が大きくなる。このような壁電荷の配置のまま、このサブフィールド５の走査期間３で書込放電が行なわれず、維持期間４で第一維持パルス電位が走査電極２２−ｉに印加され、走査電極２２−ｉが維持電極２３−ｉよりも電位が維持電圧（維持パルス電位）Ｖｓほど高くなった場合、この壁電圧の差が維持パルス電位Ｖｓに重畳され、誤放電が発生する。
第４実施形態では、このような誤放電を防止するために、補助維持消去期間７を設けている。
【０１６１】
補助維持消去期間７では、走査電極２２−ｉに印加される維持電圧Ｖｓを保ち、維持電極２３−ｉに印加される維持電圧Ｖｓを接地電圧ＧＮＤに徐々に減少させる。この補助維持消去期間７により、走査電極２２−ｉと維持電極２３−ｉとの間で弱放電が発生し、維持電極２３−ｉ上の放電ギャップ３４近傍に蓄積された負壁電荷−ｅは減少し、走査電極２２−ｉに蓄積される負壁電荷−ｅは増加するため、放電ギャップ３４近傍の走査電極２２−ｉと維持電極２３−ｉとの壁電圧がほぼ等しくなる。このため、第４実施形態では、電壁電荷調整電圧Ｖｓｓを２０［Ｖ］程度まで小さくしても、誤放電が発生しない。
第４実施形態では、補助維持消去期間７中にタイミングＰ２２からタイミングＰ２３までに維持電極２３−ｉに印加される電圧として、維持電圧Ｖｓが下がり始める時刻（タイミングＰ２２）から、接地電圧ＧＮＤに下がりきる時刻（タイミングＰ２３）までの電圧の平均変化率（電圧変化の傾き）を示す変化割合を、１０［Ｖ／μｓｅｃ］以下とし、３〜６［Ｖ／μｓｅｃ］程度とした。
第４実施形態では、電壁電荷調整電圧Ｖｓｓの値を小さくすることにより、第１実施形態よりもさらに書込電流を低減（書込電流のピーク値を小さく）することができる。その結果、第４実施形態では、従来のプラズマディスプレイ装置におけるデータパルス電位１１２よりも７［Ｖ］程度引き下げたデータパルス電位１２でも書込放電を正常に発生させることができた。
【０１６２】
（第５実施形態）
図１２は、本発明の第５実施形態におけるプラズマディスプレイ装置を駆動する駆動波形（電圧）を示すタイミングチャートである。
図１２に示されるように、このプラズマディスプレイ装置の駆動方法（ＰＤＰの駆動方法）は第４実施形態の変形例であり、第５実施形態では、前述と重複する説明を省略する。第５実施形態では、第４実施形態において、第４実施形態の変形例であるプライミング間引きを行わない場合に適用される。
【０１６３】
第５実施形態の場合、初期化期間２は、タイミングＰ１の後のタイミングＰ２、Ｐ３、Ｐ４、Ｐ５、Ｐ２１、Ｐ２２、Ｐ２３、Ｐ２４、Ｐ１０、Ｐ１１、Ｐ１２、Ｐ１３の期間である。
初期化期間２は、壁電荷調整期間６と、補助維持消去期間７と、プライミング期間９と、プライミング消去期間１０とを含む。
壁電荷調整期間６（第一壁電荷調整期間１３、第二壁電荷調整期間１４）は、第４実施形態と同様に、タイミングＰ２、Ｐ３、Ｐ４、Ｐ５、Ｐ２１の期間である。
補助維持消去期間７は、タイミングＰ２１〜Ｐ２４までの期間である。
プライミング期間９は、タイミングＰ２４、Ｐ１０、Ｐ１１の期間である。
プライミング消去期間１０は、第１実施形態と同様に、タイミングＰ１１〜Ｐ１３までの期間である。
【０１６４】
初期化期間２の補助維持消去期間７の駆動波形（補助維持消去期間７で電極に印加されるランプ波形）を説明する。
タイミングＰ２１にて駆動制御回路３８によって、維持電極２３−１〜２３−ｍに維持電圧Ｖｓが印加された後、タイミングＰ２１からＰ２２まで駆動制御回路３８によって、維持電極２３−１〜２３−ｍに印加された維持電圧Ｖｓが保持される。次いで、タイミングＰ２２からＰ２３まで駆動制御回路３８によって、維持電極２３−１〜２３−ｍに印加される電圧が、維持電圧Ｖｓから、接地電圧ＧＮＤに徐々に下げられた後、タイミングＰ２３からＰ２４まで駆動制御回路３８によって、維持電極２３−１〜２３−ｍに印加された接地電圧ＧＮＤが保持される。
タイミングＰ２１からＰ２４まで駆動制御回路３８によって、走査電極２２−１〜２２−ｍに印加された維持電圧Ｖｓが保持される。
タイミングＰ２１からＰ２４まで駆動制御回路３８によって、データ電極２９−１〜２９−ｎに印加された接地電圧ＧＮＤが保持される。
【０１６５】
初期化期間２のプライミング期間９の駆動波形（プライミング期間９で電極に印加されるランプ波形であるプライミング波形）を説明する。
タイミングＰ２４からＰ１０まで駆動制御回路３８によって、走査電極２２−１〜２２−ｍに印加される電圧が、維持電圧Ｖｓから、プライミング電圧Ｖｐに徐々に上げられる。次いで、タイミングＰ１０からＰ１１まで駆動制御回路３８によって、走査電極２２−１〜２２−ｍに印加されたプライミング電圧Ｖｐが保持される。
タイミングＰ２４からＰ１１まで駆動制御回路３８によって、維持電極２３−１〜２３−ｍに印加された接地電圧ＧＮＤが保持される。
タイミングＰ２４からＰ１１まで駆動制御回路３８によって、データ電極２９−１〜２９−ｎに印加された接地電圧ＧＮＤが保持される。
【０１６６】
次に、本発明の第５実施形態のプラズマディスプレイ装置の各期間の役割について説明する。
【０１６７】
第５実施形態のサブフィールド５では、第４実施形態における初期化期間２のうちの維持消去期間８を抜かした初期化期間２と、走査期間３と、維持期間４とで構成されていることが、第４実施形態と異なる。
第４実施形態の初期化期間２の長さは、従来の初期化期間１０２に比べると、壁電荷調整期間６と補助維持消去期間７との分だけ長く、その長さは、両方で約６０〜１２０［μｓｅｃ］程度必要になる。走査期間３は走査ライン数ｍに応じて所定の時間が必要となるので、初期化期間２が長くなると、その分、維持期間４を短くしなくてはならない。維持期間４の減少は輝度の減少を招く。
【０１６８】
そこで、第５実施形態では、第４実施形態における初期化期間２のうちの維持消去期間８を抜くことにより、初期化期間２の時間を短縮させた。維持消去期間８を抜いても、プライミング消去期間１０が存在するため、最終的に走査期間３に移行する時点の壁電荷の配置は第４実施形態と同じになる。第５実施形態では、初期化期間２を第４実施形態よりも短くしても、第４実施形態と同様に、第１実施形態よりもさらに書込電流を低減（書込電流のピーク値を小さく）することができる。その結果、第５実施形態では、第４実施形態と同様に、従来のプラズマディスプレイ装置におけるデータパルス電位１１２よりも７［Ｖ］程度引き下げたデータパルス電位１２でも書込放電を正常に発生させることができた。
【０１６９】
（第６実施形態）
図１３は、本発明の第６実施形態におけるプラズマディスプレイ装置を駆動する駆動波形（電圧）を示すタイミングチャートである。
図１３に示されるように、このプラズマディスプレイ装置の駆動方法（ＰＤＰの駆動方法）は第１実施形態の変形例であり、第６実施形態では、前述と重複する説明を省略する。
【０１７０】
初期化期間２の壁電荷調整期間６の第一壁電荷調整期間１３の駆動波形を説明する。
タイミングＰ２にて駆動制御回路３８によって、走査電極２２−１〜２２−ｍに電圧Ｖｘが印加される。電圧Ｖｘは、維持電圧Ｖｓよりも高く、維持期間４で維持放電が発生していないときに、第二壁電荷調整期間１４で走査電極２２−１〜２２−ｍと維持電極２３−１〜２３−ｍとの間で壁電荷調整放電が発生しない電圧である。次に、タイミングＰ２からＰ５まで駆動制御回路３８によって、走査電極２２−１〜２２−ｍに印加された電圧Ｖｘが保持される。
【０１７１】
初期化期間２の壁電荷調整期間６の第二壁電荷調整期間１４の駆動波形を説明する。
壁電荷調整パルス電位として、タイミングＰ５からＰ６まで駆動制御回路３８によって、走査電極２２−１〜２２−ｍに印加された電圧Ｖｘが壁電荷調整パルス幅だけ保持される。
【０１７２】
初期化期間２の維持消去期間８の駆動波形（維持消去期間８で電極に印加されるランプ波形）を説明する。
消去電位として、タイミングＰ６からＰ７まで駆動制御回路３８によって、走査電極２２−１〜２２−ｍに印加された電圧Ｖｘが保持される。次に、タイミングＰ７からＰ８まで駆動制御回路３８によって、走査電極２２−１〜２２−ｍに印加される電圧が、電圧Ｖｘから、接地電圧ＧＮＤに徐々に下げられる。次いで、タイミングＰ８からＰ９まで駆動制御回路３８によって、走査電極２２−１〜２２−ｍに印加された接地電圧ＧＮＤが保持される。
【０１７３】
図示しないが第６実施形態の変形例として、駆動制御回路３８によって順に実行される複数のサブフィールド５のうちの少なくとも１つのサブフィールド５の初期化期間２には、プライミング期間９とプライミング消去期間１０とが含まれない（プライミング間引きが行われている）。
【０１７４】
次に、本発明の第６実施形態のプラズマディスプレイ装置の各期間の役割について説明する。
【０１７５】
第６実施形態では、壁電荷調整期間６で、維持電圧Ｖｓよりも高い電圧Ｖｘが走査電極２２−ｉに印加されていることが、第１実施形態と異なる。
壁電荷調整期間６で、走査電極２２−ｉに印加される電圧を維持電圧Ｖｓよりも高くすることで、壁電荷調整期間６の第二壁電荷調整期間１４で、維持電極２３−ｉに印加される電圧が接地電圧ＧＮＤになった際、走査電極２２−ｉと維持電極２３−ｉとの間の面放電（壁電荷調整放電）により、走査電極２２−ｉ上に負壁電荷−ｅがより蓄積されやすい状態となる。壁電荷調整期間６で走査電極２２−ｉ上に負壁電荷−ｅが多く蓄積されることにより、書込放電が発生しないような書込み不良が生じなくなる。プライミング間引きを行なった場合（初期化期間２からプライミング期間９、プライミング消去期間１０が抜けた場合）でも、書込み不良が生じなくなる。ただし、走査電極２２−ｉに印加される電圧Ｖｘを高くしすぎると、維持電極２３−ｉに印加される電圧を接地電圧ＧＮＤにした際に誤放電が発生する。
【０１７６】
そこで、第６実施形態では、電圧Ｖｘを維持電圧Ｖｓよりも４０〜６０［Ｖ］程度高くした。第３実施形態では、プライミング間引きを行なった場合、走査パルス電位１１を負電圧化している（走査ベース電圧Ｖｂｗから下げるときの基準電圧を負電圧−Ｖｚとしている）が、第６実施形態では、プライミング間引きを行なっても、走査パルス電位１１を負電圧化にする必要がない。
第６実施形態では、壁電荷調整期間６で走査電極２２−ｉに印加される電圧Ｖｘを維持電圧Ｖｓよりも４０〜６０［Ｖ］程度高くすることにより、第１実施形態、第３実施形態の場合と同様に、従来のプラズマディスプレイ装置におけるデータパルス電位１１２よりも５［Ｖ］程度引き下げたデータパルス電位１２でも書込放電を正常に発生させることができた。
【０１７７】
（第７実施形態）
図１４は、本発明の第７実施形態におけるプラズマディスプレイ装置を駆動する駆動波形（電圧）を示すタイミングチャートである。
図１４に示されるように、このプラズマディスプレイ装置の駆動方法（ＰＤＰの駆動方法）は第１実施形態の変形例であり、第７実施形態では、前述と重複する説明を省略する。
【０１７８】
第７実施形態の場合の初期化期間２の壁電荷調整期間６の第一壁電荷調整期間１３の駆動波形を説明する。
調整電位として、タイミングＰ２にて駆動制御回路３８によって、走査電極２２−１〜２２−ｍに電圧Ｖｂが印加される。電圧Ｖｂは、維持電圧Ｖｓよりも低く、接地電圧ＧＮＤよりも高い。次に、タイミングＰ２からＰ５まで駆動制御回路３８によって、走査電極２２−１〜２２−ｍに印加された電圧Ｖｂが保持される。
また、調整電位として、タイミングＰ２からＰ３まで駆動制御回路３８によって、維持電極２３−１〜２３−ｍに印加された維持電圧Ｖｓが保持される。次に、タイミングＰ３からＰ４まで駆動制御回路３８によって、維持電極２３−１〜２３−ｍに印加される電圧が、維持電圧Ｖｓから、接地電圧ＧＮＤに徐々に下げられる。次いで、タイミングＰ４からＰ５まで駆動制御回路３８によって、維持電極２３−１〜２３−ｍに印加された接地電圧ＧＮＤが保持される。
【０１７９】
初期化期間２の壁電荷調整期間６の第二壁電荷調整期間１４の駆動波形（ランプ波形）を説明する。
壁電荷調整パルス電位として、タイミングＰ５にて駆動制御回路３８によって、走査電極２２−１〜２２−ｍに印加される電圧が、電圧Ｖｂから、維持電圧Ｖｓに上げられる。次に、タイミングＰ５からＰ６まで駆動制御回路３８によって、走査電極２２−１〜２２−ｍに印加された維持電圧Ｖｓが壁電荷調整パルス幅だけ保持される。
また、壁電荷調整パルス電位として、タイミングＰ５からＰ６まで駆動制御回路３８によって、維持電極２３−１〜２３−ｍに印加された接地電圧ＧＮＤが壁電荷調整パルス幅だけ保持される。
【０１８０】
図示しないが第７実施形態の変形例として、駆動制御回路３８によって順に実行される複数のサブフィールド５のうちの少なくとも１つのサブフィールド５の初期化期間２には、プライミング期間９とプライミング消去期間１０とが含まれない（プライミング間引きが行われている）。
【０１８１】
次に、本発明の第７実施形態のプラズマディスプレイ装置の各期間の役割について説明する。
【０１８２】
第７実施形態では、壁電荷調整期間６で、維持電極２３−１〜２３−ｍに印加された維持電圧Ｖｓが接地電圧ＧＮＤに徐々に変化し、維持電圧Ｖｓよりも低い電圧Ｖｂが走査電極２２−ｉに印加されていることが、第１実施形態と異なる。壁電荷調整期間６の第一壁電荷調整期間１３の役割は、第１実施形態と同じであり、走査電極２２−ｉ、維持電極２３−ｉ上の放電ギャップ３４近傍に蓄積された壁電荷を減少させることである。
【０１８３】
第１実施形態では、第ニ壁電荷調整期間１４で、走査電極２２−ｉに維持電圧Ｖｓが印加されているときに、維持電極２３−ｉに印加された電壁電荷調整電圧Ｖｓｓから接地電圧ＧＮＤに引き下げることにより、走査電極２２−ｉと維持電極２３−ｉとの間で、第一壁電荷調整期間１３で発生された壁電荷調整放電の放電強度よりもやや強く、維持放電の放電強度よりも弱い放電（壁電荷調整放電）を発生させている。
これに対して第７実施形態では、第一壁電荷調整期間１３で走査電極２２−ｉに電圧Ｖｂを印加し、第ニ壁電荷調整期間１４で、維持電極２３−ｉに印加された電圧が接地電圧ＧＮＤであるときに、走査電極２２−ｉに印加される電圧を電圧Ｖｂから維持電圧Ｖｓにまで引き上げることにより、第一壁電荷調整期間１３で発生された壁電荷調整放電の放電強度よりもやや強く、維持放電の放電強度よりも弱い放電（壁電荷調整放電）を発生させている。
第７実施形態では、電圧Ｖｂを１１０〜１４０［Ｖ］程度とした。また、第７実施形態では、壁電荷調整期間６の第一壁電荷調整期間１３中にタイミングＰ３からタイミングＰ４までに維持電極２３−ｉに印加される電圧として、維持電圧Ｖｓが下がり始める時刻（タイミングＰ３）から、壁電荷調整電圧Ｖｓｓに下がりきる時刻（タイミングＰ４）までの電圧の平均変化率（電圧変化の傾き）を示す変化割合を、１０［Ｖ／μｓｅｃ］以下とし、３〜６［Ｖ／μｓｅｃ］程度とした。
その結果、第７実施形態では、第１実施形態、第３実施形態の場合と同様に、従来のプラズマディスプレイ装置におけるデータパルス電位１１２よりも５［Ｖ］程度引き下げたデータパルス電位１２でも書込放電を正常に発生させることができた。
【０１８４】
（第８実施形態）
図１５は、本発明の第８実施形態におけるプラズマディスプレイ装置を駆動する駆動波形（電圧）を示すタイミングチャートである。
図１５に示されるように、このプラズマディスプレイ装置の駆動方法（ＰＤＰの駆動方法）は第１実施形態の変形例であり、第８実施形態では、前述と重複する説明を省略する。
【０１８５】
初期化期間２の壁電荷調整期間６の第一壁電荷調整期間１３の駆動波形を説明する。
調整電位として、タイミングＰ２にて駆動制御回路３８によって、走査電極２２−１〜２２−ｍに維持電圧Ｖｓが印加される。次に、タイミングＰ２からＰ５まで駆動制御回路３８によって、走査電極２２−１〜２２−ｍに印加された維持電圧Ｖｓが保持される。
また、調整電位として、タイミングＰ２からＰ３まで駆動制御回路３８によって、維持電極２３−１〜２３−ｍに印加された維持電圧Ｖｓが保持される。次に、タイミングＰ３からＰ４まで駆動制御回路３８によって、維持電極２３−１〜２３−ｍに印加される電圧が、維持電圧Ｖｓから、接地電圧ＧＮＤに徐々に下げられる。次いで、タイミングＰ４からＰ５まで駆動制御回路３８によって、維持電極２３−１〜２３−ｍに印加された接地電圧ＧＮＤが保持される。
【０１８６】
初期化期間２の壁電荷調整期間６の第二壁電荷調整期間１４の駆動波形を説明する。
壁電荷調整パルス電位として、タイミングＰ５にて駆動制御回路３８によって、走査電極２２−１〜２２−ｍに印加される電圧が、維持電圧Ｖｓから、電圧Ｖａに上げられる。電圧Ｖａは、維持電圧Ｖｓよりも高く、維持期間４で維持放電が発生していないときに、第二壁電荷調整期間１４で走査電極２２−１〜２２−ｍと維持電極２３−１〜２３−ｍとの間で壁電荷調整放電が発生しない電圧である。次に、タイミングＰ５からＰ６まで駆動制御回路３８によって、走査電極２２−１〜２２−ｍに印加された電圧Ｖａが壁電荷調整パルス幅だけ保持される。
また、壁電荷調整パルス電位として、タイミングＰ５からＰ６まで駆動制御回路３８によって、維持電極２３−１〜２３−ｍに印加された接地電圧ＧＮＤが壁電荷調整パルス幅だけ保持される。
【０１８７】
初期化期間２の維持消去期間８の駆動波形（維持消去期間８で電極に印加されるランプ波形）を説明する。
消去電位として、タイミングＰ６からＰ７まで駆動制御回路３８によって、走査電極２２−１〜２２−ｍに印加された電圧Ｖａが保持される。次に、タイミングＰ７からＰ８まで駆動制御回路３８によって、走査電極２２−１〜２２−ｍに印加される電圧が、電圧Ｖａから、接地電圧ＧＮＤに徐々に下げられる。次いで、タイミングＰ８からＰ９まで駆動制御回路３８によって、走査電極２２−１〜２２−ｍに印加された接地電圧ＧＮＤが保持される。
【０１８８】
図示しないが第８実施形態の変形例として、駆動制御回路３８によって順に実行される複数のサブフィールド５のうちの少なくとも１つのサブフィールド５の初期化期間２には、プライミング期間９とプライミング消去期間１０とが含まれない（プライミング間引きが行われている）。
【０１８９】
次に、本発明の第８実施形態のプラズマディスプレイ装置の各期間の役割について説明する。
【０１９０】
第８実施形態では、壁電荷調整期間６で、維持電極２３−１〜２３−ｍに印加された維持電圧Ｖｓが接地電圧ＧＮＤに徐々に変化することが第１実施形態と異なり、走査電極２２−ｉに印加された電圧を維持電圧Ｖｓから電圧Ｖａに引き上げることが第７実施形態と異なる。
【０１９１】
第８実施形態では、第７実施形態よりも、壁電荷調整期間６（第ニ壁電荷調整期間１４）で、走査電極２２−ｉとデータ電極２９−ｊとの電位差（第ニ壁電荷調整期間電位差）を広げることにより、走査電極２２−ｉ上に負壁電荷−ｅが蓄積されやすい状態となる。この電位差は、壁電荷調整期間６で走査電極２２−ｉと維持電極２３−ｉとの間で放電（壁電荷調整放電）が発生した際に、走査電極２２−ｉに印加される電圧が維持電圧Ｖｓより高くなっている。壁電荷調整期間６で走査電極２２−ｉ上に負壁電荷−ｅが多く蓄積されることにより、書込放電が発生しないような書込み不良が生じなくなる。プライミング間引きを行なった場合（初期化期間２からプライミング期間９、プライミング消去期間１０が抜けた場合）でも、書込み不良が生じなくなる。ただし、走査電極２２−ｉに印加される第２高電圧Ｖｘを高くしすぎると、走査電極２２−ｉに印加された電圧を維持電圧Ｖｓから電圧Ｖａに引き上げた際に、誤放電が発生する。
【０１９２】
そこで、第８実施形態では、電圧Ｖａを２００〜２３０［Ｖ］程度とした。その結果、第８実施形態では、第１実施形態、第３実施形態の場合と同様に、従来のプラズマディスプレイ装置におけるデータパルス電位１１２よりも５［Ｖ］程度引き下げたデータパルス電位１２でも書込放電を正常に発生させることができた。
【０１９３】
（第９実施形態）
図１６は、本発明の第９実施形態におけるプラズマディスプレイ装置を駆動する駆動波形（電圧）を示すタイミングチャートである。
図１６に示されるように、このプラズマディスプレイ装置の駆動方法（ＰＤＰの駆動方法）は第１実施形態の変形例であり、第９実施形態では、前述と重複する説明を省略する。
【０１９４】
第９実施形態の場合、初期化期間２は、タイミングＰ１の後のタイミングＰ２５、Ｐ２６、Ｐ７、Ｐ８、Ｐ９、Ｐ１０、Ｐ１１、Ｐ１２、Ｐ１３の期間である。
初期化期間２は、壁電荷調整期間６と、維持消去期間８と、プライミング期間９と、プライミング消去期間１０とを含む。
壁電荷調整期間６は、タイミングＰ２５、Ｐ２６までの期間である。
維持消去期間８は、タイミングＰ２６、Ｐ７、Ｐ８、Ｐ９の期間である。
プライミング期間９は、第１実施形態と同様に、タイミングＰ９〜Ｐ１１までの期間である。
プライミング消去期間１０は、第１実施形態と同様に、タイミングＰ１１〜Ｐ１３までの期間である。
【０１９５】
初期化期間２の壁電荷調整期間６の駆動波形を説明する。
タイミングＰ２５からＰ２６まで駆動制御回路３８によって、壁電荷調整期間６中に、維持期間４の最後に維持パルス電位（最終維持パルス電位）が走査電極２２−１〜２２−ｍと維持電極２３−１〜２３−ｍとの間に印加されたときの維持期間電位差とは逆極性の壁電荷調整期間電位差が維持パルス電位よりも小さい調整電位として走査電極２２−１〜２２−ｍと維持電極２３−１〜２３−ｍとの間に印加される。
具体的には調整電位として、タイミングＰ２５にて駆動制御回路３８によって、走査電極２２−１〜２２−ｍに維持電圧Ｖｓが印加される。次に、タイミングＰ２５からＰ２６まで駆動制御回路３８によって、走査電極２２−１〜２２−ｍに印加された維持電圧Ｖｓが保持される。
また、調整電位として、タイミングＰ２５にて駆動制御回路３８によって、維持電極２３−１〜２３−ｍに印加される電圧が、維持電圧Ｖｓから、電圧Ｖｓｅに下げられる。電圧Ｖｓｅは、維持電圧Ｖｓよりも低く、接地電圧ＧＮＤよりも高い。タイミングＰ２５からＰ２６まで駆動制御回路３８によって、維持電極２３−１〜２３−ｍに印加された電圧Ｖｓｅが保持される。
タイミングＰ２５からＰ２６まで駆動制御回路３８によって、データ電極２９−１〜２９−ｎに印加された接地電圧ＧＮＤが保持される。
【０１９６】
初期化期間２の維持消去期間８の駆動波形（維持消去期間８で電極に印加されるランプ波形）を説明する。
消去電位として、タイミングＰ２６からＰ７まで駆動制御回路３８によって、走査電極２２−１〜２２−ｍに印加された維持電圧Ｖｓが保持される。次に、タイミングＰ７からＰ８まで駆動制御回路３８によって、走査電極２２−１〜２２−ｍに印加される電圧が、維持電圧Ｖｓから、接地電圧ＧＮＤに徐々に下げられる。次いで、タイミングＰ８からＰ９まで駆動制御回路３８によって、走査電極２２−１〜２２−ｍに印加された接地電圧ＧＮＤが保持される。
また、消去電位として、タイミングＰ２６にて駆動制御回路３８によって、維持電極２３−１〜２３−ｍに印加される電圧が、電圧Ｖｓｅから、維持電圧Ｖｓに上げられる。次に、タイミングＰ２６からＰ９まで駆動制御回路３８によって、維持電極２３−１〜２３−ｍに印加された維持電圧Ｖｓが保持される。
タイミングＰ２６からＰ９まで駆動制御回路３８によって、データ電極２９−１〜２９−ｎに印加された接地電圧ＧＮＤが保持される。
【０１９７】
図示しないが第９実施形態の変形例として、駆動制御回路３８によって順に実行される複数のサブフィールド５のうちの少なくとも１つのサブフィールド５の初期化期間２には、プライミング期間９とプライミング消去期間１０とが含まれない（プライミング間引きが行われている）。
【０１９８】
次に、本発明の第９実施形態のプラズマディスプレイ装置の各期間の役割について説明する。
【０１９９】
第９実施形態では、前サブフィールド１の維持期間とサブフィールド５の維持消去期間８とで維持電極２３−１〜２３−ｍに印加される維持電圧Ｖｓを、その維持期間と維持消去期間８との間の壁電荷調整期間６のみ、電圧Ｖｓｅに引き下げることが第１実施形態と異なる。即ち、従来では、タイミングＰ１０１において、前サブフィールド１０１で維持電極１２３−ｉに最終的に印加される維持パルス電位（最終維持パルス電位）が接地電圧ＧＮＤであるが（このとき、走査電極１２２−ｉに印加される電圧が維持電圧Ｖｓ）、第９実施形態では、壁電荷調整期間６で、最終維持パルス電位として、維持電圧Ｖｓよりも低い電圧Ｖｓｅが維持電極２３−ｉに印加される（このとき、走査電極２２−ｉに印加される電圧が維持電圧Ｖｓ）ことが従来と異なる。
【０２００】
第９実施形態では、従来のように維持電極２３−ｉに印加される電圧を接地電圧ＧＮＤにすると、それ以前に発生している維持放電と同様の放電強度の面放電が走査電極２２−ｉと維持電極２３−ｉとの間で発生するが、維持電極２３−ｉに印加される電圧を引き上げることにより、走査電極２２−ｉと維持電極２３−ｉとに印加される電圧が、壁電圧も含めて、２Ｖｓから２Ｖｓ−Ｖｓｅにまで引き下げられる。その結果、面放電（壁電荷調整放電）の放電強度が維持放電の放電強度よりも弱められ、維持電極２３−ｉ上に蓄積された負壁電荷−ｅを減少させにくくすることができる。
第９実施形態では、維持電極２３−ｉの電位Ｖｓｅが、データ電極２９−ｊの電位に対して正極性となっていることから、維持電極２３−ｉ上には負壁電荷−ｅがより貯まりやすい状態になっている。また、壁電荷調整期間６中では、走査電極２２−ｉの電位はＶｓとなっており、これもデータ電極２９−ｊに対して正極性となっていることから、負壁電荷−ｅが蓄積されやすい状態となっている。
そのため、走査電極２２−ｉ、維持電極２３−ｉ上に蓄積された壁電荷は、タイミングＰ２６において、図４（ｃ）に示されるような状態（配置）となる。
【０２０１】
第９実施形態において、書込電流のピーク値は電圧Ｖｓｅに大きく依存する。電圧Ｖｓｅを高くしすぎると、壁電荷調整期間６での面放電（壁電荷調整放電）の強度が弱められ、維持電極２３−ｉ上に負壁電荷−ｅがより多く残る。このため、書込電流のピーク値が小さくなる。電圧Ｖｓｅが８０［Ｖ］以上では壁電荷調整期間６で放電が発生しなくなる。
そこで、第９実施形態では、電圧Ｖｓｅを６０［Ｖ］程度とした。その結果、第９実施形態では、書込電流のピーク値が従来と比較して約６０％にまで低減し、従来のプラズマディスプレイ装置におけるデータパルス電位１１２よりも４［Ｖ］程度引き下げたデータパルス電位１２でも書込放電を正常に発生させることができた。
【０２０２】
【発明の効果】
本発明のプラズマディスプレイ装置は、書込放電を正常に発生させることができる。
本発明のプラズマディスプレイ装置は、従来に比べて低いデータパルス電位で書込放電を正常に発生させることができる。
本発明のプラズマディスプレイ装置は、表示負荷に依存せずに書込放電を正常に発生させることができる。
本発明のプラズマディスプレイ装置は、製作、運転（駆動）に伴うコストを低減する。
【図面の簡単な説明】
【図１】本発明のプラズマディスプレイ装置の構成（本発明の３電極ＡＣ型プラズマディスプレイパネルの平面図）を示す。
【図２】図１に示された３電極ＡＣ型プラズマディスプレイパネルの１セルの断面図である。
【図３】本発明の第１実施形態におけるプラズマディスプレイ装置を駆動する電圧を示すタイミングチャートである。
【図４】図３の各タイミングにおける壁電荷配置を示す図である。
【図５】壁電荷調整期間の第一壁電荷調整期間中に、維持電極にて維持電圧が下がり始める時刻から、壁電荷調整電圧に下がりきる時刻までの電圧の平均変化率（電圧変化の傾き）を示す変化割合と、発光波形によって観測された放電強度との関係を表す図である。
【図６】壁電荷調整期間の第二壁電荷調整期間中に、維持電極にて壁電荷調整電圧が下がり始める時刻から、接地電圧に下がりきる時刻までの電圧の平均変化率（電圧変化の傾き）を示す変化割合と、発光波形によって観測された放電強度との関係を表す図である。
【図７】壁電荷調整電圧に対する書込電流のピーク値の変化の割合と壁電荷調整パルス幅との関係を示す図である。
【図８】本発明の第２実施形態におけるプラズマディスプレイ装置を駆動する駆動波形（電圧）を示すタイミングチャートである。
【図９】本発明の第３実施形態におけるプラズマディスプレイ装置を駆動する駆動波形（電圧）を示すタイミングチャートである。
【図１０】本発明の第３実施形態におけるプラズマディスプレイ装置を駆動する駆動波形（電圧）を示すタイミングチャートである。
【図１１】本発明の第４実施形態におけるプラズマディスプレイ装置を駆動する駆動波形（電圧）を示すタイミングチャートである。
【図１２】本発明の第５実施形態におけるプラズマディスプレイ装置を駆動する駆動波形（電圧）を示すタイミングチャートである。
【図１３】本発明の第６実施形態におけるプラズマディスプレイ装置を駆動する駆動波形（電圧）を示すタイミングチャートである。
【図１４】本発明の第７実施形態におけるプラズマディスプレイ装置を駆動する駆動波形（電圧）を示すタイミングチャートである。
【図１５】本発明の第８実施形態におけるプラズマディスプレイ装置を駆動する駆動波形（電圧）を示すタイミングチャートである。
【図１６】本発明の第９実施形態におけるプラズマディスプレイ装置を駆動する駆動波形（電圧）を示すタイミングチャートである。
【図１７】従来のプラズマディスプレイ装置の構成（従来の３電極ＡＣ型プラズマディスプレイパネルの平面図）を示す。
【図１８】図１７に示された３電極ＡＣ型プラズマディスプレイパネルの１セルの断面図である。
【図１９】従来のプラズマディスプレイ装置を駆動する駆動波形（電圧）を示すタイミングチャートである。
【図２０】図１９の各タイミングにおける壁電荷配置を示す図である。
【符号の説明】
１、１０１    前サブフィールド
２、１０２    初期化期間
３、１０３    走査期間
４、１０４    維持期間
５、１０５    サブフィールド（１サブフィールド）
６    壁電荷調整期間
７    補助維持消去期間
８、１０８    維持消去期間
９、１０９    プライミング期間
１０、１１０    プライミング消去期間
１１、１１１    走査パルス電位
１２、１１２    データパルス電位
１３    第一壁電荷調整期間
１４    第ニ壁電荷調整期間
２０、１２０    上部絶縁性基板（前面基板）
２１、１２１    下部絶縁性基板（背面基板）
２２（２２−１〜２２−ｍ）、１２２（１２２−１〜１２２−ｍ）    走査電極
２３（２３−１〜２３−ｍ）、１２３（１２３−１〜１２３−ｍ）    維持電極
２４、１２４    透明誘電体層
２５、１２５    保護層
２６、１２６    放電空間（セル）
２７、１２７    蛍光体層
２８、１２８    白色誘電体層
２９（２９−１〜２９−ｎ）、１２９（１２９−１〜１２９−ｎ）    データ電極
３０、１３０    ディスプレイ表示画面
３１、１３１    表示セル
３２、１３２    金属トレース電極
３３、１３３    非放電空間
３４、１３４    放電ギャップ
３５、１３５    非放電ギャップ
３６、１３６    駆動部
３７、１３７    制御部
３８、１３８    駆動制御回路
Ｖｓ    維持電圧
ＧＮＤ    接地電圧
Ｖｓｓ    電壁電荷調整電圧
Ｖｐ    プライミング電圧
Ｖｂｗ    走査ベース電圧
Ｖａ、Ｖｂ、Ｖｓｅ、Ｖｘ    電圧
−Ｖｚ    負電圧
【図１】
2004198705.tif 000003
【図２】
2004198705.tif 000004
【図３】
2004198705.tif 000005
【図４】
2004198705.tif 000006
【図５】
2004198705.tif 000007
【図６】
2004198705.tif 000008
【図７】
2004198705.tif 000009
【図８】
2004198705.tif 000010
【図９】
2004198705.tif 000011
【図１０】
2004198705.tif 000012
【図１１】
2004198705.tif 000013
【図１２】
2004198705.tif 000014
【図１３】
2004198705.tif 000015
【図１４】
2004198705.tif 000016
【図１５】
2004198705.tif 000017
【図１６】
2004198705.tif 000018
【図１７】
2004198705.tif 000019
【図１８】
2004198705.tif 000020
【図１９】
2004198705.tif 000021
【図２０】
2004198705.tif 000022